(57)【特許請求の範囲】
【請求項１】
少なくとも１種のポリオール及び少なくとも１種の、式（Ｉ）：
【化１】
0005456052.tif 000014
［式中、
Ｒ１は、Ｃ１〜Ｃ１０アルキル又はＣ３〜Ｃ８シクロアルキルを表わし、
ｍは、０、１、２又は３を表わし、
ｎは、２、３又は４を表わし、かつ
Ｒは、水素又はＣ１〜Ｃ３０アルキル、Ｃ１〜Ｃ３０アルコキシ又はＣ３〜Ｃ８シクロアルキルを表わし、この際、少なくとも１個の基Ｒは、Ｃ１〜Ｃ３０アルキル、Ｃ１〜Ｃ３０アルコキシ又はＣ３〜Ｃ８シクロアルキルを表わす］のシクロヘキサンポリカルボン酸誘導体を含有する混合物を、粉末状建設化学製品の除塵のための添加剤として用いる使用。
【請求項２】
建設化学製品の有機成分の除塵のための添加剤として用いる、請求項１に記載の使用。
【請求項３】
建設化学製品の無機成分の除塵のための添加剤として用いる、請求項１に記載の使用。
【請求項４】
Ｒは、Ｃ１〜Ｃ３０アルキルである、請求項１から３までのいずれか１項に記載の使用。
【請求項５】
Ｒは、メチル、エチル、ｎ−プロピル、ｉ−プロピル、ｎ−ブチル、ｉ−ブチル、ｓ−ブチル、ｔ−ブチル、ｎ−ペンチル、ｎ−ヘキシル、ｎ−オクチル及び２−エチルヘキシル、ｎ−ノニル、イソ−ノニル、ｎ−デシル、イソ−デシル、ｎ−ウンデシル、イソ−ウンデシル、ｎ−ドデシル、イソ−ドデシル、ｎ−トリデシル、イソ−トリデシル、ステアリル及びｎ−エイコシルを表わす、請求項１から４までのいずれか１項に記載の使用。
【請求項６】
少なくとも１種のシクロヘキサンポリカルボン酸誘導体は、フタル酸、イソフタル酸及びテレフタル酸の核水素添加モノアルキルエステル及びジアルキルエステル、トリメリット酸、トリメシン酸及びヘミメリット酸の核水素添加モノアルキルエステル、ジアルキルエステル及びトリアルキルエステル又はピロメリット酸のモノアルキルエステル、ジアルキルエステル、トリアルキルエステル及びテトラアルキルエステルからなる群から選択される、請求項１から５までのいずれか１項に記載の使用。
【請求項７】
シクロヘキサンポリカルボン酸誘導体は、次の段階を包含する方法によって製造可能であるエステルである、請求項１から６までのいずれか１項に記載の使用：
ａ）式ＩＩ：
【化２】
0005456052.tif 000015
［式中、
Ｒ１は、Ｃ１〜Ｃ１０アルキル又はＣ３〜Ｃ８シクロアルキルを表わし、
ｍは、０、１、２又は３を表わし、かつ
ｎは、２、３又は４を表わす］のベンゼンポリカルボン酸と、
１種以上の式：
Ｒ’−ＯＨ
［式中、
Ｒ’は、Ｃ５〜Ｃ１３アルキルを表わし、この際、アルキル基Ｒ’は、分枝鎖度０．１〜４を有する（ISO指数）］のアルコールとのエステル化（この際、式ＩＩＩ’：
【化３】
0005456052.tif 000016
のベンゼンポリカルボン酸エステルが得られる）
ｂ）式ＩＩＩ’のベンゼンポリカルボン酸エステルの水素添加による、相応するシクロヘキサンポリカルボン酸エステルの製造。
【請求項８】
アルコールＲ’−ＯＨは、ノナノール混合物である、請求項７に記載の使用。
【請求項９】
ポリオールは、ポリエチレングリコール、ポリプロピレングリコール、ポリテトラメチレングリコール及びポリスチレンオキシドである、請求項１から８までのいずれか１項に記載の使用。
【請求項１０】
ポリオール及びシクロヘキサンポリカルボン酸誘導体からの混合物は、それぞれ除塵すべき建設化学製品に対して、０．０１〜１０．０質量％の量で使用される、請求項１から９までのいずれか１項に記載の使用。
【請求項１１】
前記混合物は、ポリオール５〜９９．９５質量％及びシクロヘキサンポリカルボン酸誘導体９５〜０．０５質量％からなる、請求項１から１０までのいずれか１項に記載の使用。
【請求項１２】
請求項１から１１までのいずれか１項に記載される、少なくとも１種のポリオール及び少なくとも１種のシクロヘキサンポリカルボン酸誘導体からの混合物を含有する粉末状の建設化学製品。
【請求項１３】
石灰含有及び／又は石膏含有及び／又はセメント含有のモルタル及び／又はアルカリ活性化水硬性結合剤である、請求項１２に記載の製品。
【請求項１４】
モルタルである、請求項１２又は１３に記載の製品。
【請求項１５】
請求項１２から１４までのいずれか１項に記載の軽減された粉塵特性を有する粉末状の建設化学製品を製造する方法において、その単一成分又はそれらからの混合物を、少なくとも１種のポリオール及び少なくとも１種の、式（Ｉ）：
【化４】
0005456052.tif 000017
［式中、
Ｒ１は、Ｃ１〜Ｃ１０アルキル又はＣ３〜Ｃ８シクロアルキルを表わし、
ｍは、０、１、２又は３を表わし、
ｎは、２、３又は４を表わし、かつ
Ｒは、水素又はＣ１〜Ｃ３０アルキル、Ｃ１〜Ｃ３０アルコキシ又はＣ３〜Ｃ８シクロアルキルを表わし、この際、少なくとも１個の基Ｒは、Ｃ１〜Ｃ３０アルキル、Ｃ１〜Ｃ３０アルコキシ又はＣ３〜Ｃ８シクロアルキルを表わす］のシクロヘキサンポリカルボン酸誘導体と噴霧によって接触させ、かつ殊にその表面を処理することを特徴とする方法。
【発明の詳細な説明】
【技術分野】
【０００１】
本発明は、粉末状の建設化学製品の取扱における粉塵発生の低減化又は最少化のためのポリオール及びシクロヘキサンポリカルボン酸誘導体を含む混合物の使用、粉末状の建設化学製品の製法、及びポリオール及びシクロヘキサンポリカルボン酸誘導体を含む本発明による混合物を含有する水硬性物質に関する。
【０００２】
乾燥した、殊に粉末状の建設化学製品、例えば、水硬性又はセメント含有の物質（例えば、タイル接着剤、目地剤、充填コンパウンド、スラリーコーティング等）は、その微粒子成分及び超微粒子成分の故に、詰替過程及び混合過程において明らかに粉塵を形成する。従って、そのような製品における粉塵発生を減少させる又は阻止するために多数の試みが行なわれた。
【０００３】
例えば、水硬性物質、例えば、充填コンパウンドの場合に、粉末状製品の粉砕度又は粒子組成を介して粉塵発生を少なくさせることが試みられたが、この場合には、より粗大な粉末の加工可能性がより低下する。
【０００４】
粉塵発生のもう１つの低減法は、例えば、水、水溶液又は水性分散液での凝集化である。即ち、例えば、ＵＳ４７８０１４３から、粉塵発生の低減のために、セメントへの粉砕化の前に、クリンカーに水泡を加えることが公知である。同様に、粉塵形成を低減するために、吹付けコンクリート組成物用のセメントへのプラスチック分散液の添加が既に提示されている。水硬性物質における一時的凝集化は、製品が補足的に粉砕される場合、又は、例えば、吹付けコンクリート又は吹付けモルタルとして使用されるべき場合しか重要ではない。しかし、例えば、装填後にその上に床張りが設置されるべき微粉末状の充填コンパウンドでは、比較的大きな凝集物は、それが多くの平らな床張り材料の表面上に浮き出るので、受け入れることはできない。
【０００５】
ＥＰ４０３８７４Ａ１に、粉塵減少のための添加剤として、特殊なエチレンオキシド／プロピレンオキシドブロックコポリマーが挙げられている。しかし、この添加剤の欠点は、著しい効果の達成のために、しばしば多量のそれを使用しなければならないことである。
【０００６】
ＷＯ２００６／０８４５８８Ａ１は、粉末状建設化学製品の粉塵低減化のための添加剤として、高粘性の直鎖状炭化水素又は炭化水素混合物の使用を明らかにしている。そこに記載された系の欠点は、高い使用量及びそれに伴い使用添加剤の僅少な効率も前提とする、使用される炭化水素の高粘性である。
【０００７】
実用新案ＤＥ２０２００６０１６７９７Ｕ１は、全乾燥混合物に対して、少なくとも１種の粉塵低減成分を０．０１〜１０質量％の量で含有する、粉塵の少ない乾燥モルタルに関する。粉塵減少成分は、モノアルコール、例えば、３−メトキシブタノール、ベンジルアルコール、１，２−プロパンジオール、ヘキサノール、ジアセトンアルコール、エチルジグリコール、イソプロパノール、２−エチルヘキサノール及び／又はアルカンジオール、例えば、２−メチルペンタン−２，４−ジオール、ネオペンチルグリコール及びｎ−ブタン−２，５−ジオールの系列から選択される。更に、グリコール、ポリエチレングリコール、脂肪アルコール及びポリビニルアルコールが好適である。脂肪族エーテル、セルロースエーテル、アルコキシレート及びメチル脂肪酸エーテル／エチル脂肪酸エーテルが特に言及される。
【０００８】
公知の粉塵低減添加剤は、建設化学製品において所望の作用を達成するために、所定の最少濃度で使用されるべきである。この際、所望の粉塵低減作用は、粉塵数で定義される。この際、もう１つの重要な観点は、除塵作用がモルタルの貯蔵時間に渡ってできるだけ同じ程度で保持されていることである。粉塵減少添加剤は、建設化学製品の所望の特性に、常にある程度影響する。建設化学製品の組成を、部分的に相応して適合させなければならず、このことは著しい調製費用と結びつき得る。殊に、除塵添加剤の比較的高い使用濃度で、そのような手段が必要である。従って、除塵添加剤の使用濃度をできるだけ僅少に保つことが試される。経済的な観点からも、できるだけ僅少な使用濃度が所望に値する。この際、除塵のための添加剤の必要濃度は、殊に、製品の組成にも依存する。セメントベースのタイル接着剤、充填コンパウンド、目地モルタル、スラリーコーティング及び補修モルタル用に、ポリオール、殊にポリエチレンオキシドの使用が特に実証された。従って、そうして除塵された製品の所望の特性プロフィールは、非本質的にしか影響されない。
【０００９】
建設化学混合物の粉塵の基本的問題は、前記の化合物又は方法では、依然として、特に経済的観点下では決定的には排除されないので、本発明の基礎には、粉末状の建設化学製品の除塵剤として有利な方法で適合し、かつ簡単な適用及び高い有効性を特徴とする、粉塵発生の低減のための添加剤を得るという課題があった。更にこの添加剤は、使用時に塊状物形成傾向を有せず、かつ硬化した系の品質に否定的に影響を与えるべきではない。
【００１０】
本発明により、この課題は、粉末状建設化学製品の除塵のための添加剤として、少なくとも１種のポリオール及び少なくとも１種の、式（Ｉ）：
【化１】
0005456052.tif 000002
［式中、
Ｒ１は、Ｃ１〜Ｃ１０アルキル又はＣ３〜Ｃ８シクロアルキルを表わし、
ｍは、０、１、２又は３を表わし、
ｎは、２、３又は４を表わし、かつ
Ｒは、水素又はＣ１〜Ｃ３０アルキル、Ｃ１〜Ｃ３０アルコキシ又はＣ３〜Ｃ８シクロアルキルを表わし、この際、少なくとも１個の基Ｒは、Ｃ１〜Ｃ３０アルキル、Ｃ１〜Ｃ３０アルコキシ又はＣ３〜Ｃ８シクロアルキルを表わす］のシクロヘキサンポリカルボン酸誘導体を含有する混合物の使用によって解明された。
【００１１】
従って、本発明は、有機性及び／又は無機成分を有する粉末状建設化学製品の取扱の際の粉塵発生の低減化又は減少化のための添加剤として、少なくとも１種のポリオール及び少なくとも１種のシクロヘキサンポリカルボン酸誘導体を含有する混合物の使用、粉末状の建設化学製品の製法、及び少なくとも１種のポリオール及び少なくとも１種のシクロヘキサンポリカルボン酸誘導体を含む本発明による混合物を含有する粉末状の建設化学製品に関する。
【００１２】
式（Ｉ）において、ｍ＝２又は３である場合には、基Ｒ１は同じ又は異なっていてよい。Ｃ１〜Ｃ１０アルキル基は直鎖又は分枝鎖であってよい。Ｒ１がアルキル基を表わす場合には、有利にＣ１〜Ｃ８アルキル基、特に有利にＣ１〜Ｃ６アルキル基である。この種類のアルキル基の例は、メチル、エチル、ｎ−プロピル、ｉ−プロピル、ｎ−ブチル、ｉ−ブチル、ｓ−ブチル、ｔ−ブチル、ｎ−ペンチル、ｎ−ヘキシル、ｎ−オクチル及び２−エチルヘキシルである。ｍ＝０であることが有利である。
【００１３】
ｍ個の基Ｒは同じ又は異なっていてよい。Ｃ１〜Ｃ３０アルキル基及びＣ１〜Ｃ３０アルコキシ基のアルキル基は、直鎖又は分枝鎖であってよい。Ｒは、有利に、Ｃ１〜Ｃ３０アルキル、Ｃ１〜Ｃ２０アルキル、特に有利にＣ１〜Ｃ１８アルキル、極めて特に有利にＣ１〜Ｃ１３アルキルである。この種類のアルキル基の例は、既にＲ１について挙げたアルキル基及びｎ−ノニル、イソ−ノニル、ｎ−デシル、イソ−デシル、ｎ−ウンデシル、イソ−ウンデシル、ｎ−ドデシル、イソ−ドデシル、ｎ−トリデシル、イソ−トリデシル、ステアリル及びｎ−エイコシルである。
【００１４】
アルキル基とは、各々、前記のアルキル基の単一異性体又は異なったアルキル基の混合物である。異なったアルキル基は、同じ炭素原子数を有する異なった異性体及び／又は異なった炭素原子数を有するアルキル基であってよい。
【００１５】
ポリオールとは、有利にポリエーテルポリオール、ポリエステルポリオール、ポリブタジエンポリオール及びポリカルボネートポリオールであり、この際、これらの化合物の混合物も重要であり得る。ポリオールは、有利に２〜１０、特に有利に２〜３個のヒドロキシル基を含有し、かつ質量平均分子量３２〜２００００、特に有利に４０〜２０００及び殊に５０〜６００ｇ／モルを有する。ポリオールとして、室温で液状のポリヒドロキシ化合物が優先的に好適である。典型的な例として、二官能性ポリエチレングリコールが挙げられる。エチレンオキシド及びプロピレンオキシドの、ヒドロキシル基を有するランダムコポリマー及び／又はブロックコポリマーを使用することもできる。好適なポリエーテルポリオールは、公知のポリエーテル、例えば、重合開始剤分子の使用下に製造される、スチレンオキシド、プロピレンオキシド、ブチレンオキシド、テトラヒドロフラン又はエピクロルヒドリンを含むポリオールである。ポリオールとは、有利にポリエチレングリコール、ポリプロピレングリコール、ポリテトラメチレングリコール及びポリスチレンオキシド、特に有利に平均分子量２００〜６００ｇ／モルを有するポリエチレングリコールである。
【００１６】
ポリオール成分として使用可能な、末端位にヒドロキシル基を有するもう１種のコポリマー型は、次の一般式：
【化２】
0005456052.tif 000003
［式中、Ｒは、同じ又は異なっていて、有利に、ＯＭｅ、ＯｉＰｒ、Ｃｌ又はＢｒによって表わされる］による（例えば、Macromolecules 2004, 37, 4038-4043により"Controlled" High-Speed Anionic Polymerizationによって製造可能）。
【００１７】
更に、ポリオール成分として、殊に２５℃で液状のポリエステルジオール又はポリエステルポリオールが好適であり、これは、ジカルボン酸又はトリカルボン酸、例えば、アジピン酸、セバシン酸、グルタル酸、アゼライン酸、コルク酸、ウンデカンジ酸、ドデカンジ酸、３，３−ジメチルグルタル酸、テレフタル酸、イソフタル酸、ヘキサヒドロフタル酸及び／又はダイマー脂肪酸と、低分子のジオール、トリオール又はポリオール、例えば、エチレングリコール、プロピレングリコール、ジエチレングリコール、トリエチレングリコール、ジプロピレングリコール、１，４−ブタンジオール、１，６−ヘキサンジオール、１，８−オクタンジオール、１，１０−デカンジオール、１，１２−ドデカンジオール、ダイマー脂肪アルコール、グリセリン、ペンタエリスリトール及び／又はトリメチロールプロパンとの縮合によって製造可能である。
【００１８】
もう１種の好適なポリオール群は、例えば、カプロラクトンをベースとするポリエステルであり、これは"ポリカプロラクトン"としても表示される。他の使用可能なポリオールは、ポリカルボネートポリオール及びダイマージオール及び植物油及びその誘導体、例えば、ひまし油及びその誘導体又はエポキシド化大豆油をベースとするポリオールである。更に、ヒドロキシル基を有するポリカルボネートが重要であり、これは炭酸誘導体、例えば、ジフェニルカルボネート、ジメチルカルボネート又はホスゲンとジオールとの反応によって得られる。例えば、エチレングリコール、１，２−プロパンジオール及び１，３−プロパンジオール、１，３−ブタンジオール及び１，４−ブタンジオール、１，６−ヘキサンジオール、１，８−オクタンジオール、ネオペンチルグリコール、１，４−ビスヒドロキシメチルシクロヘキサン、２−メチル−１，３−プロパンジオール、２，２，４−トリメチルペンタンジオール−１，３、ジプロピレングリコール、ポリプロピレングリコール、ジブチレングリコール、ポリブチレングリコール、ビスフェノールＡ、テトラブロムビスフェノールＡ、グリセリン、トリメチロールプロパン、１，２，６−ヘキサントリオール、１，２，４−ブタントリオール、トリメチロールプロパン、ペンタエチスリット、キニット、マンニット、ソルビット、メチルグリコシド及び１，３，４，６−ジアンヒドロヘキシットが特に好適である。ポリオールとして、特に、商標"Poly-bd（登録商標）"として購買可能なヒドロキシ官能性ポリブタジエンを、その水素添加類似体と同様に使用することもできる。更に、商標"Thiokol（登録商標）NPS-282"として販売される、ヒドロキシ官能性ポリスルフィド、及びヒドロキシ官能性ポリシロキサンが重要である。
【００１９】
粉末状の建設化学製品は、有機性及び／又は無機成分を含有する。
【００２０】
有機性及び／又は無機成分を含む粉末状の建設化学製品は、例えば、タイル接着剤、スラリーコーティング、補強接着剤、ＷＤＶＳ接着剤、鉱物性プラスター、補修モルタル、自展性充填コンパウンド、微細充填剤、スクリード系、厚床モルタル、目地モルタル又は表面保護系、しかし又顔料調製剤であってもよい。
【００２１】
建設化学製品の有機成分とは、例えば、再分散可能なポリマー粉末、粘稠剤、安定剤、抑泡剤、分散剤、乳化剤又は顔料が解される。
【００２２】
鉱物成分は、例えば、セメント、石膏、硬石膏、石灰、白亜、砂、石英粉末、粘土、灰、スラグ、マイクロシリカ、光充填剤、例えば、膨張ガラス、膨張粘土、Poraven（登録商標）、Expancell（登録商標）及び顔料であってよい。
【００２３】
本発明のもう１つの目的は、例えば、次に挙げる、粉末状のポリマー又はポリマー粉末及び再分散可能なポリマー粉末の除塵のための添加剤として、少なくとも１種のポリオール及び少なくとも１種のシクロヘキサンポリカルボン酸誘導体を含有する本発明による混合物の使用に関する。
【００２４】
【表１】
0005456052.tif 000004
ＶＡｃ＝ビニルアセテート
Ｓ＝スチレン
Ｂ＝ブタジエン
Ｅ＝エチレン
Ｖｅｏｖａ＝バーサチン酸のビニルエステル
ＵＦ＝尿素ホルムアルデヒド
ＭＦ＝メラミンホルムアルデヒド
【００２５】
本発明により使用されるシクロヘキサンポリカルボン酸誘導体とは、殊に、シクロヘキサンポリカルボン酸のモノエステル、ジエステル、トリエステル、テトラエステル及び無水物である。全カルボン酸残基がエステル化形で存在することが有利である。使用されるエステルは、アルキルエステル、シクロアルキルエステル及びアルコキシアルキルエステル、有利にアルキルエステルであり、この際、有利なアルキル基Ｒは、既に前記されている。
【００２６】
少なくとも１種のシクロヘキサンポリカルボン酸誘導体は、フタル酸、イソフタル酸及びテレフタル酸の核水素添加されたモノアルキルエステル及びジアルキルエステル、トリメリット酸、トリメシン酸及びヘミメリット酸の核水素添加されたモノアルキルエステル、ジアルキルエステル及びトリアルキルエステル又はピロメリット酸のモノアルキルエステル、ジアルキルエステル、トリアルキルエステル及びテトラアルキルエステルかつその２種以上からの混合物からなる群から選択されることが有利であり、この際、アルキル基Ｒは、直鎖又は分枝鎖であってよく、かつ各々１〜３０、有利に１〜２０、特に有利に１〜１８、極めて特に有利に１〜１３個の炭素原子を有する。好適なアルキル基Ｒは、既に前記されている。
【００２７】
特に、シクロヘキサン−１，４−ジカルボン酸アルキルエステル、例えば、シクロヘキサン−１，４−ジカルボン酸モノメチルエステル、シクロヘキサン−１，４−ジカルボン酸ジメチルエステル、シクロヘキサン−１，４−ジカルボン酸ジエチルエステル、シクロヘキサン−１，４−ジカルボン酸ジ−ｎ−プロピルエステル、シクロヘキサン−１，４−ジカルボン酸ジ−ｎ−ブチルエステル、シクロヘキサン−１，４−ジカルボン酸ジ−ｔ−ブチルエステル、シクロヘキサン−１，４−ジカルボン酸ジイソブチルエステル、シクロヘキサン−１，４−ジカルボン酸モノグリコールエステル、シクロヘキサン−１，４−ジカルボン酸ジグリコールエステル、シクロヘキサン−１，４−ジカルボン酸ジ−ｎ−オクチルエステル、シクロヘキサン−１，４−ジカルボン酸ジイソオクチルエステル、シクロヘキサン−１，４−ジカルボン酸モノ−２−エチルヘキシルエステル、シクロヘキサン−１，４−ジカルボン酸ジ−２−エチルヘキシルエステル、シクロヘキサン−１，４−ジカルボン酸ジ−ｎ−ノニルエステル、シクロヘキサン−１，４−ジカルボン酸ジイソノニルエステル、シクロヘキサン−１，４−ジカルボン酸ジ−ｎ−デシルエステル、シクロヘキサン−１，４−ジカルボン酸ジ−ｎ−ウンデシルエステル、シクロヘキサン−１，４−ジカルボン酸ジイソデシルエステル、シクロヘキサン−１，４−ジカルボン酸ジイソドデシルエステル、シクロヘキサン−１，４−ジカルボン酸ジ−ｎ−オクタデシルエステル、シクロヘキサン−１，４−ジカルボン酸ジイソオクタデシルエステル、シクロヘキサン−１，４−ジカルボン酸ジ−ｎ−エイコシルエステル、シクロヘキサン−１，４−ジカルボン酸モノシクロヘキシルエステル、シクロヘキサン−１，４−ジカルボン酸ジシクロヘキシルエステル；
シクロヘキサン−１，４−ジカルボン酸ジイソプロピルエステル、シクロヘキサン−１，４−ジカルボン酸ジ−ｎ−ヘキシルエステル、シクロヘキサン−１，４−ジカルボン酸ジイソヘキシルエステル、シクロヘキサン−１，４−ジカルボン酸ジ−ｎ−ヘプチルエステル、シクロヘキサン−１，４−ジカルボン酸ジイソヘプチルエステル、シクロヘキサン−１，４−ジカルボン酸ジ−２−プロピルヘプチルエステル、シクロヘキサン−１，４−ジカルボン酸ジイソウンデシルエステル、シクロヘキサン−１，４−ジカルボン酸ジ−ｎ−ドデシルエステル、シクロヘキサン−１，４−ジカルボン酸ジ−ｎ−トリデシルエステル、シクロヘキサン−１，４−ジカルボン酸ジイソトリデシルエステル、シクロヘキサン−１，４−ジカルボン酸ジ−ｎ−ペンチルエステル、シクロヘキサン−１，４−ジカルボン酸ジイソペンチルエステル；
シクロヘキサン−１，２−ジカルボン酸ジイソプロピルエステル、シクロヘキサン−１，２−ジカルボン酸ジ−ｎ−ヘキシルエステル、シクロヘキサン−１，２−ジカルボン酸ジイソヘキシルエステル、シクロヘキサン−１，２−ジカルボン酸ジ−ｎ−ヘプチルエステル、シクロヘキサン−１，２−ジカルボン酸ジイソヘプチルエステル、シクロヘキサン−１，２−ジカルボン酸ジ−２−プロピルヘプチルエステル、シクロヘキサン−１，２−ジカルボン酸ジイソウンデシルエステル、シクロヘキサン−１，２−ジカルボン酸ジ−ｎ−ドデシルエステル、シクロヘキサン−１，２−ジカルボン酸ジ−ｎ−トリデシルエステル、シクロヘキサン−１，２−ジカルボン酸ジイソトリデシルエステル、シクロヘキサン−１，２−ジカルボン酸ジ−ｎ−ペンチルエステル、シクロヘキサン−１，２−ジカルボン酸ジイソペンチルエステル；
シクロヘキサン−１，２−ジカルボン酸アルキルエステル、例えば、シクロヘキサン−１，２−ジカルボン酸モノメチルエステル、シクロヘキサン−１，２−ジカルボン酸ジメチルエステル、シクロヘキサン−１，２−ジカルボン酸ジエチルエステル、シクロヘキサン−１，２−ジカルボン酸ジ−ｎ−プロピルエステル、シクロヘキサン−１，２−ジカルボン酸ジ−ｎ−ブチルエステル、シクロヘキサン−１，２−ジカルボン酸ジ−ｔ−ブチルエステル、シクロヘキサン−１，２−ジカルボン酸ジイソブチルエステル、シクロヘキサン−１，２−ジカルボン酸モノグリコールエステル、シクロヘキサン−１，２−ジカルボン酸ジグリコールエステル、シクロヘキサン−１，２−ジカルボン酸ジ−ｎ−オクチルエステル、シクロヘキサン−１，２−ジカルボン酸ジイソオクチルエステル、シクロヘキサン−１，２−ジカルボン酸ジ−２−エチルヘキシルエステル、シクロヘキサン−１，２−ジカルボン酸ジ−ｎ−ノニルエステル、シクロヘキサン−１，２−ジカルボン酸ジイソノニルエステル、シクロヘキサン−１，２−ジカルボン酸ジ−ｎ−デシルエステル、シクロヘキサン−１，２−ジカルボン酸ジイソデシルエステル、シクロヘキサン−１，２−ジカルボン酸ジ−ｎ−ウンデシルエステル、シクロヘキサン−１，２−ジカルボン酸ジイソドデシルエステル、シクロヘキサン−１，２−ジカルボン酸ジ−ｎ−オクタデシルエステル、シクロヘキサン−１，２−ジカルボン酸ジイソオクタデシルエステル、シクロヘキサン−１，２−ジカルボン酸ジ−ｎ−エイコシルエステル、シクロヘキサン−１，２−ジカルボン酸モノシクロヘキシルエステル、シクロヘキサン−１，２−ジカルボン酸ジシクロヘキシルエステル；
シクロヘキサン−１，２−ジカルボン酸とＣ１〜Ｃ１３アルコールとの混合エステル、例えば、シクロヘキサン−１，２−ジカルボン酸エチルメチルエステル、シクロヘキサン−１，２−ジカルボン酸−ｎ−プロピルメチルエステル、シクロヘキサン−１，２−ジカルボン酸イソプロピルメチルエステル、シクロヘキサン−１，２−ジカルボン酸−ｎ−ブチルメチルエステル、シクロヘキサン−１，２−ジカルボン酸−ｔ−ブチルメチルエステル、シクロヘキサン−１，２−ジカルボン酸イソブチルメチルエステル、シクロヘキサン−１，２−ジカルボン酸グリコールメチルエステル、シクロヘキサン−１，２−ジカルボン酸−ｎ−ヘキシルメチルエステル、シクロヘキサン−１，２−ジカルボン酸イソヘキシルメチルエステル、シクロヘキサン−１，２−ジカルボン酸−ｎ−ヘプチルメチルエステル、シクロヘキサン−１，２−ジカルボン酸イソヘプチルメチルエステル、シクロヘキサン−１，２−ジカルボン酸−ｎ−オクチルメチルエステル、シクロヘキサン−１，２−ジカルボン酸イソオクチルメチルエステル、シクロヘキサン−１，２−ジカルボン酸−（２−エチルヘキシル）メチルエステル、シクロヘキサン−１，２−ジカルボン酸−ｎ−ノニルメチルエステル、シクロヘキサン−１，２−ジカルボン酸イソノニルメチルエステル、シクロヘキサン−１，２−ジカルボン酸−（２−プロピルヘプチル）メチルエステル、シクロヘキサン−１，２−ジカルボン酸−ｎ−デシルメチルエステル、シクロヘキサン−１，２−ジカルボン酸イソデシルメチルエステル、シクロヘキサン−１，２−ジカルボン酸−ｎ−ウンデシルメチルエステル、シクロヘキサン−１，２−ジカルボン酸イソウンデシルメチルエステル、シクロヘキサン−１，２−ジカルボン酸−ｎ−ドデシルメチルエステル、シクロヘキサン−１，２−ジカルボン酸イソドデシルメチルエステル、シクロヘキサン−１，２−ジカルボン酸−ｎ−トリデシルメチルエステル、シクロヘキサン−１，２−ジカルボン酸イソトリデシルメチルエステル、シクロヘキサン−１，２−ジカルボン酸−ｎ−プロピルエチルエステル、シクロヘキサン−１，２−ジカルボン酸イソプロピルエチルエステル、シクロヘキサン−１，２−ジカルボン酸−ｎ−ブチルエチルエステル、シクロヘキサン−１，２−ジカルボン酸−ｔ−ブチルエチルエステル、シクロヘキサン−１，２−ジカルボン酸イソブチルエチルエステル、シクロヘキサン−１，２−ジカルボン酸グリコールエチルエステル、シクロヘキサン−１，２−ジカルボン酸−ｎ−ヘキシルエチルエステル、シクロヘキサン−１，２−ジカルボン酸イソヘキシルエチルエステル、シクロヘキサン−１，２−ジカルボン酸−ｎ−ヘプチルエチルエステル、シクロヘキサン−１，２−ジカルボン酸イソヘプチルエチルエステル、シクロヘキサン−１，２−ジカルボン酸−ｎ−オクチルエチルエステル、シクロヘキサン−１，２−ジカルボン酸イソオクチルエチルエステル、シクロヘキサン−１，２−ジカルボン酸−（２−エチルヘキシル）エチルエステル、シクロヘキサン−１，２−ジカルボン酸−ｎ−ノニルエチルエステル、シクロヘキサン−１，２−ジカルボン酸イソノニルエチルエステル、シクロヘキサン−１，２−ジカルボン酸−（２−プロピルヘプチル）エチルエステル、シクロヘキサン−１，２−ジカルボン酸−ｎ−デシルエチルエステル、シクロヘキサン−１，２−ジカルボン酸イソデシルエチルエステル、シクロヘキサン−１，２−ジカルボン酸−ｎ−ウンデシルエチルエステル、シクロヘキサン−１，２−ジカルボン酸イソウンデシルエチルエステル、シクロヘキサン−１，２−ジカルボン酸−ｎ−ドデシルエチルエステル、シクロヘキサン−１，２−ジカルボン酸イソドデシルエチルエステル、シクロヘキサン−１，２−ジカルボン酸−ｎ−トリデシルエチルエステル、シクロヘキサン−１，２−ジカルボン酸イソトリデシルエチルエステル、シクロヘキサン−１，２−ジカルボン酸イソプロピル−ｎ−プロピルエステル、シクロヘキサン−１，２−ジカルボン酸−ｎ−ブチル−ｎ−プロピルエステル、シクロヘキサン−１，２−ジカルボン酸−ｔ−ブチル−ｎ−プロピルエステル、シクロヘキサン−１，２−ジカルボン酸イソブチル−ｎ−プロピルエステル、シクロヘキサン−１，２−ジカルボン酸グリコール−ｎ−プロピルエステル、シクロヘキサン−１，２−ジカルボン酸−ｎ−ヘキシル−ｎ−プロピルエステル、シクロヘキサン−１，２−ジカルボン酸イソヘキシル−ｎ−プロピルエステル、シクロヘキサン−１，２−ジカルボン酸−ｎ−ヘプチル−ｎ−プロピルエステル、シクロヘキサン−１，２−ジカルボン酸イソヘプチル−ｎ−プロピルエステル、シクロヘキサン−１，２−ジカルボン酸−ｎ−オクチル−ｎ−プロピルエステル、シクロヘキサン−１，２−ジカルボン酸イソオクチル−ｎ−プロピルエステル、シクロヘキサン−１，２−ジカルボン酸−（２−エチルヘキシル）−ｎ−プロピルエステル、シクロヘキサン−１，２−ジカルボン酸−ｎ−ノニル−ｎ−プロピルエステル、シクロヘキサン−１，２−ジカルボン酸イソノニルｎ−プロピルエステル、シクロヘキサン−１，２−ジカルボン酸−（２−プロピルヘプチル）−ｎ−プロピルエステル、シクロヘキサン−１，２−ジカルボン酸−ｎ−デシル−ｎ−プロピルエステル、シクロヘキサン−１，２−ジカルボン酸イソデシル−ｎ−プロピルエステル、シクロヘキサン−１，２−ジカルボン酸−ｎ−ウンデシル−ｎ−プロピルエステル、シクロヘキサン−１，２−ジカルボン酸イソウンデシル−ｎ−プロピルエステル、シクロヘキサン−１，２−ジカルボン酸−ｎ−ドデシル−ｎ−プロピルエステル、シクロヘキサン−１，２−ジカルボン酸イソドデシル−ｎ−プロピルエステル、シクロヘキサン−１，２−ジカルボン酸−ｎ−トリデシル−ｎ−プロピルエステル、シクロヘキサン−１，２−ジカルボン酸イソトリデシル−ｎ−プロピルエステル、シクロヘキサン−１，２−ジカルボン酸−ｎ−ブチルイソプロピルエステル、シクロヘキサン−１，２−ジカルボン酸−ｔ−ブチルイソプロピルエステル、シクロヘキサン−１，２−ジカルボン酸イソブチルイソプロピルエステル、シクロヘキサン−１，２−ジカルボン酸グリコールイソプロピルエステル、シクロヘキサン−１，２−ジカルボン酸−ｎ−ヘキシルイソプロピルエステル、シクロヘキサン−１，２−ジカルボン酸イソヘキシルイソプロピルエステル、シクロヘキサン−１，２−ジカルボン酸−ｎ−ヘプチルイソプロピルエステル、シクロヘキサン−１，２−ジカルボン酸イソヘプチルイソプロピルエステル、シクロヘキサン−１，２−ジカルボン酸−ｎ−オクチルイソプロピルエステル、シクロヘキサン−１，２−ジカルボン酸イソオクチルイソプロピルエステル、シクロヘキサン−１，２−ジカルボン酸−（２−エチルヘキシル）イソプロピルエステル、シクロヘキサン−１，２−ジカルボン酸−ｎ−ノニルイソプロピルエステル、シクロヘキサン−１，２−ジカルボン酸イソノニルイソプロピルエステル、シクロヘキサン−１，２−ジカルボン酸−（２−プロピルヘプチル）イソプロピルエステル、シクロヘキサン−１，２−ジカルボン酸−ｎ−デシルイソプロピルエステル、シクロヘキサン−１，２−ジカルボン酸イソデシルイソプロピルエステル、シクロヘキサン−１，２−ジカルボン酸−ｎ−ウンデシルイソプロピルエステル、シクロヘキサン−１，２−ジカルボン酸イソウンデシルイソプロピルエステル、シクロヘキサン−１，２−ジカルボン酸−ｎ−ドデシルイソプロピルエステル、シクロヘキサン−１，２−ジカルボン酸イソドデシルイソプロピルエステル、シクロヘキサン−１，２−ジカルボン酸−ｎ−トリデシルイソプロピルエステル、シクロヘキサン−１，２−ジカルボン酸イソトリデシルイソプロピルエステル、シクロヘキサン−１，２−ジカルボン酸−ｔ−ブチル−ｎ−ブチルエステル、シクロヘキサン−１，２−ジカルボン酸イソブチル−ｎ−ブチルエステル、シクロヘキサン−１，２−ジカルボン酸グリコール−ｎ−ブチルエステル、シクロヘキサン−１，２−ジカルボン酸−ｎ−ヘキシル−ｎ−ブチルエステル、シクロヘキサン−１，２−ジカルボン酸イソヘキシル−ｎ−ブチルエステル、シクロヘキサン−１，２−ジカルボン酸−ｎ−ヘプチル−ｎ−ブチルエステル、シクロヘキサン−１，２−ジカルボン酸イソヘプチル−ｎ−ブチルエステル、シクロヘキサン−１，２−ジカルボン酸−ｎ−オクチル−ｎ−ブチルエステル、シクロヘキサン−１，２−ジカルボン酸イソオクチル−ｎ−ブチルエステル、シクロヘキサン−１，２−ジカルボン酸−（２−エチルヘキシル）−ｎ−ブチルエステル、シクロヘキサン−１，２−ジカルボン酸−ｎ−ノニル−ｎ−ブチルエステル、シクロヘキサン−１，２−ジカルボン酸イソノニル−ｎ−ブチルエステル、シクロヘキサン−１，２−ジカルボン酸−（２−プロピルヘプチル）−ｎ−ブチルエステル、シクロヘキサン−１，２−ジカルボン酸−ｎ−デシル−ｎ−ブチルエステル、シクロヘキサン−１，２−ジカルボン酸イソデシル−ｎ−ブチルエステル、シクロヘキサン−１，２−ジカルボン酸−ｎ−ウンデシル−ｎ−ブチルエステル、シクロヘキサン−１，２−ジカルボン酸イソウンデシル−ｎ−ブチルエステル、シクロヘキサン−１，２−ジカルボン酸−ｎ−ドデシル−ｎ−ブチルエステル、シクロヘキサン−１，２−ジカルボン酸イソドデシル−ｎ−ブチルエステル、シクロヘキサン−１，２−ジカルボン酸−ｎ−トリデシル−ｎ−ブチルエステル、シクロヘキサン−１，２−ジカルボン酸イソトリデシル−ｎ−ブチルエステル、シクロヘキサン−１，２−ジカルボン酸イソブチル−ｔ−ブチルエステル、シクロヘキサン−１，２−ジカルボン酸グリコール−ｔ−ブチルエステル、シクロヘキサン−１，２−ジカルボン酸−ｎ−ヘキシル−ｔ−ブチルエステル、シクロヘキサン−１，２−ジカルボン酸イソヘキシル−ｔ−ブチルエステル、シクロヘキサン−１，２−ジカルボン酸−ｎ−ヘプチル−ｔ−ブチルエステル、シクロヘキサン−１，２−ジカルボン酸イソヘプチル−ｔ−ブチルエステル、シクロヘキサン−１，２−ジカルボン酸−ｎ−オクチル−ｔ−ブチルエステル、
シクロヘキサン−１，２−ジカルボン酸イソオクチル−ｔ−ブチルエステル、シクロヘキサン−１，２−ジカルボン酸−（２−エチルヘキシル）−ｔ−ブチルエステル、シクロヘキサン−１，２−ジカルボン酸−ｎ−ノニル−ｔ−ブチルエステル、シクロヘキサン−１，２−ジカルボン酸イソノニル−ｔ−ブチルエステル、シクロヘキサン−１，２−ジカルボン酸−（２−プロピルヘプチル）−ｔ−ブチルエステル、シクロヘキサン−１，２−ジカルボン酸−ｎ−デシル−ｔ−ブチルエステル、シクロヘキサン−１，２−ジカルボン酸イソデシル−ｔ−ブチルエステル、シクロヘキサン−１，２−ジカルボン酸−ｎ−ウンデシル−ｔ−ブチルエステル、シクロヘキサン−１，２−ジカルボン酸イソウンデシル−ｔ−ブチルエステル、シクロヘキサン−１，２−ジカルボン酸−ｎ−ドデシル−ｔ−ブチルエステル、シクロヘキサン−１，２−ジカルボン酸イソドデシル−ｔ−ブチルエステル、シクロヘキサン−１，２−ジカルボン酸−ｎ−トリデシル−ｔ−ブチルエステル、シクロヘキサン−１，２−ジカルボン酸イソトリデシル−ｔ−ブチルエステル、シクロヘキサン−１，２−ジカルボン酸グリコールイソブチルエステル、シクロヘキサン−１，２−ジカルボン酸−ｎ−ヘキシルイソブチルエステル、シクロヘキサン−１，２−ジカルボン酸イソヘキシルイソブチルエステル、シクロヘキサン−１，２−ジカルボン酸−ｎ−ヘプチルイソブチルエステル、シクロヘキサン−１，２−ジカルボン酸イソヘプチルイソブチルエステル、シクロヘキサン−１，２−ジカルボン酸−ｎ−オクチルイソブチルエステル、シクロヘキサン−１，２−ジカルボン酸イソオクチルイソブチルエステル、シクロヘキサン−１，２−ジカルボン酸−（２−エチルヘキシル）イソブチルエステル、シクロヘキサン−１，２−ジカルボン酸−ｎ−ノニルイソブチルエステル、シクロヘキサン−１，２−ジカルボン酸イソノニルイソブチルエステル、シクロヘキサン−１，２−ジカルボン酸−（２−プロピルヘプチル）イソブチルエステル、シクロヘキサン−１，２−ジカルボン酸−ｎ−デシルイソブチルエステル、シクロヘキサン−１，２−ジカルボン酸イソデシルイソブチルエステル、シクロヘキサン−１，２−ジカルボン酸−ｎ−ウンデシルイソブチルエステル、シクロヘキサン−１，２−ジカルボン酸イソウンデシルイソブチルエステル、シクロヘキサン−１，２−ジカルボン酸−ｎ−ドデシルイソブチルエステル、シクロヘキサン−１，２−ジカルボン酸イソドデシルイソブチルエステル、シクロヘキサン−１，２−ジカルボン酸−ｎ−トリデシルイソブチルエステル、シクロヘキサン−１，２−ジカルボン酸イソトリデシルイソブチルエステル、シクロヘキサン−１，２−ジカルボン酸−ｎ−ヘキシルグリコールエステル、シクロヘキサン−１，２−ジカルボン酸イソヘキシルグリコールエステル、シクロヘキサン−１，２−ジカルボン酸−ｎ−ヘプチルグリコールエステル、シクロヘキサン−１，２−ジカルボン酸イソヘプチルグリコールエステル、シクロヘキサン−１，２−ジカルボン酸−ｎ−オクチルグリコールエステル、シクロヘキサン−１，２−ジカルボン酸イソオクチルグリコールエステル、シクロヘキサン−１，２−ジカルボン酸−（２−エチルヘキシル）グリコールエステル、シクロヘキサン−１，２−ジカルボン酸−ｎ−ノニルグリコールエステル、シクロヘキサン−１，２−ジカルボン酸イソノニルグリコールエステル、シクロヘキサン−１，２−ジカルボン酸−（２−プロピルヘプチル）グリコールエステル、シクロヘキサン−１，２−ジカルボン酸−ｎ−デシルグリコールエステル、シクロヘキサン−１，２−ジカルボン酸イソデシルグリコールエステル、シクロヘキサン−１，２−ジカルボン酸−ｎ−ウンデシルグリコールエステル、シクロヘキサン−１，２−ジカルボン酸イソウンデシルグリコールエステル、シクロヘキサン−１，２−ジカルボン酸−ｎ−ドデシルグリコールエステル、シクロヘキサン−１，２−ジカルボン酸イソドデシルグリコールエステル、シクロヘキサン−１，２−ジカルボン酸−ｎ−トリデシルグリコールエステル、シクロヘキサン−１，２−ジカルボン酸イソトリデシルグリコールエステル、シクロヘキサン−１，２−ジカルボン酸イソヘキシル−ｎ−ヘキシルエステル、シクロヘキサン−１，２−ジカルボン酸−ｎ−ヘプチル−ｎ−ヘキシルエステル、シクロヘキサン−１，２−ジカルボン酸イソヘプチル−ｎ−ヘキシルエステル、シクロヘキサン−１，２−ジカルボン酸−ｎ−オクチル−ｎ−ヘキシルエステル、シクロヘキサン−１，２−ジカルボン酸イソオクチル−ｎ−ヘキシルエステル、シクロヘキサン−１，２−ジカルボン酸−（２−エチルヘキシル）−ｎ−ヘキシルエステル、シクロヘキサン−１，２−ジカルボン酸−ｎ−ノニル−ｎ−ヘキシルエステル、シクロヘキサン−１，２−ジカルボン酸イソノニル−ｎ−ヘキシルエステル、シクロヘキサン−１，２−ジカルボン酸−（２−プロピルヘプチル）−ｎ−ヘキシルエステル、シクロヘキサン−１，２−ジカルボン酸−ｎ−デシル−ｎ−ヘキシルエステル、シクロヘキサン−１，２−ジカルボン酸イソデシル−ｎ−ヘキシルエステル、シクロヘキサン−１，２−ジカルボン酸−ｎ−ウンデシル−ｎ−ヘキシルエステル、シクロヘキサン−１，２−ジカルボン酸イソウンデシル−ｎ−ヘキシルエステル、シクロヘキサン−１，２−ジカルボン酸−ｎ−ドデシル−ｎ−ヘキシルエステル、シクロヘキサン−１，２−ジカルボン酸イソドデシル−ｎ−ヘキシルエステル、シクロヘキサン−１，２−ジカルボン酸−ｎ−トリデシル−ｎ−ヘキシルエステル、シクロヘキサン−１，２−ジカルボン酸イソトリデシル−ｎ−ヘキシルエステル、シクロヘキサン−１，２−ジカルボン酸−ｎ−ヘプチルイソヘキシルエステル、シクロヘキサン−１，２−ジカルボン酸イソヘプチルイソヘキシルエステル、シクロヘキサン−１，２−ジカルボン酸−ｎ−オクチルイソヘキシルエステル、シクロヘキサン−１，２−ジカルボン酸イソオクチルイソヘキシルエステル、シクロヘキサン−１，２−ジカルボン酸−（２−エチルヘキシル）イソヘキシルエステル、シクロヘキサン−１，２−ジカルボン酸−ｎ−ノニルイソヘキシルエステル、シクロヘキサン−１，２−ジカルボン酸イソノニルイソヘキシルエステル、シクロヘキサン−１，２−ジカルボン酸−（２−プロピルヘプチル）イソヘキシルエステル、シクロヘキサン−１，２−ジカルボン酸−ｎ−デシルイソヘキシルエステル、シクロヘキサン−１，２−ジカルボン酸イソデシルイソヘキシルエステル、シクロヘキサン−１，２−ジカルボン酸−ｎ−ウンデシルイソヘキシルエステル、シクロヘキサン−１，２−ジカルボン酸イソウンデシルイソヘキシルエステル、シクロヘキサン−１，２−ジカルボン酸−ｎ−ドデシルイソヘキシルエステル、シクロヘキサン−１，２−ジカルボン酸イソドデシルイソヘキシルエステル、シクロヘキサン−１，２−ジカルボン酸−ｎ−トリデシルイソヘキシルエステル、シクロヘキサン−１，２−ジカルボン酸イソトリデシルイソヘキシルエステル、シクロヘキサン−１，２−ジカルボン酸イソヘプチル−ｎ−ヘプチルエステル、シクロヘキサン−１，２−ジカルボン酸−ｎ−オクチル−ｎ−ヘプチルエステル、シクロヘキサン−１，２−ジカルボン酸イソオクチル−ｎ−ヘプチルエステル、シクロヘキサン−１，２−ジカルボン酸−（２−エチルヘキシル）−ｎ−ヘプチルエステル、シクロヘキサン−１，２−ジカルボン酸−ｎ−ノニル−ｎ−ヘプチルエステル、シクロヘキサン−１，２−ジカルボン酸イソノニル−ｎ−ヘプチルエステル、シクロヘキサン−１，２−ジカルボン酸−（２−プロピルヘプチル）−ｎ−ヘプチルエステル、シクロヘキサン−１，２−ジカルボン酸−ｎ−デシル−ｎ−ヘプチルエステル、シクロヘキサン−１，２−ジカルボン酸イソデシル−ｎ−ヘプチルエステル、シクロヘキサン−１，２−ジカルボン酸−ｎ−ウンデシル−ｎ−ヘプチルエステル、シクロヘキサン−１，２−ジカルボン酸イソウンデシル−ｎ−ヘプチルエステル、シクロヘキサン−１，２−ジカルボン酸−ｎ−ドデシル−ｎ−ヘプチルエステル、シクロヘキサン−１，２−ジカルボン酸イソドデシル−ｎ−ヘプチルエステル、シクロヘキサン−１，２−ジカルボン酸−ｎ−トリデシル−ｎ−ヘプチルエステル、シクロヘキサン−１，２−ジカルボン酸イソトリデシル−ｎ−ヘプチルエステルエステル、シクロヘキサン−１，２−ジカルボン酸−ｎ−オクチルイソヘプチルエステル、シクロヘキサン−１，２−ジカルボン酸イソオクチルイソヘプチルエステル、シクロヘキサン−１，２−ジカルボン酸−（２−エチルヘキシル）イソヘプチルエステル、シクロヘキサン−１，２−ジカルボン酸−ｎ−ノニルイソヘプチルエステル、シクロヘキサン−１，２−ジカルボン酸イソノニルイソヘプチルエステル、シクロヘキサン−１，２−ジカルボン酸−（２−プロピルヘプチル）イソヘプチルエステル、シクロヘキサン−１，２−ジカルボン酸−ｎ−デシルイソヘプチルエステル、シクロヘキサン−１，２−ジカルボン酸イソデシルイソヘプチルエステル、シクロヘキサン−１，２−ジカルボン酸−ｎ−ウンデシルイソヘプチルエステル、シクロヘキサン−１，２−ジカルボン酸イソウンデシルイソヘプチルエステル、シクロヘキサン−１，２−ジカルボン酸−ｎ−ドデシルイソヘプチルエステル、シクロヘキサン−１，２−ジカルボン酸イソドデシルイソヘプチルエステル、シクロヘキサン−１，２−ジカルボン酸−ｎ−トリデシルイソヘプチルエステル、シクロヘキサン−１，２−ジカルボン酸イソトリデシルイソヘプチルエステル、シクロヘキサン−１，２−ジカルボン酸イソオクチル−ｎ−オクチルエステル、シクロヘキサン−１，２−ジカルボン酸−（２−エチルヘキシル）−ｎ−オクチルエステル、シクロヘキサン−１，２−ジカルボン酸−ｎ−ノニル−ｎ−オクチルエステル、シクロヘキサン−１，２−ジカルボン酸イソノニル−ｎ−オクチルエステル、シクロヘキサン−１，２−ジカルボン酸−（２−プロピルヘプチル）−ｎ−オクチルエステル、シクロヘキサン−１，２−ジカルボン酸−ｎ−デシル−ｎ−オクチルエステル、シクロヘキサン−１，２−ジカルボン酸イソデシル−ｎ−オクチルエステル、シクロヘキサン−１，２−ジカルボン酸−ｎ−ウンデシル−ｎ−オクチルエステル、シクロヘキサン−１，２−ジカルボン酸イソウンデシル−ｎ−オクチルエステル、シクロヘキサン−１，２−ジカルボン酸−ｎ−ドデシル−ｎ−オクチルエステル、シクロヘキサン−１，２−ジカルボン酸イソドデシル−ｎ−オクチルエステル、シクロヘキサン−１，２−ジカルボン酸−ｎ−トリデシル−ｎ−オクチルエステル、シクロヘキサン−１，２−ジカルボン酸イソトリデシル−ｎ−オクチルエステル、シクロヘキサン−１，２−ジカルボン酸−（２−エチルヘキシル）イソオクチルエステル、シクロヘキサン−１，２−ジカルボン酸−ｎ−ノニルイソオクチルエステル、シクロヘキサン−１，２−ジカルボン酸イソノニルイソオクチルエステル、シクロヘキサン−１，２−ジカルボン酸−（２−プロピルヘプチル）イソオクチルエステル、シクロヘキサン−１，２−ジカルボン酸−ｎ−デシルイソオクチルエステル、シクロヘキサン−１，２−ジカルボン酸イソデシルイソオクチルエステル、シクロヘキサン−１，２−ジカルボン酸−ｎ−ウンデシルイソオクチルエステル、シクロヘキサン−１，２−ジカルボン酸イソウンデシルイソオクチルエステル、シクロヘキサン−１，２−ジカルボン酸−ｎ−ドデシルイソオクチルエステル、シクロヘキサン−１，２−ジカルボン酸イソドデシルイソオクチルエステル、シクロヘキサン−１，２−ジカルボン酸−ｎ−トリデシルイソオクチルエステル、シクロヘキサン−１，２−ジカルボン酸イソトリデシルイソオクチルエステル、
シクロヘキサン−１，２−ジカルボン酸−ｎ−ノニル−（２−エチルヘキシル）エステル、シクロヘキサン−１，２−ジカルボン酸イソノニル−（２−エチルヘキシル）エステル、シクロヘキサン−１，２−ジカルボン酸−（２−プロピルヘプチル）−（２−エチルヘキシル）エステル、シクロヘキサン−１，２−ジカルボン酸−ｎ−デシル−（２−エチルヘキシル）エステル、シクロヘキサン−１，２−ジカルボン酸イソデシル−（２−エチルヘキシル）エステル、シクロヘキサン−１，２−ジカルボン酸−ｎ−ウンデシル−（２−エチルヘキシル）エステル、シクロヘキサン−１，２−ジカルボン酸イソウンデシル−（２−エチルヘキシル）エステル、シクロヘキサン−１，２−ジカルボン酸−ｎ−ドデシル（２−エチルヘキシル）エステル、シクロヘキサン−１，２−ジカルボン酸イソドデシル−（２−エチルヘキシル）エステル、シクロヘキサン−１，２−ジカルボン酸−ｎ−トリデシル−（２−エチルヘキシル）エステル、シクロヘキサン−１，２−ジカルボン酸イソトリデシル−（２−エチルヘキシル）エステル、シクロヘキサン−１，２−ジカルボン酸イソノニル−ｎ−ノニルエステル、シクロヘキサン−１，２−ジカルボン酸−（２−プロピルヘプチル）−ｎ−ノニルエステル、シクロヘキサン−１，２−ジカルボン酸−ｎ−デシル−ｎ−ノニルエステル、シクロヘキサン−１，２−ジカルボン酸イソデシル−ｎ−ノニルエステル、シクロヘキサン−１，２−ジカルボン酸−ｎ−ウンデシル−ｎ−ノニルエステル、シクロヘキサン−１，２−ジカルボン酸イソウンデシル−ｎ−ノニルエステル、シクロヘキサン−１，２−ジカルボン酸−ｎ−ドデシル−ｎ−ノニルエステル、シクロヘキサン−１，２−ジカルボン酸イソドデシル−ｎ−ノニルエステル、シクロヘキサン−１，２−ジカルボン酸−ｎ−トリデシル−ｎ−ノニルエステル、シクロヘキサン−１，２−ジカルボン酸イソトリデシル−ｎ−ノニルエステル、シクロヘキサン−１，２−ジカルボン酸−（２−プロピルヘプチル）イソノニルエステル、シクロヘキサン−１，２−ジカルボン酸−ｎ−デシルイソノニルエステル、シクロヘキサン−１，２−ジカルボン酸イソデシルイソノニルエステル、シクロヘキサン−１，２−ジカルボン酸−ｎ−ウンデシルイソノニルエステル、シクロヘキサン−１，２−ジカルボン酸イソウンデシルイソノニルエステル、シクロヘキサン−１，２−ジカルボン酸−ｎ−ドデシルイソノニルエステル、シクロヘキサン−１，２−ジカルボン酸イソドデシルイソノニルエステル、シクロヘキサン−１，２−ジカルボン酸−ｎ−トリデシルイソノニルエステル、シクロヘキサン−１，２−ジカルボン酸イソトリデシルイソノニルエステル、シクロヘキサン−１，２−ジカルボン酸−ｎ−デシル−（２−プロピルヘプチル）エステル、シクロヘキサン−１，２−ジカルボン酸イソデシル−（２−プロピルヘプチル）エステル、シクロヘキサン−１，２−ジカルボン酸−ｎ−ウンデシル−（２−プロピルヘプチル）エステル、シクロヘキサン−１，２−ジカルボン酸イソウンデシル−（２−プロピルヘプチル）エステル、シクロヘキサン−１，２−ジカルボン酸−ｎ−ドデシル−（２−プロピルヘプチル）エステル、シクロヘキサン−１，２−ジカルボン酸イソドデシル−（２−プロピルヘプチル）エステル、シクロヘキサン−１，２−ジカルボン酸−ｎ−トリデシル−（２−プロピルヘプチル）エステル、シクロヘキサン−１，２−ジカルボン酸イソトリデシル−（２−プロピルヘプチル）エステル、シクロヘキサン−１，２−ジカルボン酸イソデシル−ｎ−デシルエステル、シクロヘキサン−１，２−ジカルボン酸−ｎ−ウンデシル−デシルエステル、シクロヘキサン−１，２−ジカルボン酸イソウンデシル−ｎ−デシルエステル、シクロヘキサン−１，２−ジカルボン酸−ｎ−ドデシル−ｎ−デシルエステル、シクロヘキサン−１，２−ジカルボン酸イソドデシル−ｎ−デシルエステル、シクロヘキサン−１，２−ジカルボン酸−ｎ−トリデシル−ｎ−デシルエステル、シクロヘキサン−１，２−ジカルボン酸イソトリデシル−ｎ−デシルエステル、シクロヘキサン−１，２−ジカルボン酸−ｎ−ウンデシルイソデシルエステル、シクロヘキサン−１，２−ジカルボン酸イソウンデシルイソデシルエステル、シクロヘキサン−１，２−ジカルボン酸−ｎ−ドデシルイソデシルエステル、シクロヘキサン−１，２−ジカルボン酸イソドデシルイソデシルエステル、シクロヘキサン−１，２−ジカルボン酸−ｎ−トリデシルイソデシルエステル、シクロヘキサン−１，２−ジカルボン酸イソトリデシルイソデシルエステル、シクロヘキサン−１，２−ジカルボン酸イソウンデシル−ｎ−ウンデシルエステル、シクロヘキサン−１，２−ジカルボン酸−ｎ−ドデシル−ｎ−ウンデシルエステル、シクロヘキサン−１，２−ジカルボン酸イソドデシル−ｎ−ウンデシルエステル、シクロヘキサン−１，２−ジカルボン酸−ｎ−トリデシル−ｎ−ウンデシルエステル、シクロヘキサン−１，２−ジカルボン酸イソトリデシル−ｎ−ウンデシルエステル、シクロヘキサン−１，２−ジカルボン酸−ｎ−ドデシルイソウンデシルエステル、シクロヘキサン−１，２−ジカルボン酸イソドデシルイソウンデシルエステル、シクロヘキサン−１，２−ジカルボン酸−ｎ−トリデシルイソウンデシルエステル、シクロヘキサン−１，２−ジカルボン酸イソトリデシルイソウンデシルエステル、シクロヘキサン−１，２−ジカルボン酸イソドデシル−ｎ−ドデシルエステル、シクロヘキサン−１，２−ジカルボン酸−ｎ−トリデシル−ｎ−ドデシルエステル、シクロヘキサン−１，２−ジカルボン酸イソトリデシル−ｎ−ドデシルエステル、シクロヘキサン−１，２−ジカルボン酸−ｎ−トリデシルイソドデシルエステル、シクロヘキサン−１，２−ジカルボン酸イソトリデシルイソドデシルエステル、シクロヘキサン−１，２−ジカルボン酸イソトリデシル−ｎ−トリデシルエステル、シクロヘキサン−１，２−ジカルボン酸メチルシクロヘキシルエステル、シクロヘキサン−１，２−ジカルボン酸エチルシクロヘキシルエステル、シクロヘキサン−１，２−ジカルボン酸−ｎ−プロピルシクロヘキシルエステル、シクロヘキサン−１，２−ジカルボン酸イソプロピルシクロヘキシルエステル、シクロヘキサン−１，２−ジカルボン酸−ｎ−ブチルシクロヘキシルエステル、シクロヘキサン−１，２−ジカルボン酸−ｔ−ブチルシクロヘキシルエステル、シクロヘキサン−１，２−ジカルボン酸イソブチルシクロヘキシルエステル、シクロヘキサン−１，２−ジカルボン酸グリコールシクロヘキシルエステル、シクロヘキサン−１，２−ジカルボン酸−ｎ−ヘキシルシクロヘキシルエステル、シクロヘキサン−１，２−ジカルボン酸イソヘキシルシクロヘキシルエステル、シクロヘキサン−１，２−ジカルボン酸−ｎ−ヘプチルシクロヘキシルエステル、シクロヘキサン−１，２−ジカルボン酸イソヘプチルシクロヘキシルエステル、シクロヘキサン−１，２−ジカルボン酸−ｎ−オクチルシクロヘキシルエステル、シクロヘキサン−１，２−ジカルボン酸イソオクチルシクロヘキシルエステル、シクロヘキサン−１，２−ジカルボン酸−（２−エチルヘキシル）シクロヘキシルエステル、シクロヘキサン−１，２−ジカルボン酸−ｎ−ノニルシクロヘキシルエステル、シクロヘキサン−１，２−ジカルボン酸イソノニルシクロヘキシルエステル、シクロヘキサン−１，２−ジカルボン酸−（２−プロピルヘプチル）シクロヘキシルエステル、シクロヘキサン−１，２−ジカルボン酸−ｎ−デシルシクロヘキシルエステル、シクロヘキサン−１，２−ジカルボン酸イソデシルシクロヘキシルエステル、シクロヘキサン−１，２−ジカルボン酸−ｎ−ウンデシルシクロヘキシルエステル、シクロヘキサン−１，２−ジカルボン酸イソウンデシルシクロヘキシルエステル、シクロヘキサン−１，２−ジカルボン酸−ｎ−ドデシルシクロヘキシルエステル、シクロヘキサン−１，２−ジカルボン酸イソドデシルシクロヘキシルエステル、シクロヘキサン−１，２−ジカルボン酸−ｎ−トリデシルシクロヘキシルエステル、シクロヘキサン−１，２−ジカルボン酸イソトリデシルシクロヘキシルエステル、シクロヘキサン−１，２−ジカルボン酸メチルイソペンチルエステル、シクロヘキサン−１，２−ジカルボン酸エチルイソペンチルエステル、シクロヘキサン−１，２−ジカルボン酸−ｎ−プロピルイソペンチルエステル、シクロヘキサン−１，２−ジカルボン酸イソプロピルイソペンチルエステル、シクロヘキサン−１，２−ジカルボン酸−ｎ−ブチルイソペンチルエステル、シクロヘキサン−１，２−ジカルボン酸−ｔ−ブチルイソペンチルエステル、シクロヘキサン−１，２−ジカルボン酸イソブチルイソペンチルエステル、シクロヘキサン−１，２−ジカルボン酸グリコールイソペンチルエステル、シクロヘキサン−１，２−ジカルボン酸−ｎ−ヘキシルイソペンチルエステル、シクロヘキサン−１，２−ジカルボン酸イソヘキシルイソペンチルエステル、シクロヘキサン−１，２−ジカルボン酸−ｎ−ヘプチルイソペンチルエステル、シクロヘキサン−１，２−ジカルボン酸イソヘプチルイソペンチルエステル、シクロヘキサン−１，２−ジカルボン酸−ｎ−オクチルイソペンチルエステル、シクロヘキサン−１，２−ジカルボン酸イソオクチルイソペンチルエステル、シクロヘキサン−１，２−ジカルボン酸−（２−エチルヘキシル）イソペンチルエステル、シクロヘキサン−１，２−ジカルボン酸−ｎ−ノニルイソペンチルエステル、シクロヘキサン−１，２−ジカルボン酸イソノニルイソペンチルエステル、シクロヘキサン−１，２−ジカルボン酸−（２−プロピルヘプチル）イソペンチルエステル、シクロヘキサン−１，２−ジカルボン酸−ｎ−デシルイソペンチルエステル、シクロヘキサン−１，２−ジカルボン酸イソデシルイソペンチルエステル、シクロヘキサン−１，２−ジカルボン酸−ｎ−ウンデシルイソペンチルエステル、シクロヘキサン−１，２−ジカルボン酸イソウンデシルイソペンチルエステル、シクロヘキサン−１，２−ジカルボン酸−ｎ−ドデシルイソペンチルエステル、シクロヘキサン−１，２−ジカルボン酸イソドデシルイソペンチルエステル、シクロヘキサン−１，２−ジカルボン酸−ｎ−トリデシルイソペンチルエステル、シクロヘキサン−１，２−ジカルボン酸イソトリデシルイソペンチルエステル、シクロヘキサン−１，２−ジカルボン酸メチル−ｎ−ペンチルエステル、シクロヘキサン−１，２−ジカルボン酸エチル−ｎ−ペンチルエステル、シクロヘキサン−１，２−ジカルボン酸−ｎ−プロピル−ｎ−ペンチルエステル、シクロヘキサン−１，２−ジカルボン酸イソプロピル−ｎ−ペンチルエステル、シクロヘキサン−１，２−ジカルボン酸−ｎ−ブチル−ｎ−ブチル−ｎ−ペンチルエステル、
シクロヘキサン−１，２−ジカルボン酸−ｔ−ブチル−ｎ−ペンチルエステル、シクロヘキサン−１，２−ジカルボン酸イソブチル−ｎ−ペンチルエステル、シクロヘキサン−１，２−ジカルボン酸グリコール−ｎ−ペンチルエステル、シクロヘキサン−１，２−ジカルボン酸−ｎ−ヘキシル−ｎ−ペンチルエステル、シクロヘキサン−１，２−ジカルボン酸イソヘキシル−ｎ−ペンチルエステル、シクロヘキサン−１，２−ジカルボン酸−ｎ−ヘプチル−ｎ−ペンチルエステル、シクロヘキサン−１，２−ジカルボン酸イソヘプチル−ｎ−ペンチルエステル、シクロヘキサン−１，２−ジカルボン酸−ｎ−オクチル−ｎ−ペンチルエステル、シクロヘキサン−１，２−ジカルボン酸イソオクチル−ｎ−ペンチルエステル、シクロヘキサン−１，２−ジカルボン酸−（２−エチルヘキシル）−ｎ−ペンシルエステル、シクロヘキサン−１，２−ジカルボン酸−ｎ−ノニル−ｎ−ペンチルエステル、シクロヘキサン−１，２−ジカルボン酸イソノニル−ｎ−ペンチルエステル、シクロヘキサン−１，２−ジカルボン酸−（２−プロピルヘプチル）−ｎ−ペンチルエステル、シクロヘキサン−１，２−ジカルボン酸−ｎ−デシル−ｎ−ペンチルエステル、シクロヘキサン−１，２−ジカルボン酸イソデシル−ｎ−ペンチルエステル、シクロヘキサン−１，２−ジカルボン酸−ｎ−ウンデシル−ｎ−ペンチルエステル、シクロヘキサン−１，２−ジカルボン酸イソウンデシル−ｎ−ペンチルエステル、シクロヘキサン−１，２−ジカルボン酸−ｎ−ドデシル−ｎ−ペンチルエステル、シクロヘキサン−１，２−ジカルボン酸イソドデシル−ｎ−ペンチルエステル、シクロヘキサン−１，２−ジカルボン酸−ｎ−トリデシル−ｎ−ペンチルエステル、シクロヘキサン−１，２−ジカルボン酸イソトリデシル−ｎ−ペンチルエステル；
シクロヘキサン−１，３−ジカルボン酸とＣ１〜Ｃ１３アルコールとの混合エステル、例えば、シクロヘキサン−１，３−ジカルボン酸エチルメチルエステル、シクロヘキサン−１，３−ジカルボン酸−ｎ−プロピルメチルエステル、シクロヘキサン−１，３−ジカルボン酸イソプロピルメチルエステル、シクロヘキサン−１，３−ジカルボン酸−ｎ−ブチルメチルエステル、シクロヘキサン−１，３−ジカルボン酸−ｔ−ブチルメチルエステル、シクロヘキサン−１，３−ジカルボン酸−イソブチルメチルエステル、シクロヘキサン−１，３−ジカルボン酸グリコールメチルエステル、シクロヘキサン−１，３−ジカルボン酸−ｎ−ヘキシルメチルエステル、シクロヘキサン−１，３−ジカルボン酸イソヘキシルメチルエステル、シクロヘキサン−１，３−ジカルボン酸−ｎ−ヘプチルメチルエステル、シクロヘキサン−１，３−ジカルボン酸イソヘプチルメチルエステル、シクロヘキサン−１，３−ジカルボン酸−ｎ−オクチルメチルエステル、シクロヘキサン−１，３−ジカルボン酸イソオクチルメチルエステル、シクロヘキサン−１，３−ジカルボン酸−（２−エチルヘキシル）メチルエステル、シクロヘキサン−１，３−ジカルボン酸−ｎ−ノニルメチルエステル、シクロヘキサン−１，３−ジカルボン酸イソノニルメチルエステル、シクロヘキサン−１，３−ジカルボン酸−（２−プロピルヘプチル）メチルエステル、シクロヘキサン−１，３−ジカルボン酸−ｎ−デシルメチルエステル、シクロヘキサン−１，３−ジカルボン酸イソデシルメチルエステル、シクロヘキサン−１，３−ジカルボン酸−ｎ−ウンデシルメチルエステル、シクロヘキサン−１，３−ジカルボン酸イソウンデシルメチルエステル、シクロヘキサン−１，３−ジカルボン酸−ｎ−ドデシルメチルエステル、シクロヘキサン−１，３−ジカルボン酸イソドデシルメチルエステル、シクロヘキサン−１，３−ジカルボン酸−ｎ−トリデシルメチルエステル、シクロヘキサン−１，３−ジカルボン酸イソトリデシルメチルエステル、シクロヘキサン−１，３−ジカルボン酸−ｎ−プロピルエチルエステル、シクロヘキサン−１，３−ジカルボン酸イソプロピルエチルエステル、シクロヘキサン−１，３−ジカルボン酸−ｎ−ブチルエチルエステル、シクロヘキサン−１，３−ジカルボン酸−ｔ−ブチルエチルエステル、シクロヘキサン−１，３−ジカルボン酸イソブチルエチルエステル、シクロヘキサン−１，３−ジカルボン酸グリコールエチルエステル、シクロヘキサン−１，３−ジカルボン酸−ｎ−ヘキシルエチルエステル、シクロヘキサン−１，３−ジカルボン酸イソヘキシルエチルエステル、シクロヘキサン−１，３−ジカルボン酸−ｎ−ヘプチルエチルエステル、シクロヘキサン−１，３−ジカルボン酸イソヘプチルエチルエステル、シクロヘキサン−１，３−ジカルボン酸−ｎ−オクチルエチルエステル、シクロヘキサン−１，３−ジカルボン酸イソオクチルエチルエステル、シクロヘキサン−１，３−ジカルボン酸−（２−エチルヘキシル）エチルエステル、シクロヘキサン−１，３−ジカルボン酸−ｎ−ノニルエチルエステル、シクロヘキサン−１，３−ジカルボン酸イソノニルエチルエステル、シクロヘキサン−１，３−ジカルボン酸−（２−プロピルヘプチル）エチルエステル、シクロヘキサン−１，３−ジカルボン酸−ｎ−デシルエチルエステル、シクロヘキサン−１，３−ジカルボン酸イソデシルエチルエステル、シクロヘキサン−１，３−ジカルボン酸−ｎ−ウンデシルエチルエステル、シクロヘキサン−１，３−ジカルボン酸イソウンデシルエチルエステル、シクロヘキサン−１，３−ジカルボン酸−ｎ−ドデシルエチルエステル、シクロヘキサン−１，３−ジカルボン酸イソドデシルエチルエステル、シクロヘキサン−１，３−ジカルボン酸−ｎ−トリデシルエチルエステル、シクロヘキサン−１，３−ジカルボン酸イソトリデシルエチルエステル、シクロヘキサン−１，３−ジカルボン酸イソプロピル−ｎ−プロピルエステル、シクロヘキサン−１，３−ジカルボン酸−ｎ−ブチル−ｎ−プロピルエステル、シクロヘキサン−１，３−ジカルボン酸−ｔ−ブチル−ｎ−プロピルエステル、シクロヘキサン−１，３−ジカルボン酸イソブチル−ｎ−プロピルエステル、シクロヘキサン−１，３−ジカルボン酸グリコール−ｎ−プロピルエステル、シクロヘキサン−１，３−ジカルボン酸−ｎ−ヘキシル−ｎ−プロピルエステル、シクロヘキサン−１，３−ジカルボン酸イソヘキシル−ｎ−プロピルエステル、シクロヘキサン−１，３−ジカルボン酸−ｎ−ヘプチル−ｎ−プロピルエステル、シクロヘキサン−１，３−ジカルボン酸イソヘプチル−ｎ−プロピルエステル、シクロヘキサン−１，３−ジカルボン酸−ｎ−オクチル−ｎ−プロピルエステル、シクロヘキサン−１，３−ジカルボン酸イソオクチル−ｎ−プロピルエステル、シクロヘキサン−１，３−ジカルボン酸−（２−エチルヘキシル）−ｎ−プロピルエステル、シクロヘキサン−１，３−ジカルボン酸−ｎ−ノニル−ｎ−プロピルエステル、シクロヘキサン−１，３−ジカルボン酸イソノニル−ｎ−プロピルエステル、シクロヘキサン−１，３−ジカルボン酸−（２−プロピルヘプチル）−ｎ−プロピルエステル、シクロヘキサン−１，３−ジカルボン酸−ｎ−デシル−ｎ−プロピルエステル、シクロヘキサン−１，３−ジカルボン酸イソデシル−ｎ−プロピルエステル、シクロヘキサン−１，３−ジカルボン酸−ｎ−ウンデシル−ｎ−プロピルエステル、シクロヘキサン−１，３−ジカルボン酸イソウンデシル−ｎ−プロピルエステル、シクロヘキサン−１，３−ジカルボン酸−ｎ−ドデシル−ｎ−プロピルエステル、シクロヘキサン−１，３−ジカルボン酸イソドデシル−ｎ−プロピルエステル、シクロヘキサン−１，３−ジカルボン酸−ｎ−トリデシル−ｎ−プロピルエステル、シクロヘキサン−１，３−ジカルボン酸イソトリデシル−ｎ−プロピルエステル、シクロヘキサン−１，３−ジカルボン酸−ｎ−ブチルイソプロピルエステル、シクロヘキサン−１，３−ジカルボン酸−ｔ−ブチルイソプロピルエステル、シクロヘキサン−１，３−ジカルボン酸イソブチルイソプロピルエステル、シクロヘキサン−１，３−ジカルボン酸グリコールイソプロピルエステル、シクロヘキサン−１，３−ジカルボン酸−ｎ−ヘキシルイソプロピルエステル、シクロヘキサン−１，３−ジカルボン酸イソヘキシルイソプロピルエステル、シクロヘキサン−１，３−ジカルボン酸−ｎ−ヘプチルイソプロピルエステル、シクロヘキサン−１，３−ジカルボン酸イソヘプチルイソプロピルエステル、シクロヘキサン−１，３−ジカルボン酸−ｎ−オクチルイソプロピルエステル、シクロヘキサン−１，３−ジカルボン酸イソオクチルイソプロピルエステル、シクロヘキサン−１，３−ジカルボン酸−（２−エチルヘキシル）イソプロピルエステル、シクロヘキサン−１，３−ジカルボン酸−ｎ−ノニルイソプロピルエステル、シクロヘキサン−１，３−ジカルボン酸イソノニルイソプロピルエステル、シクロヘキサン−１，３−ジカルボン酸−（２−プロピルヘプチル）イソプロピルエステル、シクロヘキサン−１，３−ジカルボン酸−ｎ−デシルイソプロピルエステル、シクロヘキサン−１，３−ジカルボン酸イソデシルイソプロピルエステル、シクロヘキサン−１，３−ジカルボン酸−ｎ−ウンデシルイソプロピルエステル、シクロヘキサン−１，３−ジカルボン酸イソウンデシルイソプロピルエステル、シクロヘキサン−１，３−ジカルボン酸−ｎ−ドデシルイソプロピルエステル、シクロヘキサン−１，３−ジカルボン酸イソドデシルイソプロピルエステル、シクロヘキサン−１，３−ジカルボン酸−ｎ−トリデシルイソプロピルエステル、シクロヘキサン−１，３−ジカルボン酸イソトリデシルイソプロピルエステル、シクロヘキサン−１，３−ジカルボン酸−ｔ−ブチル−ｎ−ブチルエステル、シクロヘキサン−１，３−ジカルボン酸イソブチル−ｎ−ブチルエステル、シクロヘキサン−１，３−ジカルボン酸グリコール−ｎ−ブチルエステル、シクロヘキサン−１，３−ジカルボン酸−ｎ−ヘキシル−ｎ−ブチルエステル、シクロヘキサン−１，３−ジカルボン酸イソヘキシル−ｎ−ブチルエステル、シクロヘキサン−１，３−ジカルボン酸−ｎ−ヘプチル−ｎ−ブチルエステル、シクロヘキサン−１，３−ジカルボン酸イソヘプチル−ｎ−ブチルエステル、シクロヘキサン−１，３−ジカルボン酸−ｎ−オクチル−ｎ−ブチルエステル、シクロヘキサン−１，３−ジカルボン酸イソオクチル−ｎ−ブチルエステル、シクロヘキサン−１，３−ジカルボン酸−（２−エチルヘキシル）−ｎ−ブチルエステル、シクロヘキサン−１，３−ジカルボン酸−ｎ−ノニル−ｎ−ブチルエステル、シクロヘキサン−１，３−ジカルボン酸イソノニル−ｎ−ブチルエステル、シクロヘキサン−１，３−ジカルボン酸−（２−プロピルヘプチル）−ｎ−ブチルエステル、シクロヘキサン−１，３−ジカルボン酸−ｎ−デシル−ｎ−ブチルエステル、シクロヘキサン−１，３−ジカルボン酸イソデシル−ｎ−ブチルエステル、シクロヘキサン−１，３−ジカルボン酸−ｎ−ウンデシル−ｎ−ブチルエステル、シクロヘキサン−１，３−ジカルボン酸イソウンデシル−ｎ−ブチルエステル、シクロヘキサン−１，３−ジカルボン酸−ｎ−ドデシルｎ−ブチルエステル、シクロヘキサン−１，３−ジカルボン酸イソドデシル−ｎ−ブチルエステル、シクロヘキサン−１，３−ジカルボン酸−ｎ−トリデシル−ｎ−ブチルエステル、シクロヘキサン−１，３−ジカルボン酸イソトリデシル−ｎ−ブチルエステル、シクロヘキサン−１，３−ジカルボン酸イソブチル−ｔ−ブチルエステル、シクロヘキサン−１，３−ジカルボン酸グリコール−ｔ−ブチルエステル、シクロヘキサン−１，３−ジカルボン酸−ｎ−ヘキシル−ｔ−ブチルエステル、シクロヘキサン−１，３−ジカルボン酸イソヘキシル−ｔ−ブチルエステル、シクロヘキサン−１，３−ジカルボン酸−ｎ−ヘプチル−ｔ−ブチルエステル、シクロヘキサン−１，３−ジカルボン酸イソヘプチル−ｔ−ブチルエステル、シクロヘキサン−１，３−ジカルボン酸−ｎ−オクチル−ｔ−ブチルエステル、シクロヘキサン−１，３−ジカルボン酸イソオクチル−ｔ−ブチルエステル、シクロヘキサン−１，３−ジカルボン酸−（２−エチルヘキシル）−ｔ−ブチルエステル、
シクロヘキサン−１，３−ジカルボン酸−ｎ−ノニル−ｔ−ブチルエステル、シクロヘキサン−１，３−ジカルボン酸イソノニル−ｔ−ブチルエステル、シクロヘキサン−１，３−ジカルボン酸−（２−プロピルヘプチル）−ｔ−ブチルエステル、シクロヘキサン−１，３−ジカルボン酸−ｎ−デシル−ｔ−ブチルエステル、シクロヘキサン−１，３−ジカルボン酸イソデシル−ｔ−ブチルエステル、シクロヘキサン−１，３−ジカルボン酸−ｎ−ウンデシル−ｔ−ブチルエステル、シクロヘキサン−１，３−ジカルボン酸イソウンデシル−ｔ−ブチルエステル、シクロヘキサン−１，３−ジカルボン酸−ｎ−ドデシル−ｔ−ブチルエステル、シクロヘキサン−１，３−ジカルボン酸イソドデシル−ｔ−ブチルエステル、シクロヘキサン−１，３−ジカルボン酸−ｎ−トリデシル−ｔ−ブチルエステル、シクロヘキサン−１，３−ジカルボン酸イソトリデシル−ｔ−ブチルエステル、シクロヘキサン−１，３−ジカルボン酸グリコールイソブチルエステル、シクロヘキサン−１，３−ジカルボン酸−ｎ−ヘキシルイソブチルエステル、シクロヘキサン−１，３−ジカルボン酸イソヘキシルイソブチルエステル、シクロヘキサン−１，３−ジカルボン酸−ｎ−ヘプチルイソブチルエステル、シクロヘキサン−１，３−ジカルボン酸イソヘプチルイソブチルエステル、シクロヘキサン−１，３−ジカルボン酸−ｎ−オクチルイソブチルエステル、シクロヘキサン−１，３−ジカルボン酸イソオクチルイソブチルエステル、シクロヘキサン−１，３−ジカルボン酸−（２−エチルヘキシル）イソブチルエステル、シクロヘキサン−１，３−ジカルボン酸−ｎ−ノニルイソブチルエステル、シクロヘキサン−１，３−ジカルボン酸イソノニルイソブチルエステル、シクロヘキサン−１，３−ジカルボン酸−（２−プロピルヘプチル）イソブチルエステル、シクロヘキサン−１，３−ジカルボン酸−ｎ−デシルイソブチルエステル、シクロヘキサン−１，３−ジカルボン酸イソデシルイソブチルエステル、シクロヘキサン−１，３−ジカルボン酸−ｎ−ウンデシルイソブチルエステル、シクロヘキサン−１，３−ジカルボン酸イソウンデシルイソブチルエステル、シクロヘキサン−１，３−ジカルボン酸−ｎ−ドデシルイソブチルエステル、シクロヘキサン−１，３−ジカルボン酸イソドデシルイソブチルエステル、シクロヘキサン−１，３−ジカルボン酸−ｎ−トリデシルイソブチルエステル、シクロヘキサン−１，３−ジカルボン酸イソトリデシルイソブチルエステル、シクロヘキサン−１，３−ジカルボン酸−ｎ−ヘキシルグリコールエステル、シクロヘキサン−１，３−ジカルボン酸イソヘキシルグリコールエステル、シクロヘキサン−１，３−ジカルボン酸−ｎ−ヘプチルグリコールエステル、シクロヘキサン−１，３−ジカルボン酸イソヘプチルグリコールエステル、シクロヘキサン−１，３−ジカルボン酸−ｎ−オクチルグリコールエステル、シクロヘキサン−１，３−ジカルボン酸イソオクチルグリコールエステル、シクロヘキサン−１，３−ジカルボン酸−（２−エチルヘキシル）グリコールエステル、シクロヘキサン−１，３−ジカルボン酸−ｎ−ノニルグリコールエステル、シクロヘキサン−１，３−ジカルボン酸イソノニルグリコールエステル、シクロヘキサン−１，３−ジカルボン酸−（２−プロピルヘプチル）グリコールエステル、シクロヘキサン−１，３−ジカルボン酸−ｎ−デシルグリコールエステル、シクロヘキサン−１，３−ジカルボン酸イソデシルグリコールエステル、シクロヘキサン−１，３−ジカルボン酸−ｎ−ウンデシルグリコールエステル、シクロヘキサン−１，３−ジカルボン酸イソウンデシルグリコールエステル、シクロヘキサン−１，３−ジカルボン酸−ｎ−ドデシルグリコールエステル、シクロヘキサン−１，３−ジカルボン酸イソドデシルグリコールエステル、シクロヘキサン−１，３−ジカルボン酸−ｎ−トリデシルグリコールエステル、シクロヘキサン−１，３−ジカルボン酸イソトリデシルグリコールエステル、シクロヘキサン−１，３−ジカルボン酸イソヘキシル−ｎ−ヘキシルエステル、シクロヘキサン−１，３−ジカルボン酸−ｎ−ヘプチル−ｎ−ヘキシルエステル、シクロヘキサン−１，３−ジカルボン酸イソヘプチル−ｎ−ヘキシルエステル、シクロヘキサン−１，３−ジカルボン酸−ｎ−オクチル−ｎ−ヘキシルエステル、シクロヘキサン−１，３−ジカルボン酸イソオクチル−ｎ−ヘキシルエステル、シクロヘキサン−１，３−ジカルボン酸−（２−エチルヘキシル）−ｎ−ヘキシルエステル、シクロヘキサン−１，３−ジカルボン酸−ｎ−ノニル−ｎ−ヘキシルエステル、シクロヘキサン−１，３−ジカルボン酸イソノニル−ｎ−ヘキシルエステル、シクロヘキサン−１，３−ジカルボン酸−（２−プロピルヘプチル）−ｎ−ヘキシルエステル、シクロヘキサン−１，３−ジカルボン酸−ｎ−デシル−ｎ−ヘキシルエステル、シクロヘキサン−１，３−ジカルボン酸イソデシル−ｎ−ヘキシルエステル、シクロヘキサン−１，３−ジカルボン酸−ｎ−ウンデシル−ｎ−ヘキシルエステル、シクロヘキサン−１，３−ジカルボン酸イソウンデシル−ｎ−ヘキシルエステル、シクロヘキサン−１，３−ジカルボン酸−ｎ−ドデシル−ｎ−ヘキシルエステル、シクロヘキサン−１，３−ジカルボン酸イソドデシル−ｎ−ヘキシルエステル、シクロヘキサン−１，３−ジカルボン酸−ｎ−トリデシル−ｎ−ヘキシルエステル、シクロヘキサン−１，３−ジカルボン酸イソトリデシル−ｎ−ヘキシルエステル、シクロヘキサン−１，３−ジカルボン酸−ｎ−ヘプチルイソヘキシルエステル、シクロヘキサン−１，３−ジカルボン酸イソヘプチルイソヘキシルエステル、シクロヘキサン−１，３−ジカルボン酸−ｎ−オクチルイソヘキシルエステル、シクロヘキサン−１，３−ジカルボン酸イソオクチルイソヘキシルエステル、シクロヘキサン−１，３−ジカルボン酸−（２−エチルヘキシル）イソヘキシルエステル、シクロヘキサン−１，３−ジカルボン酸−ｎ−ノニルヘキシルエステル、シクロヘキサン−１，３−ジカルボン酸イソノニルイソヘキシルエステル、シクロヘキサン−１，３−ジカルボン酸−（２−プロピルヘプチル）イソヘキシルエステル、シクロヘキサン−１，３−ジカルボン酸−ｎ−デシルイソヘキシルエステル、シクロヘキサン−１，３−ジカルボン酸イソデシルイソヘキシルエステル、シクロヘキサン−１，３−ジカルボン酸−ｎ−ウンデシルイソヘキシルエステル、シクロヘキサン−１，３−ジカルボン酸イソウンデシルイソヘキシルエステル、シクロヘキサン−１，３−ジカルボン酸−ｎ−ドデシルイソヘキシルエステル、シクロヘキサン−１，３−ジカルボン酸イソドデシルイソヘキシルエステル、シクロヘキサン−１，３−ジカルボン酸−ｎ−トリデシルイソヘキシルエステル、シクロヘキサン−１，３−ジカルボン酸イソトリデシルイソヘキシルエステル、シクロヘキサン−１，３−ジカルボン酸イソヘプチル−ｎ−ヘプチルエステル、シクロヘキサン−１，３−ジカルボン酸−ｎ−オクチル−ｎ−ヘプチルエステル、シクロヘキサン−１，３−ジカルボン酸イソオクチル−ｎ−ヘプチルエステル、シクロヘキサン−１，３−ジカルボン酸−（２−エチルヘキシル）−ｎ−ヘプチルエステル、シクロヘキサン−１，３−ジカルボン酸−ｎ−ノニル−ｎ−ヘプチルエステル、シクロヘキサン−１，３−ジカルボン酸イソノニル−ｎ−ヘプチルエステル、シクロヘキサン−１，３−ジカルボン酸−（２−プロピルヘプチル）−ｎ−ヘプチルエステル、シクロヘキサン−１，３−ジカルボン酸−ｎ−デシル−ｎ−ヘプチルエステル、シクロヘキサン−１，３−ジカルボン酸イソデシル−ｎ−ヘプチルエステル、シクロヘキサン−１，３−ジカルボン酸−ｎ−ウンデシル−ｎ−ヘプチルエステル、
シクロヘキサン−１，３−ジカルボン酸イソウンデシル−ｎ−ヘプチルエステル、シクロヘキサン−１，３−ジカルボン酸−ｎ−ドデシル−ｎ−ヘプチルエステル、シクロヘキサン−１，３−ジカルボン酸イソドデシル−ｎ−ヘプチルエステル、シクロヘキサン−１，３−ジカルボン酸−ｎ−トリデシル−ｎ−ヘプチルエステル、シクロヘキサン−１，３−ジカルボン酸イソトリデシル−ｎ−ヘプチルエステル、シクロヘキサン−１，３−ジカルボン酸−ｎ−オクチルイソヘプチルエステル、シクロヘキサン−１，３−ジカルボン酸イソオクチルイソヘプチルエステル、シクロヘキサン−１，３−ジカルボン酸−（２−エチルヘキシル）イソヘプチルエステル、シクロヘキサン−１，３−ジカルボン酸−ｎ−ノニルイソヘプチルエステル、シクロヘキサン−１，３−ジカルボン酸イソノニルイソヘプチルエステル、シクロヘキサン−１，３−ジカルボン酸−（２−プロピルヘプチル）イソヘプチルエステル、シクロヘキサン−１，３−ジカルボン酸−ｎ−デシルイソヘプチルエステル、シクロヘキサン−１，３−ジカルボン酸イソデシルイソヘプチルエステル、シクロヘキサン−１，３−ジカルボン酸−ｎ−ウンデシルイソヘプチルエステル、シクロヘキサン−１，３−ジカルボン酸イソウンデシルイソヘプチルエステル、シクロヘキサン−１，３−ジカルボン酸−ｎ−ドデシルイソヘプチルエステル、シクロヘキサン−１，３−ジカルボン酸イソドデシルイソヘプチルエステル、シクロヘキサン−１，３−ジカルボン酸−ｎ−トリデシルイソヘプチルエステル、シクロヘキサン−１，３−ジカルボン酸イソトリデシルイソヘプチルエステル、シクロヘキサン−１，３−ジカルボン酸イソオクチル−ｎ−オクチルエステル、シクロヘキサン−１，３−ジカルボン酸−（２−エチルヘキシル）−ｎ−オクチルエステル、シクロヘキサン−１，３−ジカルボン酸−ｎ−ノニル−ｎ−オクチルエステル、シクロヘキサン−１，３−ジカルボン酸イソノニル−ｎ−オクチルエステル、シクロヘキサン−１，３−ジカルボン酸−（２−プロピルヘプチル）−ｎ−オクチルエステル、シクロヘキサン−１，３−ジカルボン酸−ｎ−デシル−ｎ−オクチルエステル、シクロヘキサン−１，３−ジカルボン酸イソデシル−ｎ−オクチルエステル、シクロヘキサン−１，３−ジカルボン酸−ｎ−ウンデシル−ｎ−オクチルエステル、シクロヘキサン−１，３−ジカルボン酸イソウンデシル−ｎ−オクチルエステル、シクロヘキサン−１，３−ジカルボン酸−ｎ−ドデシル−ｎ−オクチルエステル、シクロヘキサン−１，３−ジカルボン酸イソドデシル−ｎ−オクチルエステル、シクロヘキサン−１，３−ジカルボン酸−ｎ−トリデシル−ｎ−オクチルエステル、シクロヘキサン−１，３−ジカルボン酸イソトリデシル−ｎ−オクチルエステル、シクロヘキサン−１，３−ジカルボン酸−（２−エチルヘキシル）イソオクチルエステル、シクロヘキサン−１，３−ジカルボン酸−ｎ−ノニルイソオクチルエステル、シクロヘキサン−１，３−ジカルボン酸イソノニルイソオクチルエステル、シクロヘキサン−１，３−ジカルボン酸−（２−プロピルヘプチル）イソオクチルエステル、シクロヘキサン−１，３−ジカルボン酸−ｎ−デシルイソオクチルエステル、シクロヘキサン−１，３−ジカルボン酸イソデシルイソオクチルエステル、シクロヘキサン−１，３−ジカルボン酸−ｎ−ウンデシルイソオクチルエステル、シクロヘキサン−１，３−ジカルボン酸イソウンデシルイソオクチルエステル、シクロヘキサン−１，３−ジカルボン酸−ｎ−ドデシルイソオクチルエステル、シクロヘキサン−１，３−ジカルボン酸イソドデシルイソオクチルエステル、シクロヘキサン−１，３−ジカルボン酸−ｎ−トリデシルイソオクチルエステル、シクロヘキサン−１，３−ジカルボン酸イソトリデシルイソオクチルエステル、シクロヘキサン−１，３−ジカルボン酸−ｎ−ノニル−（２−エチルヘキシル）エステル、シクロヘキサン−１，３−ジカルボン酸イソノニル−（２−エチルヘキシル）エステル、シクロヘキサン−１，３−ジカルボン酸−（２−プロピルヘプチル）−（２−エチルヘキシル）エステル、シクロヘキサン−１，３−ジカルボン酸−ｎ−デシル−（２−エチルヘキシル）エステル、シクロヘキサン−１，３−ジカルボン酸イソデシル−（２−エチルヘキシル）エステル、シクロヘキサン−１，３−ジカルボン酸−ｎ−ウンデシル−（２−エチルヘキシル）エステル、シクロヘキサン−１，３−ジカルボン酸イソウンデシル−（２−エチルヘキシル）エステル、シクロヘキサン−１，３−ジカルボン酸−ｎ−ドデシル（２−エチルヘキシル）エステル、シクロヘキサン−１，３−ジカルボン酸イソドデシル−（２−エチルヘキシル）エステル、シクロヘキサン−１，３−ジカルボン酸−ｎ−トリデシル−（２−エチルヘキシル）エステル、シクロヘキサン−１，３−ジカルボン酸イソトリデシル−（２−エチルヘキシル）エステル、シクロヘキサン−１，３−ジカルボン酸イソノニル−ｎ−ノニルエステル、シクロヘキサン−１，３−ジカルボン酸−（２−プロピルヘプチル）−ｎ−ノニルエステル、シクロヘキサン−１，３−ジカルボン酸−ｎ−デシル−ｎ−ノニルエステル、シクロヘキサン−１，３−ジカルボン酸イソデシル−ｎ−ノニルエステル、シクロヘキサン−１，３−ジカルボン酸−ｎ−ウンデシル−ｎ−ノニルエステル、シクロヘキサン−１，３−ジカルボン酸イソウンデシル−ｎ−ノニルエステル、シクロヘキサン−１，３−ジカルボン酸−ｎ−ドデシル−ｎ−ノニルエステル、シクロヘキサン−１，３−ジカルボン酸イソドデシル−ｎ−ノニルエステル、シクロヘキサン−１，３−ジカルボン酸−ｎ−トリデシル−ｎ−ノニルエステル、シクロヘキサン−１，３−ジカルボン酸イソトリデシル−ｎ−ノニルエステル、シクロヘキサン−１，３−ジカルボン酸−（２−プロピルヘプチル）イソノニルエステル、シクロヘキサン−１，３−ジカルボン酸−ｎ−デシルイソノニルエステル、シクロヘキサン−１，３−ジカルボン酸イソデシルイソノニルエステル、シクロヘキサン−１，３−ジカルボン酸−ｎ−ウンデシルイソノニルエステル、シクロヘキサン−１，３−ジカルボン酸イソウンデシルイソノニルエステル、シクロヘキサン−１，３−ジカルボン酸−ｎ−ドデシルイソノニルエステル、シクロヘキサン−１，３−ジカルボン酸イソドデシルイソノニルエステル、シクロヘキサン−１，３−ジカルボン酸−ｎ−トリデシルイソノニルエステル、シクロヘキサン−１，３−ジカルボン酸イソトリデシルイソノニルエステル、シクロヘキサン−１，３−ジカルボン酸−ｎ−デシル−（２−プロピルヘプチル）エステル、シクロヘキサン−１，３−ジカルボン酸イソデシル−（２−プロピルヘプチル）エステル、シクロヘキサン−１，３−ジカルボン酸−ｎ−ウンデシル−（２−プロピルヘプチル）エステル、シクロヘキサン−１，３−ジカルボン酸イソウンデシル−（２−プロピルヘプチル）エステル、シクロヘキサン−１，３−ジカルボン酸−ｎ−ドデシル（２−プロピルヘプチル）エステル、シクロヘキサン−１，３−ジカルボン酸イソドデシル−（２−プロピルヘプチル）エステル、シクロヘキサン−１，３−ジカルボン酸−ｎ−トリデシル−（２−プロピルヘプチル）エステル、シクロヘキサン−１，３−ジカルボン酸イソトリデシル−（２−プロピルヘプチル）エステル、シクロヘキサン−１，３−ジカルボン酸イソデシル−ｎ−デシルエステル、シクロヘキサン−１，３−ジカルボン酸−ｎ−ウンデシル−ｎ−デシルエステル、シクロヘキサン−１，３−ジカルボン酸イソウンデシル−ｎ−デシルエステル、シクロヘキサン−１，３−ジカルボン酸−ｎ−ドデシル−ｎ−デシルエステル、シクロヘキサン−１，３−ジカルボン酸イソドデシル−ｎ−デシルエステル、シクロヘキサン−１，３−ジカルボン酸−ｎ−トリデシル−ｎ−デシルエステル、シクロヘキサン−１，３−ジカルボン酸イソトリデシル−ｎ−デシルエステル、シクロヘキサン−１，３−ジカルボン酸−ｎ−ウンデシルイソデシルエステル、シクロヘキサン−１，３−ジカルボン酸イソウンデシルイソデシルエステル、シクロヘキサン−１，３−ジカルボン酸−ｎ−ドデシルイソデシルエステル、シクロヘキサン−１，３−ジカルボン酸イソドデシルイソデシルエステル、シクロヘキサン−１，３−ジカルボン酸−ｎ−トリデシルイソデシルエステル、シクロヘキサン−１，３−ジカルボン酸イソトリデシルイソデシルエステル、シクロヘキサン−１，３−ジカルボン酸イソウンデシル−ｎ−ウンデシルエステル、シクロヘキサン−１，３−ジカルボン酸−ｎ−ドデシル−ｎ−ウンデシルエステル、
シクロヘキサン−１，３−ジカルボン酸イソドデシル−ｎ−ウンデシルエステル、シクロヘキサン−１，３−ジカルボン酸−ｎ−トリデシル−ｎ−ウンデシルエステル、シクロヘキサン−１，３−ジカルボン酸イソトリデシル−ｎ−ウンデシルエステル、シクロヘキサン−１，３−ジカルボン酸−ｎ−ドデシルイソウンデシルエステル、シクロヘキサン−１，３−ジカルボン酸イソドデシルイソウンデシルエステル、シクロヘキサン−１，３−ジカルボン酸−ｎ−トリデシルイソウンデシルエステル、シクロヘキサン−１，３−ジカルボン酸イソトリデシルイソウンデシルエステル、シクロヘキサン−１，３−ジカルボン酸イソドデシル−ｎ−ドデシルエステル、シクロヘキサン−１，３−ジカルボン酸−ｎ−トリデシル−ｎ−ドデシルエステル、シクロヘキサン−１，３−ジカルボン酸イソトリデシル−ｎ−ドデシルエステル、シクロヘキサン−１，３−ジカルボン酸−ｎ−トリデシルイソドデシルエステル、シクロヘキサン−１，３−ジカルボン酸イソトリデシルイソドデシルエステル、シクロヘキサン−１，３−ジカルボン酸イソトリデシル−ｎ−トリデシルエステル、シクロヘキサン−１，３−ジカルボン酸メチルシクロヘキシルエステル、シクロヘキサン−１，３−ジカルボン酸エチルシクロヘキシルエステル、シクロヘキサン−１，３−ジカルボン酸−ｎ−プロピルシクロヘキシルエステル、シクロヘキサン−１，３−ジカルボン酸イソプロピルシクロヘキシルエステル、シクロヘキサン−１，３−ジカルボン酸−ｎ−ブチルシクロヘキシルエステル、シクロヘキサン−１，３−ジカルボン酸−ｔ−ブチルシクロヘキシルエステル、シクロヘキサン−１，３−ジカルボン酸イソブチルシクロヘキシルエステル、シクロヘキサン−１，３−ジカルボン酸グリコールシクロヘキシルエステル、シクロヘキサン−１，３−ジカルボン酸−ｎ−ヘキシルシクロヘキシルエステル、シクロヘキサン−１，３−ジカルボン酸イソヘキシルシクロヘキシルエステル、シクロヘキサン−１，３−ジカルボン酸−ｎ−ヘプチルシクロヘキシルエステル、シクロヘキサン−１，３−ジカルボン酸イソヘプチルシクロヘキシルエステル、シクロヘキサン−１，３−ジカルボン酸−ｎ−オクチルシクロヘキシルエステル、シクロヘキサン−１，３−ジカルボン酸イソオクチルシクロヘキシルエステル、シクロヘキサン−１，３−ジカルボン酸−（２−エチルヘキシル）シクロヘキシルエステル、シクロヘキサン−１，３−ジカルボン酸−ｎ−ノニルシクロヘキシルエステル、シクロヘキサン−１，３−ジカルボン酸イソノニルシクロヘキシルエステル、シクロヘキサン−１，３−ジカルボン酸−（２−プロピルヘプチル）シクロヘキシルエステル、シクロヘキサン−１，３−ジカルボン酸−ｎ−デシルシクロヘキシルエステル、シクロヘキサン−１，３−ジカルボン酸イソデシルシクロヘキシルエステル、シクロヘキサン−１，３−ジカルボン酸−ｎ−ウンデシルシクロヘキシルエステル、シクロヘキサン−１，３−ジカルボン酸イソウンデシルシクロヘキシルエステル、シクロヘキサン−１，３−ジカルボン酸−ｎ−ドデシルシクロヘキシルエステル、シクロヘキサン−１，３−ジカルボン酸イソドデシルシクロヘキシルエステル、シクロヘキサン−１，３−ジカルボン酸−ｎ−トリデシルシクロヘキシルエステル、シクロヘキサン−１，３−ジカルボン酸イソトリデシルシクロヘキシルエステル、シクロヘキサン−１，３−ジカルボン酸メチルイソペンチルエステル、シクロヘキサン−１，３−ジカルボン酸エチルイソペンチルエステル、シクロヘキサン−１，３−ジカルボン酸−ｎ−プロピルイソペンチルエステル、シクロヘキサン−１，３−ジカルボン酸イソプロピルイソペンチルエステル、シクロヘキサン−１，３−ジカルボン酸−ｎ−ブチルイソペンチルエステル、シクロヘキサン−１，３−ジカルボン酸−ｔ−ブチルイソペンチルエステル、シクロヘキサン−１，３−ジカルボン酸イソブチルイソペンチルエステル、シクロヘキサン−１，３−ジカルボン酸グリコールイソペンチルエステル、シクロヘキサン−１，３−ジカルボン酸−ｎ−ヘキシルイソペンチルエステル、シクロヘキサン−１，３−ジカルボン酸イソヘキシルイソペンチルエステル、シクロヘキサン−１，３−ジカルボン酸−ｎ−ヘプチルイソペンチルエステル、シクロヘキサン−１，３−ジカルボン酸イソヘプチルイソペンチルエステル、シクロヘキサン−１，３−ジカルボン酸−ｎ−オクチルイソペンチルエステル、シクロヘキサン−１，３−ジカルボン酸イソオクチルイソペンチルエステル、シクロヘキサン−１，３−ジカルボン酸−（２−エチルヘキシル）イソペンチルエステル、シクロヘキサン−１，３−ジカルボン酸−ｎ−ノニルイソペンチルエステル、シクロヘキサン−１，３−ジカルボン酸イソノニルイソペンチルエステル、シクロヘキサン−１，３−ジカルボン酸−（２−プロピルヘプチル）イソペンチルエステル、シクロヘキサン−１，３−ジカルボン酸−ｎ−デシルイソペンチルエステル、シクロヘキサン−１，３−ジカルボン酸イソデシルイソペンチルエステル、シクロヘキサン−１，３−ジカルボン酸−ｎ−ウンデシルイソペンチルエステル、シクロヘキサン−１，３−ジカルボン酸イソウンデシルイソペンチルエステル、シクロヘキサン−１，３−ジカルボン酸−ｎ−ドデシルイソペンチルエステル、シクロヘキサン−１，３−ジカルボン酸イソドデシルイソペンチルエステル、シクロヘキサン−１，３−ジカルボン酸−ｎ−トリデシルイソペンチルエステル、シクロヘキサン−１，３−ジカルボン酸イソトリデシルイソペンチルエステル、シクロヘキサン−１，３−ジカルボン酸メチル−ｎ−ペンチルエステル、シクロヘキサン−１，３−ジカルボン酸エチル−ｎ−ペンチルエステル、シクロヘキサン−１，３−ジカルボン酸−ｎ−プロピル−ｎ−ペンチルエステル、シクロヘキサン−１，３−ジカルボン酸イソプロピル−ｎ−ペンチルエステル、シクロヘキサン−１，３−ジカルボン酸−ｎ−ブチル−ｎ−ペンチルエステル、シクロヘキサン−１，３−ジカルボン酸−ｔ−ブチル−ｎ−ペンチルエステル、シクロヘキサン−１，３−ジカルボン酸イソブチル−ｎ−ペンチルエステル、シクロヘキサン−１，３−ジカルボン酸グリコール−ｎ−ペンチルエステル、シクロヘキサン−１，３−ジカルボン酸−ｎ−ヘキシル−ｎ−ペンチルエステル、シクロヘキサン−１，３−ジカルボン酸イソヘキシル−ｎ−ペンチルエステル、シクロヘキサン−１，３−ジカルボン酸−ｎ−ヘプチル−ｎ−ペンチルエステル、シクロヘキサン−１，３−ジカルボン酸イソヘプチル−ｎ−ペンチルエステル、シクロヘキサン−１，３−ジカルボン酸−ｎ−オクチル−ｎ−ペンチルエステル、シクロヘキサン−１，３−ジカルボン酸イソオクチル−ｎ−ペンチルエステル、シクロヘキサン−１，３−ジカルボン酸−（２−エチルヘキシル）−ｎ−ペンシルエステル、シクロヘキサン−１，３−ジカルボン酸−ｎ−ノニル−ｎ−ペンチルエステル、シクロヘキサン−１，３−ジカルボン酸イソノニル−ｎ−ペンチルエステル、シクロヘキサン−１，３−ジカルボン酸−（２−プロピルヘプチル）−ｎ−ペンチルエステル、シクロヘキサン−１，３−ジカルボン酸−ｎ−デシル−ｎ−ペンチルエステル、シクロヘキサン−１，３−ジカルボン酸イソデシル−ｎ−ペンチルエステル、シクロヘキサン−１，３−ジカルボン酸−ｎ−ウンデシル−ｎ−ペンチルエステル、シクロヘキサン−１，３−ジカルボン酸イソウンデシル−ｎ−ペンチルエステル、シクロヘキサン−１，３−ジカルボン酸−ｎ−ドデシル−ｎ−ペンチルエステル、シクロヘキサン−１，３−ジカルボン酸イソドデシル−ｎ−ペンチルエステル、シクロヘキサン−１，３−ジカルボン酸−ｎ−トリデシル−ｎ−ペンチルエステル、シクロヘキサン−１，３−ジカルボン酸イソトリデシル−ｎ−ペンチルエステル；
シクロヘキサン−１，４−ジカルボン酸とＣ１〜Ｃ１３アルコールとの混合エステル、例えば、シクロヘキサン−１，４−ジカルボン酸エチルメチルエステル、シクロヘキサン−１，４−ジカルボン酸−ｎ−プロピルメチルエステル、シクロヘキサン−１，４−ジカルボン酸イソプロピルメチルエステル、シクロヘキサン−１，４−ジカルボン酸−ｎ−ブチルメチルエステル、シクロヘキサン−１，４−ジカルボン酸−ｔ−ブチルメチルエステル、シクロヘキサン−１，４−ジカルボン酸−イソブチルメチルエステル、シクロヘキサン−１，４−ジカルボン酸グリコールメチルエステル、シクロヘキサン−１，４−ジカルボン酸−ｎ−ヘキシルメチルエステル、シクロヘキサン−１，４−ジカルボン酸イソヘキシルメチルエステル、シクロヘキサン−１，４−ジカルボン酸−ｎ−ヘプチルメチルエステル、シクロヘキサン−１，４−ジカルボン酸イソヘプチルメチルエステル、シクロヘキサン−１，４−ジカルボン酸−ｎ−オクチルメチルエステル、シクロヘキサン−１，４−ジカルボン酸イソオクチルメチルエステル、シクロヘキサン−１，４−ジカルボン酸−（２−エチルヘキシル）メチルエステル、シクロヘキサン−１，４−ジカルボン酸−ｎ−ノニルメチルエステル、シクロヘキサン−１，４−ジカルボン酸イソノニルメチルエステル、シクロヘキサン−１，４−ジカルボン酸−（２−プロピルヘプチル）メチルエステル、シクロヘキサン−１，４−ジカルボン酸−ｎ−デシルメチルエステル、シクロヘキサン−１，４−ジカルボン酸イソデシルメチルエステル、シクロヘキサン−１，４−ジカルボン酸−ｎ−ウンデシルメチルエステル、シクロヘキサン−１，４−ジカルボン酸イソウンデシルメチルエステル、シクロヘキサン−１，４−ジカルボン酸−ｎ−ドデシルメチルエステル、シクロヘキサン−１，４−ジカルボン酸イソドデシルメチルエステル、シクロヘキサン−１，４−ジカルボン酸−ｎ−トリデシルメチルエステル、シクロヘキサン−１，４−ジカルボン酸イソトリデシルメチルエステル、シクロヘキサン−１，４−ジカルボン酸−ｎ−プロピルエチルエステル、シクロヘキサン−１，４−ジカルボン酸イソプロピルエチルエステル、シクロヘキサン−１，４−ジカルボン酸−ｎ−ブチルエチルエステル、シクロヘキサン−１，４−ジカルボン酸−ｔ−ブチルエチルエステル、シクロヘキサン−１，４−ジカルボン酸イソブチルエチルエステル、シクロヘキサン−１，４−ジカルボン酸グリコールエチルエステル、シクロヘキサン−１，４−ジカルボン酸−ｎ−ヘキシルエチルエステル、シクロヘキサン−１，４−ジカルボン酸イソヘキシルエチルエステル、シクロヘキサン−１，４−ジカルボン酸−ｎ−ヘプチルエチルエステル、シクロヘキサン−１，４−ジカルボン酸イソヘプチルエチルエステル、シクロヘキサン−１，４−ジカルボン酸−ｎ−オクチルエチルエステル、シクロヘキサン−１，４−ジカルボン酸イソオクチルエチルエステル、シクロヘキサン−１，４−ジカルボン酸−（２−エチルヘキシル）エチルエステル、シクロヘキサン−１，４−ジカルボン酸−ｎ−ノニルエチルエステル、シクロヘキサン−１，４−ジカルボン酸イソノニルエチルエステル、シクロヘキサン−１，４−ジカルボン酸−（２−プロピルヘプチル）エチルエステル、シクロヘキサン−１，４−ジカルボン酸−ｎ−デシルエチルエステル、シクロヘキサン−１，４−ジカルボン酸イソデシルエチルエステル、シクロヘキサン−１，４−ジカルボン酸−ｎ−ウンデシルエチルエステル、シクロヘキサン−１，４−ジカルボン酸イソウンデシルエチルエステル、シクロヘキサン−１，４−ジカルボン酸−ｎ−ドデシルエチルエステル、シクロヘキサン−１，４−ジカルボン酸イソドデシルエチルエステル、シクロヘキサン−１，４−ジカルボン酸−ｎ−トリデシルエチルエステル、シクロヘキサン−１，４−ジカルボン酸イソトリデシルエチルエステル、シクロヘキサン−１，４−ジカルボン酸イソプロピル−ｎ−プロピルエステル、シクロヘキサン−１，４−ジカルボン酸−ｎ−ブチル−ｎ−プロピルエステル、シクロヘキサン−１，４−ジカルボン酸−ｔ−ブチル−ｎ−プロピルエステル、シクロヘキサン−１，４−ジカルボン酸イソブチル−ｎ−プロピルエステル、シクロヘキサン−１，４−ジカルボン酸グリコール−ｎ−プロピルエステル、シクロヘキサン−１，４−ジカルボン酸−ｎ−ヘキシル−ｎ−プロピルエステル、シクロヘキサン−１，４−ジカルボン酸イソヘキシル−ｎ−プロピルエステル、シクロヘキサン−１，４−ジカルボン酸−ｎ−ヘプチル−ｎ−プロピルエステル、シクロヘキサン−１，４−ジカルボン酸イソヘプチル−ｎ−プロピルエステル、シクロヘキサン−１，４−ジカルボン酸−ｎ−オクチル−ｎ−プロピルエステル、シクロヘキサン−１，４−ジカルボン酸イソオクチル−ｎ−プロピルエステル、シクロヘキサン−１，４−ジカルボン酸−（２−エチルヘキシル）−ｎ−プロピルエステル、シクロヘキサン−１，４−ジカルボン酸−ｎ−ノニル−ｎ−プロピルエステル、シクロヘキサン−１，４−ジカルボン酸イソノニル−ｎ−プロピルエステル、シクロヘキサン−１，４−ジカルボン酸−（２−プロピルヘプチル）−ｎ−プロピルエステル、シクロヘキサン−１，４−ジカルボン酸−ｎ−デシル−ｎ−プロピルエステル、シクロヘキサン−１，４−ジカルボン酸イソデシル−ｎ−プロピルエステル、シクロヘキサン−１，４−ジカルボン酸−ｎ−ウンデシル−ｎ−プロピルエステル、シクロヘキサン−１，４−ジカルボン酸イソウンデシル−ｎ−プロピルエステル、シクロヘキサン−１，４−ジカルボン酸−ｎ−ドデシル−ｎ−プロピルエステル、シクロヘキサン−１，４−ジカルボン酸イソドデシル−ｎ−プロピルエステル、シクロヘキサン−１，４−ジカルボン酸−ｎ−トリデシル−ｎ−プロピルエステル、シクロヘキサン−１，４−ジカルボン酸イソトリデシル−ｎ−プロピルエステル、シクロヘキサン−１，４−ジカルボン酸−ｎ−ブチルイソプロピルエステル、シクロヘキサン−１，４−ジカルボン酸−ｔ−ブチルイソプロピルエステル、シクロヘキサン−１，４−ジカルボン酸イソブチルイソプロピルエステル、シクロヘキサン−１，４−ジカルボン酸グリコールイソプロピルエステル、シクロヘキサン−１，４−ジカルボン酸−ｎ−ヘキシルイソプロピルエステル、シクロヘキサン−１，４−ジカルボン酸イソヘキシルイソプロピルエステル、シクロヘキサン−１，４−ジカルボン酸−ｎ−ヘプチルイソプロピルエステル、シクロヘキサン−１，４−ジカルボン酸イソヘプチルイソプロピルエステル、シクロヘキサン−１，４−ジカルボン酸−ｎ−オクチルイソプロピルエステル、シクロヘキサン−１，４−ジカルボン酸イソオクチルイソプロピルエステル、シクロヘキサン−１，４−ジカルボン酸−（２−エチルヘキシル）イソプロピルエステル、シクロヘキサン−１，４−ジカルボン酸−ｎ−ノニルイソプロピルエステル、シクロヘキサン−１，４−ジカルボン酸イソノニルイソプロピルエステル、シクロヘキサン−１，４−ジカルボン酸−（２−プロピルヘプチル）イソプロピルエステル、シクロヘキサン−１，４−ジカルボン酸−ｎ−デシルイソプロピルエステル、シクロヘキサン−１，４−ジカルボン酸イソデシルイソプロピルエステル、シクロヘキサン−１，４−ジカルボン酸−ｎ−ウンデシルイソプロピルエステル、シクロヘキサン−１，４−ジカルボン酸イソウンデシルイソプロピルエステル、シクロヘキサン−１，４−ジカルボン酸−ｎ−ドデシルイソプロピルエステル、シクロヘキサン−１，４−ジカルボン酸イソドデシルイソプロピルエステル、シクロヘキサン−１，４−ジカルボン酸−ｎ−トリデシルイソプロピルエステル、シクロヘキサン−１，４−ジカルボン酸イソトリデシルイソプロピルエステル、シクロヘキサン−１，４−ジカルボン酸−ｔ−ブチル−ｎ−ブチルエステル、シクロヘキサン−１，４−ジカルボン酸イソブチル−ｎ−ブチルエステル、シクロヘキサン−１，４−ジカルボン酸グリコール−ｎ−ブチルエステル、シクロヘキサン−１，４−ジカルボン酸−ｎ−ヘキシル−ｎ−ブチルエステル、シクロヘキサン−１，４−ジカルボン酸イソヘキシル−ｎ−ブチルエステル、シクロヘキサン−１，４−ジカルボン酸−ｎ−ヘプチル−ｎ−ブチルエステル、シクロヘキサン−１，４−ジカルボン酸イソヘプチル−ｎ−ブチルエステル、シクロヘキサン−１，４−ジカルボン酸−ｎ−オクチル−ｎ−ブチルエステル、シクロヘキサン−１，４−ジカルボン酸イソオクチル−ｎ−ブチルエステル、シクロヘキサン−１，４−ジカルボン酸−（２−エチルヘキシル）−ｎ−ブチルエステル、シクロヘキサン−１，４−ジカルボン酸−ｎ−ノニル−ｎ−ブチルエステル、シクロヘキサン−１，４−ジカルボン酸イソノニル−ｎ−ブチルエステル、シクロヘキサン−１，４−ジカルボン酸−（２−プロピルヘプチル）−ｎ−ブチルエステル、シクロヘキサン−１，４−ジカルボン酸−ｎ−デシル−ｎ−ブチルエステル、シクロヘキサン−１，４−ジカルボン酸イソデシル−ｎ−ブチルエステル、シクロヘキサン−１，４−ジカルボン酸−ｎ−ウンデシル−ｎ−ブチルエステル、シクロヘキサン−１，４−ジカルボン酸イソウンデシル−ｎ−ブチルエステル、シクロヘキサン−１，４−ジカルボン酸−ｎ−ドデシル−ｎ−ブチルエステル、シクロヘキサン−１，４−ジカルボン酸イソドデシル−ｎ−ブチルエステル、シクロヘキサン−１，４−ジカルボン酸−ｎ−トリデシル−ｎ−ブチルエステル、シクロヘキサン−１，４−ジカルボン酸イソトリデシル−ｎ−ブチルエステル、シクロヘキサン−１，４−ジカルボン酸イソブチル−ｔ−ブチルエステル、
シクロヘキサン−１，４−ジカルボン酸グリコール−ｔ−ブチルエステル、シクロヘキサン−１，４−ジカルボン酸−ｎ−ヘキシル−ｔ−ブチルエステル、シクロヘキサン−１，４−ジカルボン酸イソヘキシル−ｔ−ブチルエステル、シクロヘキサン−１，４−ジカルボン酸−ｎ−ヘプチル−ｔ−ブチルエステル、シクロヘキサン−１，４−ジカルボン酸イソヘプチル−ｔ−ブチルエステル、シクロヘキサン−１，４−ジカルボン酸−ｎ−オクチル−ｔ−ブチルエステル、シクロヘキサン−１，４−ジカルボン酸イソオクチル−ｔ−ブチルエステル、シクロヘキサン−１，４−ジカルボン酸−（２−エチルヘキシル）−ｔ−ブチルエステル、シクロヘキサン−１，４−ジカルボン酸−ｎ−ノニル−ｔ−ブチルエステル、シクロヘキサン−１，４−ジカルボン酸イソノニル−ｔ−ブチルエステル、シクロヘキサン−１，４−ジカルボン酸−（２−プロピルヘプチル）−ｔ−ブチルエステル、シクロヘキサン−１，４−ジカルボン酸−ｎ−デシル−ｔ−ブチルエステル、シクロヘキサン−１，４−ジカルボン酸イソデシル−ｔ−ブチルエステル、シクロヘキサン−１，４−ジカルボン酸−ｎ−ウンデシル−ｔ−ブチルエステル、シクロヘキサン−１，４−ジカルボン酸イソウンデシル−ｔ−ブチルエステル、シクロヘキサン−１，４−ジカルボン酸−ｎ−ドデシル−ｔ−ブチルエステル、シクロヘキサン−１，４−ジカルボン酸イソドデシル−ｔ−ブチルエステル、シクロヘキサン−１，４−ジカルボン酸−ｎ−トリデシル−ｔ−ブチルエステル、シクロヘキサン−１，４−ジカルボン酸イソトリデシル−ｔ−ブチルエステル、シクロヘキサン−１，４−ジカルボン酸グリコールイソブチルエステル、シクロヘキサン−１，４−ジカルボン酸−ｎ−ヘキシルイソブチルエステル、シクロヘキサン−１，４−ジカルボン酸イソヘキシルイソブチルエステル、シクロヘキサン−１，４−ジカルボン酸−ｎ−ヘプチルイソブチルエステル、シクロヘキサン−１，４−ジカルボン酸イソヘプチルイソブチルエステル、シクロヘキサン−１，４−ジカルボン酸−ｎ−オクチルイソブチルエステル、シクロヘキサン−１，４−ジカルボン酸イソオクチルイソブチルエステル、シクロヘキサン−１，４−ジカルボン酸−（２−エチルヘキシル）イソブチルエステル、シクロヘキサン−１，４−ジカルボン酸−ｎ−ノニルイソブチルエステル、シクロヘキサン−１，４−ジカルボン酸イソノニルイソブチルエステル、シクロヘキサン−１，４−ジカルボン酸−（２−プロピルヘプチル）イソブチルエステル、シクロヘキサン−１，４−ジカルボン酸−ｎ−デシルイソブチルエステル、シクロヘキサン−１，４−ジカルボン酸イソデシルイソブチルエステル、シクロヘキサン−１，４−ジカルボン酸−ｎ−ウンデシルイソブチルエステル、シクロヘキサン−１，４−ジカルボン酸イソウンデシルイソブチルエステル、シクロヘキサン−１，４−ジカルボン酸−ｎ−ドデシルイソブチルエステル、シクロヘキサン−１，４−ジカルボン酸イソドデシルイソブチルエステル、シクロヘキサン−１，４−ジカルボン酸−ｎ−トリデシルイソブチルエステル、シクロヘキサン−１，４−ジカルボン酸イソトリデシルイソブチルエステル、シクロヘキサン−１，４−ジカルボン酸−ｎ−ヘキシルグリコールエステル、シクロヘキサン−１，４−ジカルボン酸イソヘキシルグリコールエステル、シクロヘキサン−１，４−ジカルボン酸−ｎ−ヘプチルグリコールエステル、シクロヘキサン−１，４−ジカルボン酸イソヘプチルグリコールエステル、シクロヘキサン−１，４−ジカルボン酸−ｎ−オクチルグリコールエステル、シクロヘキサン−１，４−ジカルボン酸イソオクチルグリコールエステル、シクロヘキサン−１，４−ジカルボン酸−（２−エチルヘキシル）グリコールエステル、シクロヘキサン−１，４−ジカルボン酸−ｎ−ノニルグリコールエステル、シクロヘキサン−１，４−ジカルボン酸イソノニルグリコールエステル、シクロヘキサン−１，４−ジカルボン酸−（２−プロピルヘプチル）グリコールエステル、シクロヘキサン−１，４−ジカルボン酸−ｎ−デシルグリコールエステル、シクロヘキサン−１，４−ジカルボン酸イソデシルグリコールエステル、シクロヘキサン−１，４−ジカルボン酸−ｎ−ウンデシルグリコールエステル、シクロヘキサン−１，４−ジカルボン酸イソウンデシルグリコールエステル、シクロヘキサン−１，４−ジカルボン酸−ｎ−ドデシルグリコールエステル、シクロヘキサン−１，４−ジカルボン酸イソドデシルグリコールエステル、シクロヘキサン−１，４−ジカルボン酸−ｎ−トリデシルグリコールエステル、シクロヘキサン−１，４−ジカルボン酸イソトリデシルグリコールエステル、シクロヘキサン−１，４−ジカルボン酸イソヘキシル−ｎ−ヘキシルエステル、シクロヘキサン−１，４−ジカルボン酸−ｎ−ヘプチル−ｎ−ヘキシルエステル、シクロヘキサン−１，４−ジカルボン酸イソヘプチル−ｎ−ヘキシルエステル、シクロヘキサン−１，４−ジカルボン酸−ｎ−オクチル−ｎ−ヘキシルエステル、シクロヘキサン−１，４−ジカルボン酸イソオクチル−ｎ−ヘキシルエステル、シクロヘキサン−１，４−ジカルボン酸−（２−エチルヘキシル）−ｎ−ヘキシルエステル、シクロヘキサン−１，４−ジカルボン酸−ｎ−ノニル−ｎ−ヘキシルエステル、シクロヘキサン−１，４−ジカルボン酸イソノニル−ｎ−ヘキシルエステル、シクロヘキサン−１，４−ジカルボン酸−（２−プロピルヘプチル）−ｎ−ヘキシルエステル、シクロヘキサン−１，４−ジカルボン酸−ｎ−デシル−ｎ−ヘキシルエステル、シクロヘキサン−１，４−ジカルボン酸イソデシル−ｎ−ヘキシルエステル、シクロヘキサン−１，４−ジカルボン酸−ｎ−ウンデシル−ｎ−ヘキシルエステル、シクロヘキサン−１，４−ジカルボン酸イソウンデシル−ｎ−ヘキシルエステル、シクロヘキサン−１，４−ジカルボン酸−ｎ−ドデシル−ｎ−ヘキシルエステル、シクロヘキサン−１，４−ジカルボン酸イソドデシル−ｎ−ヘキシルエステル、シクロヘキサン−１，４−ジカルボン酸−ｎ−トリデシル−ｎ−ヘキシルエステル、シクロヘキサン−１，４−ジカルボン酸イソトリデシル−ｎ−ヘキシルエステル、シクロヘキサン−１，４−ジカルボン酸−ｎ−ヘプチルイソヘキシルエステル、シクロヘキサン−１，４−ジカルボン酸イソヘプチルイソヘキシルエステル、シクロヘキサン−１，４−ジカルボン酸−ｎ−オクチルイソヘキシルエステル、シクロヘキサン−１，４−ジカルボン酸イソオクチルイソヘキシルエステル、シクロヘキサン−１，４−ジカルボン酸−（２−エチルヘキシル）イソヘキシルエステル、シクロヘキサン−１，４−ジカルボン酸−ｎ−ノニルイソヘキシルエステル、シクロヘキサン−１，４−ジカルボン酸イソノニルイソヘキシルエステル、シクロヘキサン−１，４−ジカルボン酸−（２−プロピルヘプチル）イソヘキシルエステル、シクロヘキサン−１，４−ジカルボン酸−ｎ−デシルイソヘキシルエステル、シクロヘキサン−１，４−ジカルボン酸イソデシルイソヘキシルエステル、シクロヘキサン−１，４−ジカルボン酸−ｎ−ウンデシルイソヘキシルエステル、シクロヘキサン−１，４−ジカルボン酸イソウンデシルイソヘキシルエステル、シクロヘキサン−１，４−ジカルボン酸−ｎ−ドデシルイソヘキシルエステル、シクロヘキサン−１，４−ジカルボン酸イソドデシルイソヘキシルエステル、シクロヘキサン−１，４−ジカルボン酸−ｎ−トリデシルイソヘキシルエステル、シクロヘキサン−１，４−ジカルボン酸イソトリデシルイソヘキシルエステル、シクロヘキサン−１，４−ジカルボン酸イソヘプチル−ｎ−ヘプチルエステル、シクロヘキサン−１，４−ジカルボン酸−ｎ−オクチル−ｎ−ヘプチルエステル、シクロヘキサン−１，４−ジカルボン酸イソオクチル−ｎ−ヘプチルエステル、シクロヘキサン−１，４−ジカルボン酸−（２−エチルヘキシル）−ｎ−ヘプチルエステル、シクロヘキサン−１，４−ジカルボン酸−ｎ−ノニル−ｎ−ヘプチルエステル、シクロヘキサン−１，４−ジカルボン酸イソノニル−ｎ−ヘプチルエステル、シクロヘキサン−１，４−ジカルボン酸−（２−プロピルヘプチル）−ｎ−ヘプチルエステル、シクロヘキサン−１，４−ジカルボン酸−ｎ−デシル−ｎ−ヘプチルエステル、シクロヘキサン−１，４−ジカルボン酸イソデシル−ｎ−ヘプチルエステル、シクロヘキサン−１，４−ジカルボン酸−ｎ−ウンデシル−ｎ−ヘプチルエステル、シクロヘキサン−１，４−ジカルボン酸イソウンデシル−ｎ−ヘプチルエステル、シクロヘキサン−１，４−ジカルボン酸−ｎ−ドデシル−ｎ−ヘプチルエステル、シクロヘキサン−１，４−ジカルボン酸イソドデシル−ｎ−ヘプチルエステル、シクロヘキサン−１，４−ジカルボン酸−ｎ−トリデシル−ｎ−ヘプチルエステル、シクロヘキサン−１，４−ジカルボン酸イソトリデシル−ｎ−ヘプチルエステル、シクロヘキサン−１，４−ジカルボン酸−ｎ−オクチルイソヘプチルエステル、シクロヘキサン−１，４−ジカルボン酸イソオクチルイソヘプチルエステル、シクロヘキサン−１，４−ジカルボン酸−（２−エチルヘキシル）イソヘプチルエステル、シクロヘキサン−１，４−ジカルボン酸−ｎ−ノニルイソヘプチルエステル、シクロヘキサン−１，４−ジカルボン酸イソノニルイソヘプチルエステル、シクロヘキサン−１，４−ジカルボン酸−（２−プロピルヘプチル）イソヘプチルエステル、シクロヘキサン−１，４−ジカルボン酸−ｎ−デシルイソヘプチルエステル、シクロヘキサン−１，４−ジカルボン酸イソデシルイソヘプチルエステル、シクロヘキサン−１，４−ジカルボン酸−ｎ−ウンデシルイソヘプチルエステル、シクロヘキサン−１，４−ジカルボン酸イソウンデシルイソヘプチルエステル、シクロヘキサン−１，４−ジカルボン酸−ｎ−ドデシルイソヘプチルエステル、シクロヘキサン−１，４−ジカルボン酸イソドデシルイソヘプチルエステル、シクロヘキサン−１，４−ジカルボン酸−ｎ−トリデシルイソヘプチルエステル、シクロヘキサン−１，４−ジカルボン酸イソトリデシルイソヘプチルエステル、シクロヘキサン−１，４−ジカルボン酸イソオクチル−ｎ−オクチルエステル、シクロヘキサン−１，４−ジカルボン酸−（２−エチルヘキシル）−ｎ−オクチルエステル、シクロヘキサン−１，４−ジカルボン酸−ｎ−ノニル−ｎ−オクチルエステル、シクロヘキサン−１，４−ジカルボン酸イソノニル−ｎ−オクチルエステル、シクロヘキサン−１，４−ジカルボン酸−（２−プロピルヘプチル）−ｎ−オクチルエステル、シクロヘキサン−１，４−ジカルボン酸−ｎ−デシル−ｎ−オクチルエステル、シクロヘキサン−１，４−ジカルボン酸イソデシル−ｎ−オクチルエステル、シクロヘキサン−１，４−ジカルボン酸−ｎ−ウンデシル−ｎ−オクチルエステル、シクロヘキサン−１，４−ジカルボン酸イソウンデシル−ｎ−オクチルエステル、シクロヘキサン−１，４−ジカルボン酸−ｎ−ドデシル−ｎ−オクチルエステル、シクロヘキサン−１，４−ジカルボン酸イソドデシル−ｎ−オクチルエステル、
シクロヘキサン−１，４−ジカルボン酸−ｎ−トリデシル−ｎ−オクチルエステル、シクロヘキサン−１，４−ジカルボン酸イソトリデシル−ｎ−オクチルエステル、シクロヘキサン−１，４−ジカルボン酸−（２−エチルヘキシル）イソオクチルエステル、シクロヘキサン−１，４−ジカルボン酸−ｎ−ノニルイソオクチルエステル、シクロヘキサン−１，４−ジカルボン酸イソノニルイソオクチルエステル、シクロヘキサン−１，４−ジカルボン酸−（２−プロピルヘプチル）イソオクチルエステル、シクロヘキサン−１，４−ジカルボン酸−ｎ−デシルイソオクチルエステル、シクロヘキサン−１，４−ジカルボン酸イソデシルイソオクチルエステル、シクロヘキサン−１，４−ジカルボン酸−ｎ−ウンデシルイソオクチルエステル、シクロヘキサン−１，４−ジカルボン酸イソウンデシルイソオクチルエステル、シクロヘキサン−１，４−ジカルボン酸−ｎ−ドデシルイソオクチルエステル、シクロヘキサン−１，４−ジカルボン酸イソドデシルイソオクチルエステル、シクロヘキサン−１，４−ジカルボン酸−ｎ−トリデシルイソオクチルエステル、シクロヘキサン−１，４−ジカルボン酸イソトリデシルイソオクチルエステル、シクロヘキサン−１，４−ジカルボン酸−ｎ−ノニル−（２−エチルヘキシル）エステル、シクロヘキサン−１，４−ジカルボン酸イソノニル−（２−エチルヘキシル）エステル、シクロヘキサン−１，４−ジカルボン酸−（２−プロピルヘプチル）−（２−エチルヘキシル）エステル、シクロヘキサン−１，４−ジカルボン酸−ｎ−デシル−（２−エチルヘキシル）エステル、シクロヘキサン−１，４−ジカルボン酸イソデシル−（２−エチルヘキシル）エステル、シクロヘキサン−１，４−ジカルボン酸−ｎ−ウンデシル−（２−エチルヘキシル）エステル、シクロヘキサン−１，４−ジカルボン酸イソウンデシル−（２−エチルヘキシル）エステル、シクロヘキサン−１，４−ジカルボン酸−ｎ−ドデシル（２−エチルヘキシル）エステル、シクロヘキサン−１，４−ジカルボン酸イソドデシル−（２−エチルヘキシル）エステル、シクロヘキサン−１，４−ジカルボン酸−ｎ−トリデシル−（２−エチルヘキシル）エステル、シクロヘキサン−１，４−ジカルボン酸イソトリデシル−（２−エチルヘキシル）エステル、シクロヘキサン−１，４−ジカルボン酸イソノニル−ｎ−ノニルエステル、シクロヘキサン−１，４−ジカルボン酸−（２−プロピルヘプチル）−ｎ−ノニルエステル、シクロヘキサン−１，４−ジカルボン酸−ｎ−デシル−ｎ−ノニルエステル、シクロヘキサン−１，４−ジカルボン酸イソデシル−ｎ−ノニルエステル、シクロヘキサン−１，４−ジカルボン酸−ｎ−ウンデシル−ｎ−ノニルエステル、シクロヘキサン−１，４−ジカルボン酸イソウンデシル−ｎ−ノニルエステル、シクロヘキサン−１，４−ジカルボン酸−ｎ−ドデシル−ｎ−ノニルエステル、シクロヘキサン−１，４−ジカルボン酸イソドデシル−ｎ−ノニルエステル、シクロヘキサン−１，４−ジカルボン酸−ｎ−トリデシル−ｎ−ノニルエステル、シクロヘキサン−１，４−ジカルボン酸イソトリデシル−ｎ−ノニルエステル、シクロヘキサン−１，４−ジカルボン酸−（２−プロピルヘプチル）イソノニルエステル、シクロヘキサン−１，４−ジカルボン酸−ｎ−デシルイソノニルエステル、シクロヘキサン−１，４−ジカルボン酸イソデシルイソノニルエステル、シクロヘキサン−１，４−ジカルボン酸−ｎ−ウンデシルイソノニルエステル、シクロヘキサン−１，４−ジカルボン酸イソウンデシルイソノニルエステル、シクロヘキサン−１，４−ジカルボン酸−ｎ−ドデシルイソノニルエステル、シクロヘキサン−１，４−ジカルボン酸イソドデシルイソノニルエステル、シクロヘキサン−１，４−ジカルボン酸−ｎ−トリデシルイソノニルエステル、シクロヘキサン−１，４−ジカルボン酸イソトリデシルイソノニルエステル、シクロヘキサン−１，４−ジカルボン酸−ｎ−デシル−（２−プロピルヘプチル）エステル、シクロヘキサン−１，４−ジカルボン酸イソデシル−（２−プロピルヘプチル）エステル、シクロヘキサン−１，４−ジカルボン酸−ｎ−ウンデシル−（２−プロピルヘプチル）エステル、シクロヘキサン−１，４−ジカルボン酸イソウンデシル−（２−プロピルヘプチル）エステル、シクロヘキサン−１，４−ジカルボン酸−ｎ−ドデシル（２−プロピルヘプチル）エステル、シクロヘキサン−１，４−ジカルボン酸イソドデシル−（２−プロピルヘプチル）エステル、シクロヘキサン−１，４−ジカルボン酸−ｎ−トリデシル−（２−プロピルヘプチル）エステル、シクロヘキサン−１，４−ジカルボン酸イソトリデシル−（２−プロピルヘプチル）エステル、シクロヘキサン−１，４−ジカルボン酸イソデシル−ｎ−デシルエステル、シクロヘキサン−１，４−ジカルボン酸−ｎ−ウンデシル−ｎ−デシルエステル、シクロヘキサン−１，４−ジカルボン酸イソウンデシル−ｎ−デシルエステル、シクロヘキサン−１，４−ジカルボン酸−ｎ−ドデシル−ｎ−デシルエステル、シクロヘキサン−１，４−ジカルボン酸イソドデシル−ｎ−デシルエステル、シクロヘキサン−１，４−ジカルボン酸−ｎ−トリデシル−ｎ−デシルエステル、シクロヘキサン−１，４−ジカルボン酸イソトリデシル−ｎ−デシルエステル、シクロヘキサン−１，４−ジカルボン酸−ｎ−ウンデシルイソデシルエステル、シクロヘキサン−１，４−ジカルボン酸イソウンデシルイソデシルエステル、シクロヘキサン−１，４−ジカルボン酸−ｎ−ドデシルイソデシルエステル、シクロヘキサン−１，４−ジカルボン酸イソドデシルイソデシルエステル、シクロヘキサン−１，４−ジカルボン酸−ｎ−トリデシルイソデシルエステル、シクロヘキサン−１，４−ジカルボン酸イソトリデシルイソデシルエステル、シクロヘキサン−１，４−ジカルボン酸イソウンデシル−ｎ−ウンデシルエステル、シクロヘキサン−１，４−ジカルボン酸−ｎ−ドデシル−ｎ−ウンデシルエステル、シクロヘキサン−１，４−ジカルボン酸イソドデシル−ｎ−ウンデシルエステル、シクロヘキサン−１，４−ジカルボン酸−ｎ−トリデシル−ｎ−ウンデシルエステル、シクロヘキサン−１，４−ジカルボン酸イソトリデシル−ｎ−ウンデシルエステル、シクロヘキサン−１，４−ジカルボン酸−ｎ−ドデシルイソウンデシルエステル、シクロヘキサン−１，４−ジカルボン酸イソドデシルイソウンデシルエステル、シクロヘキサン−１，４−ジカルボン酸−ｎ−トリデシルイソウンデシルエステル、
シクロヘキサン−１，４−ジカルボン酸イソトリデシルイソウンデシルエステル、シクロヘキサン−１，４−ジカルボン酸イソドデシル−ｎ−ドデシルエステル、シクロヘキサン−１，４−ジカルボン酸−ｎ−トリデシル−ｎ−ドデシルエステル、シクロヘキサン−１，４−ジカルボン酸イソトリデシル−ｎ−ドデシルエステル、シクロヘキサン−１，４−ジカルボン酸−ｎ−トリデシルイソドデシルエステル、シクロヘキサン−１，４−ジカルボン酸イソトリデシルイソドデシルエステル、シクロヘキサン−１，４−ジカルボン酸イソトリデシル−ｎ−トリデシルエステル、シクロヘキサン−１，４−ジカルボン酸メチルシクロヘキシルエステル、シクロヘキサン−１，４−ジカルボン酸エチルシクロヘキシルエステル、シクロヘキサン−１，４−ジカルボン酸−ｎ−プロピルシクロヘキシルエステル、シクロヘキサン−１，４−ジカルボン酸イソプロピルシクロヘキシルエステル、シクロヘキサン−１，４−ジカルボン酸−ｎ−ブチルシクロヘキシルエステル、シクロヘキサン−１，４−ジカルボン酸−ｔ−ブチルシクロヘキシルエステル、シクロヘキサン−１，４−ジカルボン酸イソブチルシクロヘキシルエステル、シクロヘキサン−１，４−ジカルボン酸グリコールシクロヘキシルエステル、シクロヘキサン−１，４−ジカルボン酸−ｎ−ヘキシルシクロヘキシルエステル、シクロヘキサン−１，４−ジカルボン酸イソヘキシルシクロヘキシルエステル、シクロヘキサン−１，４−ジカルボン酸−ｎ−ヘプチルシクロヘキシルエステル、シクロヘキサン−１，４−ジカルボン酸イソヘプチルシクロヘキシルエステル、シクロヘキサン−１，４−ジカルボン酸−ｎ−オクチルシクロヘキシルエステル、シクロヘキサン−１，４−ジカルボン酸イソオクチルシクロヘキシルエステル、シクロヘキサン−１，４−ジカルボン酸−（２−エチルヘキシル）シクロヘキシルエステル、シクロヘキサン−１，４−ジカルボン酸−ｎ−ノニルシクロヘキシルエステル、シクロヘキサン−１，４−ジカルボン酸イソノニルシクロヘキシルエステル、シクロヘキサン−１，４−ジカルボン酸−（２−プロピルヘプチル）シクロヘキシルエステル、シクロヘキサン−１，４−ジカルボン酸−ｎ−デシルシクロヘキシルエステル、シクロヘキサン−１，４−ジカルボン酸イソデシルシクロヘキシルエステル、シクロヘキサン−１，４−ジカルボン酸−ｎ−ウンデシルシクロヘキシルエステル、シクロヘキサン−１，４−ジカルボン酸イソウンデシルシクロヘキシルエステル、シクロヘキサン−１，４−ジカルボン酸−ｎ−ドデシルシクロヘキシルエステル、シクロヘキサン−１，４−ジカルボン酸イソドデシルシクロヘキシルエステル、シクロヘキサン−１，４−ジカルボン酸−ｎ−トリデシルシクロヘキシルエステル、シクロヘキサン−１，４−ジカルボン酸イソトリデシルシクロヘキシルエステル、シクロヘキサン−１，４−ジカルボン酸メチルイソペンチルエステル、シクロヘキサン−１，４−ジカルボン酸エチルイソペンチルエステル、シクロヘキサン−１，４−ジカルボン酸−ｎ−プロピルイソペンチルエステル、シクロヘキサン−１，４−ジカルボン酸イソプロピルイソペンチルエステル、シクロヘキサン−１，４−ジカルボン酸−ｎ−ブチルイソペンチルエステル、シクロヘキサン−１，４−ジカルボン酸−ｔ−ブチルイソペンチルエステル、シクロヘキサン−１，４−ジカルボン酸イソブチルイソペンチルエステル、シクロヘキサン−１，４−ジカルボン酸グリコールイソペンチルエステル、シクロヘキサン−１，４−ジカルボン酸−ｎ−ヘキシルイソペンチルエステル、シクロヘキサン−１，４−ジカルボン酸イソヘキシルイソペンチルエステル、シクロヘキサン−１，４−ジカルボン酸−ｎ−ヘプチルイソペンチルエステル、シクロヘキサン−１，４−ジカルボン酸イソヘプチルイソペンチルエステル、シクロヘキサン−１，４−ジカルボン酸−ｎ−オクチルイソペンチルエステル、シクロヘキサン−１，４−ジカルボン酸イソオクチルイソペンチルエステル、シクロヘキサン−１，４−ジカルボン酸−（２−エチルヘキシル）イソペンチルエステル、シクロヘキサン−１，４−ジカルボン酸−ｎ−ノニルイソペンチルエステル、シクロヘキサン−１，４−ジカルボン酸イソノニルイソペンチルエステル、シクロヘキサン−１，４−ジカルボン酸−（２−プロピルヘプチル）イソペンチルエステル、シクロヘキサン−１，４−ジカルボン酸−ｎ−デシルイソペンチルエステル、シクロヘキサン−１，４−ジカルボン酸イソデシルイソペンチルエステル、シクロヘキサン−１，４−ジカルボン酸−ｎ−ウンデシルイソペンチルエステル、シクロヘキサン−１，４−ジカルボン酸イソウンデシルイソペンチルエステル、シクロヘキサン−１，４−ジカルボン酸−ｎ−ドデシルイソペンチルエステル、シクロヘキサン−１，４−ジカルボン酸イソドデシルイソペンチルエステル、シクロヘキサン−１，４−ジカルボン酸−ｎ−トリデシルイソペンチルエステル、シクロヘキサン−１，４−ジカルボン酸イソトリデシルイソペンチルエステル、シクロヘキサン−１，４−ジカルボン酸メチル−ｎ−ペンチルエステル、シクロヘキサン−１，４−ジカルボン酸エチル−ｎ−ペンチルエステル、シクロヘキサン−１，４−ジカルボン酸−ｎ−プロピル−ｎ−ペンチルエステル、シクロヘキサン−１，４−ジカルボン酸イソプロピル−ｎ−ペンチルエステル、シクロヘキサン−１，４−ジカルボン酸−ｎ−ブチル−ｎ−ペンチルエステル、シクロヘキサン−１，４−ジカルボン酸−ｔ−ブチル−ｎ−ペンチルエステル、シクロヘキサン−１，４−ジカルボン酸イソブチル−ｎ−ペンチルエステル、シクロヘキサン−１，４−ジカルボン酸グリコール−ｎ−ペンチルエステル、シクロヘキサン−１，４−ジカルボン酸−ｎ−ヘキシル−ｎ−ペンチルエステル、シクロヘキサン−１，４−ジカルボン酸イソヘキシル−ｎ−ペンチルエステル、シクロヘキサン−１，４−ジカルボン酸−ｎ−ヘプチル−ｎ−ペンチルエステル、シクロヘキサン−１，４−ジカルボン酸イソヘプチル−ｎ−ペンチルエステル、シクロヘキサン−１，４−ジカルボン酸−ｎ−オクチル−ｎ−ペンチルエステル、シクロヘキサン−１，４−ジカルボン酸イソオクチル−ｎ−ペンチルエステル、シクロヘキサン−１，４−ジカルボン酸−（２−エチルヘキシル）−ｎ−ペンシルエステル、シクロヘキサン−１，４−ジカルボン酸−ｎ−ノニル−ｎ−ペンチルエステル、シクロヘキサン−１，４−ジカルボン酸イソノニル−ｎ−ペンチルエステル、シクロヘキサン−１，４−ジカルボン酸−（２−プロピルヘプチル）−ｎ−ペンチルエステル、シクロヘキサン−１，４−ジカルボン酸−ｎ−デシル−ｎ−ペンチルエステル、シクロヘキサン−１，４−ジカルボン酸イソデシル−ｎ−ペンチルエステル、シクロヘキサン−１，４−ジカルボン酸−ｎ−ウンデシル−ｎ−ペンチルエステル、シクロヘキサン−１，４−ジカルボン酸イソウンデシル−ｎ−ペンチルエステル、シクロヘキサン−１，４−ジカルボン酸−ｎ−ドデシル−ｎ−ペンチルエステル、シクロヘキサン−１，４−ジカルボン酸イソドデシル−ｎ−ペンチルエステル、シクロヘキサン−１，４−ジカルボン酸−ｎ−トリデシル−ｎ−ペンチルエステル、シクロヘキサン−１，４−ジカルボン酸イソトリデシル−ｎ−ペンチルエステル；
シクロヘキサン−１，３−ジカルボン酸アルキルエステル、例えば、シクロヘキサン−１，３−ジカルボン酸モノメチルエステル、シクロヘキサン−１，３−ジカルボン酸ジメチルエステル、シクロヘキサン−１，３−ジカルボン酸ジエチルエステル、シクロヘキサン−１，３−ジカルボン酸ジ−ｎ−プロピルエステル、シクロヘキサン−１，３−ジカルボン酸ジ−ｎ−ブチルエステル、シクロヘキサン−１，３−ジカルボン酸ジ−ｔ−ブチルエステル、シクロヘキサン−１，３−ジカルボン酸ジイソブチルエステル、シクロヘキサン−１，３−ジカルボン酸モノグリコールエステル、シクロヘキサン−１，３−ジカルボン酸ジグリコールエステル、シクロヘキサン−１，３−ジカルボン酸ジ−ｎ−オクチルエステル、シクロヘキサン−１，３−ジカルボン酸ジイソオクチルエステル、シクロヘキサン−１，３−ジカルボン酸ジ−２−エチルヘキシルエステル、シクロヘキサン−１，３−ジカルボン酸ジ−ｎ−ノニルエステル、シクロヘキサン−１，３−ジカルボン酸ジイソノニルエステル、シクロヘキサン−１，３−ジカルボン酸ジ−ｎ−デシルエステル、シクロヘキサン−１，３−ジカルボン酸ジイソデシルエステル、シクロヘキサン−１，３−ジカルボン酸ジ−ｎ−ウンデシルエステル、シクロヘキサン−１，３−ジカルボン酸ジイソドデシルエステル、シクロヘキサン−１，３−ジカルボン酸ジ−ｎ−オクタデシルエステル、シクロヘキサン−１，３−ジカルボン酸ジイソオクタデシルエステル、シクロヘキサン−１，３−ジカルボン酸ジ−ｎ−エイコシルエステル、シクロヘキサン−１，３−ジカルボン酸モノシクロヘキシルエステル、シクロヘキサン−１，３−ジカルボン酸ジシクロヘキシルエステル；
シクロヘキサン−１，３−ジカルボン酸ジイソプロピルエステル、シクロヘキサン−１，３−ジカルボン酸ジ−ｎ−ヘキシルエステル、シクロヘキサン−１，３−ジカルボン酸ジイソヘキシルエステル、シクロヘキサン−１，３−ジカルボン酸ジ−ｎ−ヘプチルエステル、シクロヘキサン−１，３−ジカルボン酸ジイソヘプチルエステル、シクロヘキサン−１，３−ジカルボン酸ジ−２−プロピルヘプチルエステル、シクロヘキサン−１，３−ジカルボン酸ジイソウンデシルエステル、シクロヘキサン−１，３−ジカルボン酸ジ−ｎ−ドデシルエステル、シクロヘキサン−１，２−ジカルボン酸ジ−ｎ−トリデシルエステル、シクロヘキサン−１，３−ジカルボン酸ジイソトリデシルエステル、シクロヘキサン−１，３−ジカルボン酸ジ−ｎ−ペンチルエステル、シクロヘキサン−１，３−ジカルボン酸ジイソペンチルエステル；
シクロヘキサン−１，２，４−トリカルボン酸アルキルエステル、例えば、シクロヘキサン−１，２，４−トリカルボン酸モノメチルエステル、シクロヘキサン−１，２，４−トリカルボン酸ジメチルエステル、シクロヘキサン−１，２，４−トリカルボン酸ジエチルエステル、シクロヘキサン−１，２，４−トリカルボン酸ジ−ｎ−プロピルエステル、シクロヘキサン−１，２，４−トリカルボン酸ジイソプロピルエステル、シクロヘキサン−１，２，４−トリカルボン酸ジ−ｎ−ブチルエステル、シクロヘキサン−１，２，４−トリカルボン酸ジ−ｔ−ブチルエステル、シクロヘキサン−１，２，４−トリカルボン酸ジイソブチルエステル、シクロヘキサン−１，２，４−トリカルボン酸モノグリコールエステル、シクロヘキサン−１，２，４−トリカルボン酸ジグリコールエステル、シクロヘキサン−１，２，４−トリカルボン酸ジ−ｎ−オクチルエステル、シクロヘキサン−１，２，４−トリカルボン酸ジイソオクチルエステル、シクロヘキサン−１，２，４−トリカルボン酸ジ−２−エチルヘキシルエステル、シクロヘキサン−１，２，４−トリカルボン酸ジ−ｎ−ノニルエステル、シクロヘキサン−１，２，４−トリカルボン酸ジイソノニルエステル、シクロヘキサン−１，２，４−トリカルボン酸ジ−ｎ−デシルエステル、シクロヘキサン−１，２，４−トリカルボン酸ジイソデシルエステル、シクロヘキサン−１，２，４−トリカルボン酸ジ−ｎ−ウンデシルエステル、シクロヘキサン−１，２，４−トリカルボン酸ジイソドデシルエステル、シクロヘキサン−１，２，４−トリカルボン酸ジ−ｎ−オクタデシルエステル、シクロヘキサン−１，２，４−トリカルボン酸ジイソオクタデシルエステル、シクロヘキサン−１，２，４−トリカルボン酸ジ−ｎ−エイコシルエステル、シクロヘキサン−１，２，４−トリカルボン酸モノシクロヘキシルエステル、シクロヘキサン−１，２，４−トリカルボン酸ジシクロヘキシルエステル及びシクロヘキサン−１，２，４−トリカルボン酸トリメチルエステル、シクロヘキサン−１，２，４−トリカルボン酸トリエチルエステル、シクロヘキサン−１，２，４−トリカルボン酸トリ−ｎ−プロピルエステル、シクロヘキサン−１，２，４−トリカルボン酸トリ−ｎ−ブチルエステル、シクロヘキサン−１，２，４−トリカルボン酸トリ−ｔ−ブチルエステル、シクロヘキサン−１，２，４−トリカルボン酸トリイソブチルエステル、シクロヘキサン−１，２，４−トリカルボン酸トリグリコールエステル、シクロヘキサン−１，２，４−トリカルボン酸トリ−ｎ−オクチルエステル、シクロヘキサン−１，２，４−トリカルボン酸トリイソオクチルエステル、シクロヘキサン−１，２，４−トリカルボン酸トリ−２−エチルヘキシルエステル、シクロヘキサン−１，２，４−トリカルボン酸トリ−ｎ−ノニルエステル、シクロヘキサン−１，２，４−トリカルボン酸トリイソノニルエステル、シクロヘキサン−１，２，４−トリカルボン酸トリ−ｎ−デシルエステル、シクロヘキサン−１，２，４−トリカルボン酸トリイソドデシルエステル、シクロヘキサン−１，２，４−トリカルボン酸トリ−ｎ−ウンデシルエステル、シクロヘキサン−１，２，４−トリカルボン酸トリイソドデシルエステル、シクロヘキサン−１，２，４−トリカルボン酸トリ−ｎ−オクタデシルエステル、シクロヘキサン−１，２，４−トリカルボン酸トリイソオクタデシルエステル、シクロヘキサン−１，２，４−トリカルボン酸トリ−ｎ−エイコシルエステル、シクロヘキサン−１，２，４−トリカルボン酸トリシクロヘキシルエステル、シクロヘキサン−１，２，４−トリカルボン酸ジ−ｎ−ヘキシルエステル、シクロヘキサン−１，２，４−トリカルボン酸ジイソヘキシルエステル、シクロヘキサン−１，２，４−トリカルボン酸トリ−ｎ−ヘキシルエステル、シクロヘキサン−１，２，４−トリカルボン酸トリイソヘキシルエステル、シクロヘキサン−１，２，４−トリカルボン酸ジ−ｎ−ヘプチルエステル、シクロヘキサン−１，２，４−トリカルボン酸ジイソヘプチルエステル、シクロヘキサン−１，２，４−トリカルボン酸トリ−ｎ−ヘプチルエステル、シクロヘキサン−１，２，４−トリカルボン酸トリイソヘプチルエステル、シクロヘキサン−１，２，４−トリカルボン酸ジ−ｎ−ペンチルエステル、シクロヘキサン−１，２，４−トリカルボン酸ジイソペンチルエステル、シクロヘキサン−１，２，４−トリカルボン酸トリ−ｎ−ペンチルエステル、シクロヘキサン−１，２，４−トリカルボン酸トリイソペンチルエステル、シクロヘキサン−１，２，４−トリカルボン酸ジ−ｎ−トリデシルエステル、シクロヘキサン−１，２，４−トリカルボン酸ジイソトリデシルエステル、シクロヘキサン−１，２，４−トリカルボン酸トリ−ｎ−トリデシルエステル、シクロヘキサン−１，２，４−トリカルボン酸トリイソトリデシルエステル、シクロヘキサン−１，２，４−トリカルボン酸ジ−ｎ−ドデシルエステル、シクロヘキサン−１，２，４−トリカルボン酸ジイソウンデシルエステル、シクロヘキサン−１，２，４−トリカルボン酸トリ−ｎ−ドデシルエステル、シクロヘキサン−１，２，４−トリカルボン酸トリイソウンデシルエステル、シクロヘキサン−１，２，４−トリカルボン酸トリイソプロピルエステル；
シクロヘキサン−１，３，５−トリカルボン酸アルキルエステル、例えば、シクロヘキサン−１，３，５−トリカルボン酸モノメチルエステル、シクロヘキサン−１，３，５−トリカルボン酸ジメチルエステル、シクロヘキサン−１，３，５−トリカルボン酸ジエチルエステル、シクロヘキサン−１，３，５−トリカルボン酸ジ−ｎ−プロピルエステル、シクロヘキサン−１，３，５−トリカルボン酸ジ−ｎ−ブチルエステル、シクロヘキサン−１，３，５−トリカルボン酸ジ−ｔ−ブチルエステル、シクロヘキサン−１，３，５−トリカルボン酸ジイソブチルエステル、シクロヘキサン−１，３，５−トリカルボン酸モノグリコールエステル、シクロヘキサン−１，３，５−トリカルボン酸ジグリコールエステル、シクロヘキサン−１，３，５−トリカルボン酸ジ−ｎ−オクチルエステル、シクロヘキサン−１，３，５−トリカルボン酸ジイソオクチルエステル、シクロヘキサン−１，３，５−トリカルボン酸ジ−２−エチルヘキシルエステル、シクロヘキサン−１，３，５−トリカルボン酸ジ−ｎ−ノニルエステル、シクロヘキサン−１，３，５−トリカルボン酸ジイソノニルエステル、シクロヘキサン−１，３，５−トリカルボン酸ジ−ｎ−デシルエステル、シクロヘキサン−１，３，５−トリカルボン酸ジイソデシルエステル、シクロヘキサン−１，３，５−トリカルボン酸ジ−ｎ−ウンデシルエステル、シクロヘキサン−１，３，５−トリカルボン酸ジイソドデシルエステル、シクロヘキサン−１，３，５−トリカルボン酸ジ−ｎ−オクタデシルエステル、シクロヘキサン−１，３，５−トリカルボン酸ジイソオクタデシルエステル、シクロヘキサン−１，３，５−トリカルボン酸ジ−ｎ−エイコシルエステル、シクロヘキサン−１，３，５−トリカルボン酸モノシクロヘキシルエステル、シクロヘキサン−１，３，５−トリカルボン酸ジシクロヘキシルエステル及びシクロヘキサン−１，３，５−トリカルボン酸トリメチルエステル、シクロヘキサン−１，３，５−トリカルボン酸トリエチルエステル、シクロヘキサン−１，３，５−トリカルボン酸トリ−ｎ−プロピルエステル、シクロヘキサン−１，３，５−トリカルボン酸トリ−ｎ−ブチルエステル、シクロヘキサン−１，３，５−トリカルボン酸トリ−ｔ−ブチルエステル、シクロヘキサン−１，３，５−トリカルボン酸トリイソブチルエステル、シクロヘキサン−１，３，５−トリカルボン酸トリグリコールエステル、シクロヘキサン−１，３，５−トリカルボン酸トリ−ｎ−オクチルエステル、シクロヘキサン−１，３，５−トリカルボン酸トリイソオクチルエステル、シクロヘキサン−１，３，５−トリカルボン酸トリ−２−エチルヘキシルエステル、シクロヘキサン−１，３，５−トリカルボン酸トリ−ｎ−ノニルエステル、シクロヘキサン−１，３，５−トリカルボン酸トリイソノニルエステル、シクロヘキサン−１，３，５−トリカルボン酸トリ−ｎ−デシルエステル、シクロヘキサン−１，３，５−トリカルボン酸トリイソドデシルエステル、シクロヘキサン−１，３，５−トリカルボン酸トリ−ｎ−ウンデシルエステル、シクロヘキサン−１，３，５−トリカルボン酸トリイソドデシルエステル、シクロヘキサン−１，３，５−トリカルボン酸トリ−ｎ−オクタデシルエステル、シクロヘキサン−１，３，５−トリカルボン酸トリイソオクタデシルエステル、シクロヘキサン−１，３，５−トリカルボン酸トリ−ｎ−エイコシルエステル、シクロヘキサン−１，３，５−トリカルボン酸トリシクロヘキシルエステル、シクロヘキサン−１，３，５−トリカルボン酸ジ−ｎ−ヘキシルエステル、シクロヘキサン−１，３，５−トリカルボン酸ジイソヘキシルエステル、シクロヘキサン−１，３，５−トリカルボン酸トリ−ｎ−ヘキシルエステル、シクロヘキサン−１，３，５−トリカルボン酸トリイソヘキシルエステル、シクロヘキサン−１，３，５−トリカルボン酸ジ−ｎ−ヘプチルエステル、シクロヘキサン−１，３，５−トリカルボン酸ジイソヘプチルエステル、シクロヘキサン−１，３，５−トリカルボン酸トリ−ｎ−ヘプチルエステル、シクロヘキサン−１，３，５−トリカルボン酸トリイソヘプチルエステル、シクロヘキサン−１，３，５−トリカルボン酸ジ−ｎ−ペンチルエステル、シクロヘキサン−１，３，５−トリカルボン酸ジイソペンチルエステル、シクロヘキサン−１，３，５−トリカルボン酸トリ−ｎ−ペンチルエステル、シクロヘキサン−１，３，５−トリカルボン酸トリイソペンチルエステル、シクロヘキサン−１，３，５−トリカルボン酸ジ−ｎ−トリデシルエステル、シクロヘキサン−１，３，５−トリカルボン酸ジイソトリデシルエステル、シクロヘキサン−１，３，５−トリカルボン酸トリ−ｎ−トリデシルエステル、シクロヘキサン−１，３，５−トリカルボン酸トリイソトリデシルエステル、シクロヘキサン−１，３，５−トリカルボン酸ジ−ｎ−ドデシルエステル、シクロヘキサン−１，３，５−トリカルボン酸ジイソウンデシルエステル、シクロヘキサン−１，３，５−トリカルボン酸トリ−ｎ−ドデシルエステル、シクロヘキサン−１，３，５−トリカルボン酸トリイソウンデシルエステル、シクロヘキサン−１，３，５−トリカルボン酸トリイソプロピルエステル；
シクロヘキサン−１，２，３−トリカルボン酸アルキルエステル、例えば、シクロヘキサン−１，２，３−トリカルボン酸モノメチルエステル、シクロヘキサン−１，２，３−トリカルボン酸ジメチルエステル、シクロヘキサン−１，２，３−トリカルボン酸ジエチルエステル、シクロヘキサン−１，２，３−トリカルボン酸ジ−ｎ−プロピルエステル、シクロヘキサン−１，２，３−トリカルボン酸ジ−ｎ−ブチルエステル、シクロヘキサン−１，２，３−トリカルボン酸ジ−ｔ−ブチルエステル、シクロヘキサン−１，２，３−トリカルボン酸ジイソブチルエステル、シクロヘキサン−１，２，３−トリカルボン酸モノグリコールエステル、シクロヘキサン−１，２，３−トリカルボン酸ジグリコールエステル、シクロヘキサン−１，２，３−トリカルボン酸ジ−ｎ−オクチルエステル、シクロヘキサン−１，２，３−トリカルボン酸ジイソオクチルエステル、シクロヘキサン−１，２，３−トリカルボン酸ジ−２−エチルヘキシルエステル、シクロヘキサン−１，２，３−トリカルボン酸ジ−ｎ−ノニルエステル、シクロヘキサン−１，２，３−トリカルボン酸ジイソノニルエステル、シクロヘキサン−１，２，３−トリカルボン酸ジ−ｎ−デシルエステル、シクロヘキサン−１，２，３−トリカルボン酸ジイソデシルエステル、シクロヘキサン−１，２，３−トリカルボン酸ジ−ｎ−ウンデシルエステル、シクロヘキサン−１，２，３−トリカルボン酸ジイソドデシルエステル、シクロヘキサン−１，２，３−トリカルボン酸ジ−ｎ−オクタデシルエステル、シクロヘキサン−１，２，３−トリカルボン酸ジイソオクタデシルエステル、シクロヘキサン−１，２，３−トリカルボン酸ジ−ｎ−エイコシルエステル、シクロヘキサン−１，２，３−トリカルボン酸モノシクロヘキシルエステル、シクロヘキサン−１，２，３−トリカルボン酸ジシクロヘキシルエステル及びシクロヘキサン−１，２，３−トリカルボン酸トリメチルエステル、シクロヘキサン−１，２，３−トリカルボン酸トリエチルエステル、シクロヘキサン−１，２，３−トリカルボン酸トリ−ｎ−プロピルエステル、シクロヘキサン−１，２，３−トリカルボン酸トリ−ｎ−ブチルエステル、シクロヘキサン−１，２，３−トリカルボン酸トリ−ｔ−ブチルエステル、シクロヘキサン−１，２，３−トリカルボン酸トリイソブチルエステル、シクロヘキサン−１，２，３−トリカルボン酸トリグリコールエステル、シクロヘキサン−１，２，３−トリカルボン酸トリ−ｎ−オクチルエステル、シクロヘキサン−１，２，３−トリカルボン酸トリイソオクチルエステル、シクロヘキサン−１，２，３−トリカルボン酸トリ−２−エチルヘキシルエステル、シクロヘキサン−１，２，３−トリカルボン酸トリ−ｎ−ノニルエステル、シクロヘキサン−１，２，３−トリカルボン酸トリイソノニルエステル、シクロヘキサン−１，２，３−トリカルボン酸トリ−ｎ−デシルエステル、シクロヘキサン−１，２，３−トリカルボン酸トリイソドデシルエステル、シクロヘキサン−１，２，３−トリカルボン酸トリ−ｎ−ウンデシルエステル、シクロヘキサン−１，２，３−トリカルボン酸トリイソドデシルエステル、シクロヘキサン−１，２，３−トリカルボン酸トリ−ｎ−オクタデシルエステル、シクロヘキサン−１，２，３−トリカルボン酸トリイソオクタデシルエステル、シクロヘキサン−１，２，３−トリカルボン酸トリ−ｎ−エイコシルエステル、シクロヘキサン−１，２，３−トリカルボン酸トリシクロヘキシルエステル、シクロヘキサン−１，２，３−トリカルボン酸ジ−ｎ−ヘキシルエステル、シクロヘキサン−１，２，３−トリカルボン酸ジイソヘキシルエステル、シクロヘキサン−１，２，３−トリカルボン酸トリ−ｎ−ヘキシルエステル、シクロヘキサン−１，２，３−トリカルボン酸トリイソヘキシルエステル、シクロヘキサン−１，２，３−トリカルボン酸ジ−ｎ−ヘプチルエステル、シクロヘキサン−１，２，３−トリカルボン酸ジイソヘプチルエステル、シクロヘキサン−１，２，３−トリカルボン酸トリ−ｎ−ヘプチルエステル、シクロヘキサン−１，２，３−トリカルボン酸トリイソヘプチルエステル、シクロヘキサン−１，２，３−トリカルボン酸ジ−ｎ−ペンチルエステル、シクロヘキサン−１，２，３−トリカルボン酸ジイソペンチルエステル、シクロヘキサン−１，２，３−トリカルボン酸トリ−ｎ−ペンチルエステル、シクロヘキサン−１，２，３−トリカルボン酸トリイソペンチルエステル、シクロヘキサン−１，２，３−トリカルボン酸ジ−ｎ−トリデシルエステル、シクロヘキサン−１，２，３−トリカルボン酸ジイソトリデシルエステル、シクロヘキサン−１，２，３−トリカルボン酸トリ−ｎ−トリデシルエステル、シクロヘキサン−１，２，３−トリカルボン酸トリイソトリデシルエステル、シクロヘキサン−１，２，３−トリカルボン酸ジ−ｎ−ドデシルエステル、シクロヘキサン−１，２，３−トリカルボン酸ジイソウンデシルエステル、シクロヘキサン−１，２，３−トリカルボン酸トリ−ｎ−ドデシルエステル、シクロヘキサン−１，２，３−トリカルボン酸トリイソウンデシルエステル、シクロヘキサン−１，２，３−トリカルボン酸トリイソプロピルエステル；
シクロヘキサン−１，２，４，５−テトラカルボン酸アルキルエステル、例えば、シクロヘキサン−１，２，４，５−テトラカルボン酸モノメチルエステル、シクロヘキサン−１，２，４，５−テトラカルボン酸ジメチルエステル、シクロヘキサン−１，２，４，５−テトラカルボン酸ジエチルエステル、シクロヘキサン−１，２，４，５−テトラカルボン酸ジ−ｎ−プロピルエステル、シクロヘキサン−１，２，４，５−テトラカルボン酸ジ−ｎ−ブチルエステル、シクロヘキサン−１，２，４，５−テトラカルボン酸ジ−ｔ−ブチルエステル、シクロヘキサン−１，２，４，５−テトラカルボン酸ジイソブチルエステル、シクロヘキサン−１，２，４，５−テトラカルボン酸モノグリコールエステル、シクロヘキサン−１，２，４，５−テトラカルボン酸ジグリコールエステル、シクロヘキサン−１，２，４，５−テトラカルボン酸ジ−ｎ−オクチルエステル、シクロヘキサン−１，２，４，５−テトラカルボン酸ジイソオクチルエステル、シクロヘキサン−１，２，４，５−テトラカルボン酸ジ−２−エチルヘキシルエステル、シクロヘキサン−１，２，４，５−テトラカルボン酸ジ−ｎ−ノニルエステル、シクロヘキサン−１，２，４，５−テトラカルボン酸ジイソノニルエステル、シクロヘキサン−１，２，４，５−テトラカルボン酸ジ−ｎ−デシルエステル、シクロヘキサン−１，２，４，５−テトラカルボン酸ジイソデシルエステル、シクロヘキサン−１，２，４，５−テトラカルボン酸ジ−ｎ−ウンデシルエステル、シクロヘキサン−１，２，４，５−テトラカルボン酸ジイソドデシルエステル、シクロヘキサン−１，２，４，５−テトラカルボン酸ジ−ｎ−オクタデシルエステル、シクロヘキサン−１，２，４，５−テトラカルボン酸ジイソオクタデシルエステル、シクロヘキサン−１，２，４，５−テトラカルボン酸ジ−ｎ−エイコシルエステル、シクロヘキサン−１，２，４，５−テトラカルボン酸モノシクロヘキシルエステル、シクロヘキサン−１，２，４，５−テトラカルボン酸トリメチルエステル、シクロヘキサン−１，２，４，５−テトラカルボン酸トリエチルエステル、シクロヘキサン−１，２，４，５−テトラカルボン酸トリ−ｎ−プロピルエステル、シクロヘキサン−１，２，４，５−テトラカルボン酸トリ−ｎ−ブチルエステル、シクロヘキサン−１，２，４，５−テトラカルボン酸トリ−ｔ−ブチルエステル、シクロヘキサン−１，２，４，５−テトラカルボン酸トリイソブチルエステル、シクロヘキサン−１，２，４，５−テトラカルボン酸トリグリコールエステル、シクロヘキサン−１，２，４，５−テトラカルボン酸トリ−ｎ−オクチルエステル、シクロヘキサン−１，２，４，５−テトラカルボン酸トリイソオクチルエステル、シクロヘキサン−１，２，４，５−テトラカルボン酸トリ−２−エチルヘキシルエステル、シクロヘキサン−１，２，４，５−テトラカルボン酸トリ−ｎ−ノニルエステル、シクロヘキサン−１，２，４，５−テトラカルボン酸トリイソノニルエステル、シクロヘキサン−１，２，４，５−テトラカルボン酸トリ−ｎ−デシルエステル、シクロヘキサン−１，２，４，５−テトラカルボン酸トリイソドデシルエステル、シクロヘキサン−１，２，４，５−テトラカルボン酸トリ−ｎ−ウンデシルエステル、シクロヘキサン−１，２，４，５−テトラカルボン酸トリイソドデシルエステル、シクロヘキサン−１，２，４，５−テトラカルボン酸トリ−ｎ−オクタデシルエステル、シクロヘキサン−１，２，４，５−テトラカルボン酸トリイソオクタデシルエステル、シクロヘキサン−１，２，４，５−テトラカルボン酸トリ−ｎ−エイコシルエステル、シクロヘキサン−１，２，４，５−テトラカルボン酸トリシクロヘキシルエステル、及びシクロヘキサン−１，２，４，５−テトラカルボン酸テトラメチルエステル、シクロヘキサン−１，２，４，５−テトラカルボン酸テトラエチルエステル、シクロヘキサン−１，２，４，５−テトラカルボン酸テトラ−ｎ−プロピルエステル、シクロヘキサン−１，２，４，５−テトラカルボン酸テトラ−ｎ−ブチルエステル、シクロヘキサン−１，２，４，５−テトラカルボン酸テトラ−ｔ−ブチルエステル、シクロヘキサン−１，２，４，５−テトラカルボン酸テトライソブチルエステル、シクロヘキサン−１，２，４，５−テトラカルボン酸テトラグリコールエステル、シクロヘキサン−１，２，４，５−テトラカルボン酸テトラ−ｎ−オクチルエステル、シクロヘキサン−１，２，４，５−テトラカルボン酸テトライソオクチルエステル、シクロヘキサン−１，２，４，５−テトラカルボン酸テトラ−２−エチルヘキシルエステル、シクロヘキサン−１，２，４，５−テトラカルボン酸テトラ−ｎ−ノニルエステル、シクロヘキサン−１，２，４，５−テトラカルボン酸テトライソノニルエステル、シクロヘキサン−１，２，４，５−テトラカルボン酸テトラ−ｎ−デシルエステル、シクロヘキサン−１，２，４，５−テトラカルボン酸テトライソデシルエステル、シクロヘキサン−１，２，４，５−テトラカルボン酸テトライソドデシルエステル、シクロヘキサン−１，２，４，５−テトラカルボン酸テトラ−ｎ−ウンデシルエステル、シクロヘキサン−１，２，４，５−テトラカルボン酸テトラ−ｎ−オクタデシルエステル、シクロヘキサン−１，２，４，５−テトラカルボン酸テトライソオクタデシルエステル、シクロヘキサン−１，２，４，５−テトラカルボン酸テトラ−ｎ−エイコシルエステル、シクロヘキサン−１，２，４，５−テトラカルボン酸テトラシクロヘキシルエステル、シクロヘキサン−１，２，４，５−テトラカルボン酸ジ−ｎ−ヘキシルエステル、シクロヘキサン−１，２，４，５−テトラカルボン酸ジイソヘキシルエステル、シクロヘキサン−１，２，４，５−テトラカルボン酸トリ−ｎ−ヘキシルエステル、シクロヘキサン−１，２，４，５−テトラカルボン酸トリイソヘキシルエステル、シクロヘキサン−１，２，４，５−テトラカルボン酸ジ−ｎ−ヘプチルエステル、シクロヘキサン−１，２，４，５−テトラカルボン酸ジイソヘプチルエステル、シクロヘキサン−１，２，４，５−テトラカルボン酸トリ−ｎ−ヘプチルエステル、シクロヘキサン−１，２，４，５−テトラカルボン酸トリイソヘプチルエステル、シクロヘキサン−１，２，４，５−テトラカルボン酸ジ−ｎ−ペンチルエステル、シクロヘキサン−１，２，４，５−テトラカルボン酸ジイソペンチルエステル、シクロヘキサン−１，２，４，５−テトラカルボン酸トリ−ｎ−ペンチルエステル、シクロヘキサン−１，２，４，５−テトラカルボン酸トリイソペンチルエステル、シクロヘキサン−１，２，４，５−テトラカルボン酸ジ−ｎ−トリデシルエステル、シクロヘキサン−１，２，４，５−テトラカルボン酸ジイソトリデシルエステル、シクロヘキサン−１，２，４，５−テトラカルボン酸トリ−ｎ−トリデシルエステル、シクロヘキサン−１，２，４，５−テトラカルボン酸トリイソトリデシルエステル、シクロヘキサン−１，２，４，５−テトラカルボン酸ジ−ｎ−ドデシルエステル、シクロヘキサン−１，２，４，５−テトラカルボン酸ジイソウンデシルエステル、シクロヘキサン−１，２，４，５−テトラカルボン酸トリ−ｎ−ドデシルエステル、シクロヘキサン−１，２，４，５−テトラカルボン酸トリイソウンデシルエステル、シクロヘキサン−１，２，４，５−テトラカルボン酸トリイソプロピルエステル、シクロヘキサン−１，２，４，５−テトラカルボン酸テトラ−ｎ−ヘキシルエステル、シクロヘキサン−１，２，４，５−テトラカルボン酸テトライソヘキシルエステル、シクロヘキサン−１，２，４，５−テトラカルボン酸テトラ−ｎ−ヘプチルエステル、シクロヘキサン−１，２，４，５−テトラカルボン酸テトライソヘプチルエステル、シクロヘキサン−１，２，４，５−テトラカルボン酸テトラ−ｎ−ペンチルエステル、シクロヘキサン−１，２，４，５−テトラカルボン酸テトライソペンチルエステル、シクロヘキサン−１，２，４，５−テトラカルボン酸テトラ−ｎ−トリデシルエステル、シクロヘキサン−１，２，４，５−テトラカルボン酸テトライソトリデシルエステル、シクロヘキサン−１，２，４，５−テトラカルボン酸テトラ−ｎ−ドデシルエステル、シクロヘキサン−１，２，４，５−テトラカルボン酸テトライソウンデシルエステル、シクロヘキサン−１，２，４，５−テトラカルボン酸テトライソプロピルエステル；
シクロヘキサン−１，２−ジカルボン酸、シクロヘキサン−１，２，４−トリカルボン酸、シクロヘキサン−１，２，３−トリカルボン酸及びシクロヘキサン−１，２，４，５−テトラカルボン酸の無水物が有利である。
【００２８】
更に、本発明の意において、ＷＯ９９／３２４２７に明らかにされ、次に再度挙げられるシクロヘキサン−１，２−ジカルボン酸エステルも好適である；
シクロヘキサン−１，２−ジカルボン酸とＣ１〜Ｃ１３アルコールの混合エステル；Chemical Abstracts Registry Nummer（次から：ＣＡＳ  Ｎｏ．）８４７７７−０６−０のジ（イソペンチル）フタレートの水素添加によって得られる、シクロヘキサン−１，２−ジカルボン酸ジ（イソペンチル）エステル；
ＣＡＳ  Ｎｏ．７１８８８−８９−６のジ（イソヘプチル）フタレートの水素添加によって得られる、シクロヘキサン−１，２−ジカルボン酸ジ（イソヘプチル）エステル；
ＣＡＳ  Ｎｏ．６８５１５−４８−０のジ（イソノニル）フタレートの水素添加によって得られる、シクロヘキサン−１，２−ジカルボン酸ジ（イソノニル）エステル；
ｎ−ブテンをベースとする、ＣＡＳ  Ｎｏ．２８５５３−１２−０のジ（イソノニル）フタレートの水素添加によって得られる、シクロヘキサン−１，２−ジカルボン酸ジ（イソノニル）エステル；
イソブテンをベースとする、ＣＡＳ  Ｎｏ．２８５５３−１２−０のジ（イソノニル）フタレートの水素添加によって得られる、シクロヘキサン−１，２−ジカルボン酸ジ（イソノニル）エステル；
ＣＡＳ  Ｎｏ．６８５１５−４６−８のジ（ノニル）フタレートの水素添加によって得られる、シクロヘキサンジカルボン酸の１，２−ジ−Ｃ９エステル；
ＣＡＳ  Ｎｏ．６８５１５−４９−１のジ（イソデシル）フタレートの水素添加によって得られる、シクロヘキサン−１，２−ジカルボン酸ジ（イソデシル）エステル；
ＣＡＳ  Ｎｏ．６８５１５−４２−４の相応するフタル酸エステルの水素添加によって得られる、シクロヘキサンジカルボン酸の１，２−ジ−Ｃ７〜１１エステル；
次のＣＡＳ  Ｎｏ．のジ−Ｃ７〜１１フタレートの水素添加によって得られるシクロヘキサンジカルボン酸の１，２−ジ−Ｃ７〜１１エステル；
１１１  ３８１−８９−６、
１１１  ３８１  ９０−９、
１１１  ３８１  ９１−０、
６８５１５−４４−６、
６８５１５−４５−７及び
３６４８−２０−２；
ＣＡＳ  Ｎｏ．９８５１５−４３−６のジ−Ｃ９〜１１フタレートの水素添加によって得られる、シクロヘキサンジカルボン酸の１，２−ジ−Ｃ９〜１１エステル；
主に、ジ−（２−プロピルヘプチル）フタレートから成るジ（イソデシル）フタレートの水素添加によって得られる、１，２−ジ（イソデシル）シクロヘキサンジカルボン酸エステル；
分枝鎖又は直鎖のＣ７〜９アルキルエステル基を有する相応するフタル酸エステルの水素添加によって得られる１，２−ジ−Ｃ７〜９シクロヘキサンジカルボン酸エステル；例えば、出発製品として使用される相応するフタレートは、次のＣＡＳ  Ｎｏ．を有する：
ＣＡＳ  Ｎｏ．１１１  ３８１−８９−６のジ−Ｃ７，９アルキルフタレート；
ＣＡＳ  Ｎｏ．６８５１５−４４−６のジ−Ｃ７アルキルフタレート；及び
ＣＡＳ  Ｎｏ．６８５１５−４５−７のジ−Ｃ９アルキルフタレート。
【００２９】
特に、前記のこれらの化合物及び特殊なマクロ孔を有する触媒の使用下でのシクロヘキサンポリカルボン酸の製造に関連するＷＯ９９／３２４２７の内容は、参照によって完全に本出願に引用される。
【００３０】
本発明により、例えば、ＤＥ−Ａ１００３２５８０．７に記載されている、Ｃ１０アルコール及びＣ１３アルコールとのフタル酸混合エステルの水素添加生成物も使用可能である。
【００３１】
更に、商標Jayflex DINP(CAS No.68515-48-0), Jayflex DIDP(CAS No.68515-49-1),Palatinol 9-P, Vestinol 9(CAS No. 28553-12-0), TOTM-I(CAS No. 3319-31-1), Linplast 68-TM, Palatinol N(CAS No. 28553-12-0), Jayflex DHP(CAS No. 68515-50-4), Jayflex DIOP(CAS No. 27554-26-3), Jayflex UDP(CAS No. 68515-47-9), Jayflex DIUP(CAS No. 85507-79-5), Jayflex DTDP(CAS No. 68515-47-9), Jayflex L9P(CAS No. 68515-45-7), Jayflex L911P(CAS No. 68515-43-5), Jayflex L11P(CAS No. 3648-20-2), Witamol 110(CAS No. 90193-91-2), Witamol 118(ジ−ｎ−Ｃ８〜Ｃ１０アルキルフタレート), Unimoll BB(CAS No. 85-68-7), Linplast 1012 BP(CAS No. 90193-92-3), Linplast 13XP(CAS No. 27253-26-5), Linplast 610 P(CAS No. 68515-51-5), Linplast 68 FP(CAS No. 68648-93-1)及びLinplast 812 HP(CAS No. 70693-30-0), Palatinol AH(CAS No. 117-81-7), Palatinol 711(CAS No. 68515-42-4), Palatinol 911(CAS No. 68515-43-5), Palatinol 11(CAS No. 3648-20-2), Palatinol Z(CAS No. 26761-40-0)及びPalatinol DIPP(CAS No. 84777-06-0)の市販で得られるベンゼンカルボン酸エステルの水素添加生成物も、本発明の意において好適であると評価すべきである。
【００３２】
特に有利な粉塵の少ない建設化学製品は、１，２−シクロヘキサンジカルボン酸のジアルキルエステルを包含する。エステル基Ｒとして、１〜１３個のＣ原子を有する直鎖又は分枝鎖のアルキル基又は前記のアルキル基の混合物が有利である。エステル基Ｒとして、８〜１０個のＣ原子を有する直鎖又は分枝鎖のアルキル基又は前記のアルキル基の混合物が特に有利である。エステル基Ｒとして、９個のＣ原子を有するアルキル基が極めて特に有利である。
【００３３】
少なくとも１個のポリオール及び少なくとも１個のシクロヘキサンポリカルボン酸誘導体を含有する本発明による混合物は、粉末状建設化学製品の除塵のための公知技術水準から公知の化合物に比べて、比較可能な又はより良好な使用技術的特性を特徴とする。即ち、これは加入混合の際に塊状物を形成せず、かつ粉末状建設化学製品の内容物の表面上に速やかに分配される。その引火点は十分に高く、製造及び使用で厳密な安全技術的標準に応じることができる。
【００３４】
更に本発明による添加剤は、使用者に、少ない使用量（０．５〜２．０質量％）ですら、高い除塵作用を達成することを可能にさせる、低い粘性及び高い有効性（"拡散効果（spreading effect）"）を特徴とする。
【００３５】
既存の"拡散効果"及び低粘性により、除塵剤の配合の際に、除塵すべき製品中に塊状物は形成しない。従って、前記の製品の製造者にとって、特に噴霧装置なしで、除塵剤を直接その既存の混合過程に配合させることが可能である。
【００３６】
シクロヘキサンポリカルボン酸誘導体の製造は、ＷＯ９９／３２４２７に明らかにされた方法により有利に行われる。この方法は、活性金属として、少なくとも１種の元素周期律表のVIII.亜族の金属を単独で又は少なくとも１種の元素周期律表のI又はVII.亜族の金属と一緒に担体上に塗布させた触媒が存在して、ベンゼンポリカルボン酸又はその誘導体又はその２種以上を含む混合物を水素含有ガスと接触させることによる、ベンゼンポリカルボン酸又はその誘導体又はその２種以上を含む混合物の水素添加を包含し、この際、担体はマクロ孔を有する。
【００３７】
有利な１実施態様で、担体は、平均孔径少なくとも５０ｎｍ及びＢＥＴ表面積高々３０ｍ２／ｇを有し、活性金属の量は、触媒の全質量に対して、０．０１〜３０質量％である。
【００３８】
もう１つの実施態様で、触媒中の活性金属の量は、触媒の全質量に対して、０．０１〜３０質量％であり、かつ担体の孔容量の１０〜５０％は、５０ｎｍ〜１００００ｎｍの範囲の孔径を有するマクロ孔から形成され、かつ担体の孔容量の５０〜９０％は、２〜５０ｎｍの範囲の孔径を有するメソ孔によって形成され、この際、孔容量の割合の合計は１００％になる触媒が使用される。
【００３９】
もう１つの実施態様で、触媒は、触媒の全質量に対して、担体上に塗布される活性金属０．０１〜３０質量％を有し、この際、担体は少なくとも０．１μｍの平均孔径及び高々１５ｍ２／ｇのＢＥＴ表面積を有する。担体として、マクロ孔を有する原則的に全ての担体、即ち、排他的にマクロ孔を有する担体、及びマクロ孔の他にメソ孔及び／又はミクロ孔も含有する担体を使用することができる。
【００４０】
活性金属として、元素周期律表のVIII.亜族の原則的に全ての金属を使用することができる。活性金属として、白金、ロジウム、パラジウム、コバルト、ニッケル又はルテニウム又はその２種以上を含む混合物を使用することが有利であり、この際、殊にルテニウムが活性金属として使用される。同様に全て原則的に使用可能である元素周期律表のI.又はVII.又はしかしI.及びVII.亜族の同様に使用可能な金属のうちで、銅及び／又はレニウムを使用することが有利である。
【００４１】
本出願の範囲において、"マクロ孔"及び"メソ孔"という概念は、Pure Appl. Chem., 45 S. 79(1976) に定義されているように、つまり、その直径が５０ｎｍ以上（マクロ孔）又はその直径が２ｎｍ〜５０ｎｍ（メソ孔）である孔として使用される。
【００４２】
活性金属の含量は、各々使用される触媒の全質量に対して、一般に０．０１〜３０質量％、有利に０．０１〜５質量％、特に有利に０．１〜５質量％である。
【００４３】
"ベンゼンポリカルボン酸又はその誘導体"という使用概念は、全てのベンゼンポリカルボン酸自体、例えば、フタル酸、イソフタル酸、テレフタル酸、トリメリット酸、トリメシン酸、ヘミメリット酸及びピロメリット酸及びその誘導体を包含し、この際、殊にモノエステル、ジエステル、トリエステル及びテトラエステル、殊にアルキルエステル、及びアンヒドリドが挙げられる。前記の酸のアルキルエステルが有利であり、この際、アルキル基は前記で定義された基Ｒが有利である。
【００４４】
有利に使用されるベンゼンポリカルボン酸アルキルエステルは、一般に、ベンゼンポリカルボン酸とエステルのアルキル基に相応するアルコールとの反応によって製造される。ベンゼンポリカルボン酸と相応するアルコールとの反応のための好適な反応条件は、当業者に公知である。
【００４５】
前記のシクロヘキサンポリカルボン酸誘導体及び本発明による方法によって得られるシクロヘキサンポリカルボン酸誘導体混合物のほかに、同じ分子量のアルカンの極めて高い割合を有するイソアルカン混合物も好適である。それには、同じ分子量のシクロヘキサンポリカルボン酸誘導体９５質量％以上、有利に少なくとも９６質量％、殊に少なくとも９７質量％を有するシクロヘキサンポリカルボン酸誘導体混合物が挙げられる。
【００４６】
従って、本出願のもう１つの目的は、建設化学製品における粉塵軽減成分として、少なくとも１種のポリオール及び少なくとも１種のシクロヘキサンポリカルボン酸誘導体を含有する混合物の使用であり、この際、シクロヘキサンポリカルボン酸誘導体は次の方法により製造可能である：
ａ）式ＩＩ：
【化３】
0005456052.tif 000005
［式中、
Ｒ１は、Ｃ１〜Ｃ１０アルキル又はＣ３〜Ｃ８シクロアルキルを表わし、
ｍは、０、１、２又は３を表わし、かつ
ｎは、２、３又は４を表わす］のベンゼンポリカルボン酸と、
１種以上の式：
Ｒ−ＯＨ
［式中、
Ｒは、Ｃ１〜Ｃ３０アルキル、有利にＣ１〜Ｃ２０アルキル、特に有利にＣ１〜Ｃ１８アルキル、極めて特に有利にＣ１〜Ｃ１３アルキルを表わす］のアルコールとのエステル化（この際、式ＩＩＩ：
【化４】
0005456052.tif 000006
のベンゼンポリカルボン酸エステルが得られる）
ｂ）式ＩＩＩのベンゼンポリカルボン酸エステルの、相応するシクロヘキサンポリカルボン酸エステルへの水素添加。
【００４７】
Ｒ１、ｍ、ｎ及びＲの有利な実施態様は、式Ｉによるシクロヘキサンポリカルボン酸エステルに関連して前記されている。
【００４８】
式ＩＩＩのベンゼンポリカルボン酸エステルの水素添加（段階ｂ））の有利な１実施態様は、前記されている。
【００４９】
有利に使用されるベンゼンポリカルボン酸は、フタル酸、イソフタル酸、テレフタル酸、トリメリット酸、トリメシン酸、ヘミメリット酸及びピロメリット酸である。フタル酸が極めて特に有利に使用される。前記の酸は市販で得られる。
【００５０】
アルコールとして、式Ｉのシクロヘキサンポリカルボン酸誘導体の基Ｒに相応するアルコールが有利に使用される。従って、Ｃ１〜Ｃ１３アルキル基を有する直鎖又は分枝鎖のアルコールが有利に使用される。ベンゼンポリカルボン酸とのエステル化のために使用されるアルコールは、各々、前記の基Ｒに相応するアルコールの単一の異性体又は同じ炭素原子数を有する異性アルキル基を有する様々なアルコールの混合物及び／又は異なった炭素原子数を有する様々なアルコールの混合物である。
【００５１】
ベンゼンポリカルボン酸との反応に好適なアルコール又はアルコール混合物は、当業者に公知の方法によって製造され得る。アルコールの好適な製法又はアルコールの製造の際に使用される方法段階は、例えば、次の通りである：
例えば、ＷＯ９２／１３８１８、ＤＥ−Ａ２００９５０５、ＤＥ−Ａ１９９２４３３９、ＥＰ−Ａ１１１３０３４、ＷＯ００／６３１５１、ＷＯ９９／２５６６８、ＪＰ−Ａ１１６０９２８、ＪＰ−Ａ０３０８３９３５、ＪＰ−Ａ２０００／０５３８０３、ＥＰ−Ａ０２７８４０７、ＥＰ−Ａ１１７８０２９、ＦＲ−Ａ１３０４１４４、ＪＰ−Ａ３０４４３４０、ＪＰ−Ａ３０４４３４１、ＪＰ−Ａ３０４４３４２、ＪＰ−Ａ０４０３６２５１、ＧＢ−Ａ７２１５４０、ＤＥ−Ａ１９５３０４１４、ＪＰ−Ａ２００１／０４９０２９、ＵＳ２７８１３９６、ＵＳ３０９４５６４、ＦＲ−Ａ１３２４８７３、ＪＰ−Ａ０８１６９８５４、ＵＳ３１５３６７３、ＵＳ３１２７４５１、ＵＳ１８２８３４４、ＷＯ２００３／６６６４２、ＷＯ２００３／１８９１２、ＥＰ−Ａ０４２４７６７、ＷＯ２００２／６８３６９、ＥＰ−Ａ０３６６０８９、ＪＰ−Ａ２００１／００２８２９、ＤＥ−Ａ１００３５６１７、ＤＥ−Ａ１９９５５５９３、ＷＯ２００２／００５８０、ＥＰ−Ａ０６４３０３１、ＵＳ２８７６２６４、ＪＰ−Ａ２０００／３１９４４４及びＤＥ−Ａ１００３２５８０に公開されている、生成されたアルデヒドの引き続いての水素添加を伴うヒドロホルミル化；
例えば、ＤＥ−Ａ１０２５１３１１、ＪＰ−Ａ０５１９４７６１、ＵＳ３２７２８７３、ＤＥ−Ａ３１５１０８６、ＪＰ−Ａ２００１／３２２９５９、ＷＯ９８／０３４６２及びＥＰ−Ａ０６０３６３０に公開されている、アルドール生成物の水素添加；
例えば、ＵＳ５１３６１０８、ＥＰ−Ａ０３２５１４４、ＥＰ−Ａ０３２５１４３、ＤＥ−Ａ１００５０６２７、ＵＳ４９８２０２２、ＧＢ−Ａ２１８７７４１、ＤＥ−Ａ３６２８００８、ＵＳ３２７７１９１、ＪＰ−Ａ２０００／１９１５６６、ＤＥ−Ａ８５４３７７、ＤＥ−Ａ３８０１２７５、ＤＥ−Ａ３９２５２１７、ＪＰ−Ａ０６３２１８２８、ＪＰ−Ａ０２０８８５３６、ＪＰ−Ａ０６２８７１５６、ＪＰ−Ａ０６２８７１５５、ＪＰ−Ａ５４１４１７１２、ＪＰ−Ａ０８２８３１８６、ＪＰ−Ａ０９２６３５５８及びＵＳ４６８４７５１に公開されている、アルケンの水和化；
例えば、ＵＳ５４６３１４３、ＵＳ５４７５１５９、ＷＯ９４／１０１１２、ＣＡ２３１４６９０、ＷＯ９４／０６７３８、ＪＰ−Ａ０６０６５１２５及びＵＳ３３６１８３２に公開されている、カルボン酸及びカルボン酸エステル、殊に脂肪酸及び脂肪酸エステルの水素添加；
例えば、ＥＰ−Ａ０３９４８４２、ＤＥ−Ａ１２６９６０５、ＷＯ８８／０５７６７、ＦＲ−Ａ１５９５０１３、ＥＰ−Ａ０３２６６７４、ＢＥ−Ａ７５６８７７、ＢＥ−Ａ７５７５６１、ＤＥ−Ａ１２７７２３２、ＦＲ−Ａ１４９９０４１及びＤＥ−Ａ１２７６６２０に公開されている、不飽和アルコール又はカルボニル化合物の水素添加；
例えば、ＦＲ−Ａ１５０８９３９、ＧＢ−Ａ８７９８０３及びＤＥ−Ａ１０７８１０６に公開されているエポキシドの水素添加；
例えば、ＥＰ−Ａ０３３０９９９、ＤＥ−Ａ１１３８７５１、ＵＳ５９０８８０７、ＮＥ−６６０３８８４及びＵＳ３０９１６２８に公開されている、テロマー化段階を包含する方法；
例えば、ＤＥ−Ａ４２２８８８７に公開されている異性化段階を包含する方法；
例えば、ＧＢ−Ａ１１６５３０９に公開されている、スルフェートの加水分解；
例えば、ＤＥ−Ａ４４３１５２８に公開されている、ジエンとアミンとの反応；
例えば、ＷＯ９３／２４６４４に公開されている、アルコールの酵素的製造；
例えば、ＵＳ３２０３９９８、ＤＥ−Ａ２１４１１８６、ＧＢ−Ａ２０９３０２５、ＪＰ−Ａ０２１２９２４、ＪＰ−Ａ１１２２８４６８、ＤＥ−Ａ１９５４４１３３、ＷＯ９４／００４１０、ＧＢ−Ａ２２６０１３６、ＤＥ−Ａ４４１０７４６及びＪＰ−Ａ０８１７６０３６に公開されている、ジエンの選択的水素添加；
例えば、ＥＰ−Ａ０２７１０９２に公開されている、ニトリルからのアルコールの製造；
例えば、ＲＵ２０５９５９７−Ｃ１に公開されている、アルキンの反応によるアルコールの製造；及び
例えば、ＧＢ１３２０１８８に公開されている、置換されたテトラヒドロピランの水素添加分解。
【００５２】
ベンゼンポリカルボン酸とのエステル化に好適なアルコール又はアルコール混合物の製造にも使用され得るアルコールの他の製法は当業者に公知である。有利に使用されるアルコールは、前記のように、Ｃ１〜Ｃ１３アルキル基を有するアルコールである。殊に、長鎖のＣ５〜Ｃ１３アルコール又はこのアルコールを含有するアルコール混合物は、特に有利に、オレフィンの触媒的ヒドロホルミル化（オキソ反応とも表示される）及び生成したアルデヒドの引き続いての水素添加によって製造される。好適なヒドロホルミル化反応は当業者に公知であり、前記の文書に公開されている。前記の文書に公開されたアルコール及びアルコール混合物は、前記のベンゼンポリカルボン酸と反応して、所望のベンゼンポリカルボン酸アルキルエステル又はベンゼンポリカルボン酸アルキルエステル混合物を得ることができる。
【００５３】
Ｃ５アルコール又はＣ５アルコール、特に有利にｎ−ペンタノールを含有する混合物は、例えば、触媒としてロジウム化合物及びホスフィンの水溶液が存在して、ブタジエンのヒドロホルミル化によって製造され得る。そのような１方法は、例えば、ＥＰ−Ａ０６４３０３１に公開されている。
【００５４】
ベンゼンポリカルボン酸とのエステル化に使用され得る、好適なＣ７アルコール混合物は、例えば、ＪＰ−Ａ２０００／３１９４４４に公開されている。Ｃ７アルコール混合物の製造は、生成したアルデヒドの引き続いての水素添加を伴うヒドロホルミル化によって行なわれる。
【００５５】
Ｃ８アルコールを含有する混合物及びその製法は、例えば、ＧＢ−Ａ７２１５４０に公開されていて、この際、ヘプテンから出発して、ヒドロホルミル化及び引き続いての水素添加によるイソオクチルアルコールの製法が記載されている。Ｃ７アルコール又はこのアルコールを含有する混合物の製造を公開する更なる文書は、ＤＥ−Ａ１９５３０４１４、ＪＰ−Ａ２００１／４９０２９、ＵＳ２７８１３９６、ＵＳ３０９４５６４、ＦＲ−Ａ１３２４８７３、ＪＰ−Ａ０８１６９８５４、ＵＳ３１５３６７３、ＵＳ３１２７４５１及びＵＳ１８２８３４４である。
【００５６】
Ｃ９アルコール又はＣ９アルコールを含有する混合物は、有利に、ブテンの二量体化、得られるオクテンのヒドロホルミル化及び得られるＣ９アルデヒドの引き続いての水素添加によって製造される。
【００５７】
好適な方法及びＣ９アルコールを含有する混合物は、例えば、ＷＯ９２／１３８１８、ＤＥ−Ａ２００９５０５、ＤＥ−Ａ１９９２４３３９、ＥＰ−Ａ１１１３０３４、ＷＯ２０００／６３１５１、ＷＯ９９／２５６６８、ＪＰ−Ａ１１６０９２８、ＪＰ−Ａ０３０８３９３５、ＪＰ−Ａ２０００／０５３８０３、ＥＰ−Ａ０２７８４０７及びＥＰ−Ａ１１７８０２９に公開されている。
【００５８】
Ｃ１０アルコール及びこのアルコールを含有する混合物は、例えば、ＷＯ２００３／６６６４２、ＷＯ２００３／１８９１２、ＥＰ−Ａ０４２４７６７、ＷＯ２００２／６８３６９、ＥＰ−Ａ０３６６０８９及びＪＰ−Ａ２００１／００２８２９に公開されている。
【００５９】
Ｃ１２アルコール又はＣ１２アルコール、殊にトリメチルノナノールを含有する混合物及びその製法は、例えば、ＷＯ９８／０３４６２に公開されている。
【００６０】
Ｃ１３アルコール及びこのアルコールを含有する混合物は、例えば、ＤＥ−Ａ１００３２５８０、ＤＥ−Ａ１９９５５５９３及びＷＯ２００２／００５８０に公開されている。
【００６１】
本出願による助剤中で又は助剤として、特に有利に、前記のシクロヘキサンジカルボン酸のジアルキルエステル、殊に、１，２−ジアルキルエステル、１，３−ジアルキルエステル又は１，４−ジアルキルエステル、及び極めて特に有利に１，２−ジアルキルエステルが使用される。この際、ジアルキルエステルの２つのエステル基が同じアルキル基を有するジアルキルエステル、及びジアルキルエステルの２つのエステル基が異なったアルキル基を有するエステル基を使用することができる。シクロヘキサンジカルボン酸の混合及び非混合ジアルキルエステルの例は、既に前記されている。更に、シクロヘキサンジカルボン酸アルキルエステルのアルキル基は、確かに同じ炭素原子数を有するが、直鎖状であるか又は異なった分枝鎖を有し、従って、異性体混合物を形成することが可能である。そのような異性体混合物は、ジアルキルエステルのアルキル基の炭素数が異なっている場合にも使用することができる。アルキル基の異なった異性体の割合は、一般に、シクロヘキサンジカルボン酸エステルへのエステル化後に水素添加されるベンゼンジカルボン酸のエステル化のために使用されるアルコールの組成から明らかである。好適なアルコール混合物は既に前記されている。従って、本出願の意において、一定数の炭素原子を有する直鎖又は分枝鎖のアルキル基とは、各々単一の異性体のほかに、その組成（前記のような）が、ベンゼンジカルボン酸のエステル化のために使用されるアルコールの組成から明らかである異性体混合物も解される。本出願の意において、直鎖アルキル基とは、排他的に直鎖アルキル基が解されるが、主に直鎖状であるアルキル基の混合物も解される。
【００６２】
シクロヘキサンポリカルボン酸エステルのアルキル基Ｒは、Ｃ１〜Ｃ４アルキル基が重要であり、即ち、これは、式ＩＩのベンゼンポリカルボン酸とメタノール、エタノール、ｎ−プロパノール、イソ−プロパノール、ｎ−ブタノール、イソ−ブタノール、ｓ−ブタノール又はｔ−ブタノールとの反応によって得られる。この際、式中Ｒが３又は４であるベンゼンポリカルボン酸エステルの製造のために、各々前記のプロパノール又はブタノールの混合物又は単一の異性体が使用される。プロパノール又はブタノールの単一の異性体を使用することが有利である。前記のＣ１〜Ｃ４アルコールの製造は、当業者に公知である。
【００６３】
シクロヘキサンポリカルボン酸エステルのアルキル基Ｒは、Ｃ５〜Ｃ１３アルキル基が重要であり、一般に０．１０〜４、有利に０．５〜３、特に有利に０．８〜２及び殊に１〜１．５の分枝鎖度（ＩＳＯ指数）を有するＣ５〜Ｃ１３アルコールが有利に使用され、即ち、一般に各々のアルコールは異なった異性体の混合物が重要である。極めて特に有利にＩＳＯ指数１〜１．５を有するＣ９アルコール混合物、殊にＩＳＯ指数１．２５又は１．６を有するノナノール混合物が使用される。ＩＳＯ指数は、ガスクロマトグラフィーにより決定された無次元量である。
【００６４】
方法：毛管ＧＣ
装置：オートサンプラー、スプリット／スプリットレス注入システム及び炎電離検出器（ＦＩＤ）を備えた毛管ガスクロマトグラフ
化学薬品：ＭＳＴＦＡ（Ｎ−メチル−Ｎ−トリメチルシリルトリフルオルアセトアミド）
保持時間の測定のための比較
試料調製：試料３滴をＭＳＴＦＡ１ｍｌ中に入れ、８０℃で６０分間保つ
ＧＣ条件：
毛細カラム：            Ultra-1
長さ：                  ５０ｍ
内径：                  ０．２５ｍｍ
膜厚：                  ０．１マイクロメートル
キャリアガス：          ヘリウム
カラム予備圧：          ２００psi  一定
スプリット：            ８０ｍｌ／分
隔膜洗浄：              ３ｍｌ／分
炉温度：                １２０℃、２５分間等温
インジェクター温度：    ２５０℃
検出器温度：            ２５０℃（FID）
注入容量：              ０．５マイクロリットル
計測：ISO指数の計測における方法は次の表に明らかである：
【表２】
0005456052.tif 000007
【００６５】
Ｃ５〜Ｃ１３アルコールは、前記の方法により製造される。式中のＲが９であるシクロヘキサンポリカルボン酸エステルの製造のために、ノナノール混合物の０〜２０質量％、有利に０．５〜１８質量％、特に有利に６〜１６質量％は、分枝鎖を持たず、５〜９０質量％、有利に１０〜８０質量％、特に有利に４５〜７５質量％は、１個の分枝鎖を有し、５〜７０質量％、有利に１０〜６０質量％、特に有利に１５〜３５質量％は、２個の分枝鎖を有し、０〜１０質量％、有利に０〜８質量％、特に有利に０〜４質量％は３個の分枝鎖を有し、かつ０〜４０質量％、有利に０．１〜３０質量％、特に有利に０．５〜６．５質量％はその他の成分であるノナノール混合物を使用することが特に有利である。その他の成分とは、３個以上の分枝鎖を有するノナノール、デカノール又はオクタノールが一般に解され、この際、前記の成分の合計は１００質量％となる。
【００６６】
有利に使用されるシクロヘキサンポリカルボン酸誘導体の製造のために使用されるノナノール混合物の特に有利な１実施態様は、次の組成を有する：
３−エチル−６−メチル−ヘキサノール１．７３〜３．７３質量％、有利に１．９３〜３．５３質量％、特に有利に２．２３〜３．２３質量％；
２，６−ジメチルヘプタノール０．３８〜１．３８質量％、有利に０．４８〜１．２８質量％、特に有利に０．５８〜１．１８質量％；
３，５−ジメチルヘプタノール２．７８〜４．７８質量％、有利に２．９８〜４．５８質量％、特に有利に３．２８〜４．２８質量％；
３，６−ジメチルヘプタノール６．３０〜１６．３０質量％、有利に７．３０〜１５．３０質量％、特に有利に８．３０〜１４．３０質量％；
４，６−ジメチルヘプタノール５．７４〜１１．７４質量％、有利に６．２４〜１１．２４質量％、特に有利に６．７４〜１０．７４質量％；
３，４，５−トリメチルヘキサノール１．６４〜３．６４質量％、有利に１．８４〜３．４４質量％、特に有利に２．１４〜３．１４質量％；
３，４，５−トリメチルヘキサノール、３−メチル−４−エチルヘキサノール及び３−エチル−４−メチルヘキサノール１．４７〜５．４７質量％、有利に１．９７〜４．９７質量％、特に有利に２．４７〜４．４７質量％；
３，４−ジメチルヘプタノール４．００〜１０．００質量％、有利に４．５０〜９．５０質量％、特に有利に５．００〜９．００質量％；
４−エチル−５−メチルヘキサノール及び３−エチルヘプタノール０．９９〜２．９９質量％、有利に１．１９〜２．７９質量％、特に有利に１．４９〜２．４９質量％；
４，５−ジメチルヘプタノール及び３−メチルオクタノール２．４５〜８．４５質量％、有利に２．９５〜７．９５質量％、特に有利に３．４５〜７．４５質量％；
４，５−ジメチルヘプタノール１．２１〜５．２１質量％、有利に１．７１〜４．７１質量％、特に有利に２．２１〜４．２１質量％；
５，６−ジメチルヘプタノール１．５５〜５．５５質量％、有利に２．０５〜５．０５質量％、特に有利に２．５５〜４．５５質量％；
４−メチルオクタノール１．６３〜３．６３質量％、有利に１．８３〜３．４３質量％、特に有利に２．１３〜３．１３質量％；
５−メチルオクタノール０．９８〜２．９８質量％、有利に１．１８〜２．７８質量％、特に有利に１．４８〜２．４８質量％；
３，６，６−トリメチルヘキサノール０．７０〜２．７０質量％、有利に０．９０〜２．５０質量％、特に有利に１．２０〜２．２０質量％；
７−メチルオクタノール１．９６〜３．９６質量％、有利に２．１６〜３．７６質量％、特に有利に２．４６〜３．４６質量％；
６−メチルオクタノール１．２４〜３．２４質量％、有利に１．４４〜３．０４質量％、特に有利に１．７４〜２．７４質量％；
ｎ−ノナノール０．１〜３質量％、有利に０．２〜２質量％、特に有利に０．３〜１質量％；
９及び１０個の炭素原子を有するその他のアルコール２５〜３５質量％、有利に２８〜３３質量％、特に有利に２９〜３２質量％；この際、前記の成分の合計は１００質量％になる。
【００６７】
有利に使用されるシクロヘキサンポリカルボン酸誘導体の製造のために使用されるノナノール混合物の特に有利なもう１つの実施態様は、次の組成を有する：
ｎ−ノナノール６．０〜１６．０質量％、有利に７．０〜１５．０質量％、特に有利に８．０〜１４．０質量％；
６−メチルオクタノール１２．８〜２８．８質量％、有利に１４．８〜２６．８質量％、特に有利に１５．８〜２５．８質量％；
４−メチルオクタノール１２．５〜２８．８質量％、有利に１４．５〜２６．５質量％、特に有利に１５．５〜２５．５質量％；
２−メチルオクタノール３．３〜７．３質量％、有利に３．８〜６．８質量％、特に有利に４．３〜６．３質量％；
３−エチルヘプタノール５．７〜１１．７質量％、有利に６．３〜１１．３、特に有利に６．７〜１０．７質量％；
２−エチルヘプタノール１．９〜３．９質量％、有利に２．１〜３．７質量％、特に有利に２．４〜３．４質量％；
２−プロピルヘキサノール１．７〜３．７質量％、有利に１．９〜３．５質量％、特に有利に２．２〜３．２質量％；
３，５−ジメチルヘプタノール３．２〜９．２質量％、有利に３．７〜８．７質量％、特に有利に４．２〜８．２質量％；
２，５−ジメチルヘプタノール６．０〜１６．０質量％、有利に７．０〜１５．０質量％、特に有利に８．０〜１４．０質量％；
２，３−ジメチルヘプタノール１．８〜３．８質量％、有利に２．０〜３．６質量％、特に有利に２．３〜３．３質量％；
３−エチル−４−メチルヘキサノール０．６〜２．６質量％、有利に０．８〜２．４質量％、特に有利に１．１〜２．１質量％；
２−エチル−４−メチルヘキサノール２．０〜４．０質量％、有利に２．２〜３．８質量％、特に有利に２．５〜３．５質量％；
９個の炭素原子を有するその他のアルコール０．５〜６．５質量％、有利に１．５〜６質量％、特に有利に１．５〜５．５質量％；
この際、前記の成分の合計は１００質量％になる。
【００６８】
本出願のもう１つの目的は、少なくとも１種のポリオール及び少なくとも１種のシクロヘキサンポリカルボン酸誘導体を含有する混合物であり、この際、シクロヘキサンポリカルボン酸エステルは、次の段階を包含する方法によって製造可能である：
ａ）式ＩＩ：
【化５】
0005456052.tif 000008
［式中、
Ｒ１は、Ｃ１〜Ｃ１０アルキル又はＣ３〜Ｃ８シクロアルキルを表わし、
ｍは、０、１、２又は３を表わし、かつ
ｎは、２、３又は４を表わす］のベンゼンポリカルボン酸と、
１種以上の、式：
Ｒ’−ＯＨ
［式中、
Ｒ’は、Ｃ５〜Ｃ１３アルキルを表わし、この際、アルキル基Ｒ’は、分枝鎖度０．１〜４、有利に０．５〜３、特に有利に０．８〜２、極めて特に有利に１〜１．５を有する（ISO指数）］のアルコールとのエステル化（この際、式ＩＩＩ’：
【化６】
0005456052.tif 000009
のベンゼンポリカルボン酸エステルが得られる）
ｂ）式ＩＩＩ’のベンゼンポリカルボン酸エステルの、相応するシクロヘキサンポリカルボン酸エステルへの水素添加。
【００６９】
有利なアルコール、Ｒ’−ＯＨ、殊にノナノール混合物は、前記のアルコール及びアルコール混合物である。Ｒ１、ｍ及びｎの有利な実施態様は、式Ｉによるシクロヘキサンポリカルボン酸エステルに関連して既に記載されている。
【００７０】
前記の方法により製造される、少なくとも１種のポリオール及び少なくとも１種のシクロヘキサンポリカルボン酸誘導体を含有する本発明による混合物は、建設化学製品での粉塵軽減混合物として特に良好に適合する。
【００７１】
従って、本発明のもう１つの目的は、同様に前記の使用から明らかである、少なくとも１種のポリオール及び少なくとも１種のシクロヘキサンポリカルボン酸誘導体を含む混合物を含有する粉末状の建設化学製品である。
【００７２】
粉末状の建設化学製品は、更なる通例の内容物又は成分、例えば、硬化促進剤、スルフェート担体、抑泡剤等を含有することができる。この製品は、有利な方法で、各々全組成物に対して、１０〜９０質量％、有利に２０〜６０質量％の範囲の、潜伏水硬成分及び／又は水硬成分の含量を特徴とする。
【００７３】
更に本発明によって、石灰含有及び／又は石膏含有及び／又はセメント含有のモルタルが重要である、相応する粉末状の建設化学製品が包含される。この製品は、付加的な変法に相応して、モルタル、例えば、タイル接着剤、目地モルタル、補修モルタル、又は強化モルタル、しかし充填コンパウンド、スラリーコーティング、接着スラリー、スクリード又はプラスターである。
【００７４】
請求された、少なくとも１種のポリオール及び少なくとも１種のシクロヘキサンポリカルボン酸誘導体を含有する混合物をベースとする粉末状の建設化学製品は、殊に、少なくとも１種のアルカリ活性化の潜伏水硬成分を含有するモルタルであり、これは、例えば、ジオポリマーが重要である。ジオポリマーは、典型的な特性として耐火性及び耐酸性を有し、かつ更に有利な経済的特性を有する、比較的新しい鉱物性構造物質である。ジオポリマーは、化学的にアルミノ珪酸塩をベースとし、実際には、ポリシリコ−オキソ−アルミネートである。
【００７５】
少なくとも１種のポリオール及び少なくとも１種のシクロヘキサンポリカルボン酸誘導体を有する有利な本発明による混合物は、固有臭を殆ど示さず、広い液状間隔を有する（少なくとも０〜＋１５０℃）。
【００７６】
除塵添加剤として使用される混合物の量は、除塵すべき建設化学製品に対して、０．０１〜１０質量％、有利に０．１〜３質量％及び特に有利に０．２〜２．０質量％である。
【００７７】
本発明により使用される除塵成分の混合比は、広い範囲で自由に選択され得て、この際、混合物は、ポリオール５〜９９．９５質量％及びシクロヘキサンポリカルボン酸誘導体９５〜０．０５質量％を含むことができる。殊にポリオール８５〜９９．９質量％及びシクロヘキサンポリカルボン酸誘導体１５〜０．１質量％、有利にポリオール９０〜９９質量％及びシクロヘキサンポリカルボン酸誘導体１０〜１．０質量％を含む混合物が特に有利であると実証された。
【００７８】
本発明のもう１つの目的は、少なくとも１種のポリオール及び少なくとも１種の式（Ｉ）のシクロヘキサンポリカルボン酸誘導体を含有する、低減された粉塵形成特性を有する、粉末状の建設化学製品の製法である。少なくとも１種のポリオール及び少なくとも１種の式（Ｉ）のシクロヘキサンポリカルボン酸誘導体を含有する混合物を、建設化学製品と接触させ、又はそれで処理する。一般に、これは、前記定義の混合物を有する建設化学製品への除塵添加剤の噴霧（"ノズル噴霧"）によって行なわれる。しかし、本発明により使用される除塵添加剤と除塵すべき建設化学製品との処理又は接触は、当業者に慣用である各々他の好適な方法及び手段で、例えば、除塵すべき建設化学製品と有利に液状の除塵添加剤の混合物とを混合して行われ得る。しかし本発明により、除塵添加剤の噴霧適用が有利であり、それというのも、これが除塵すべき製品の最も簡単でかつ経済的処理変法であるからである。
【００７９】
しかし、室温で固体の除塵剤成分を溶融させ、かつこの形態で建設化学製品と接触させることも当然可能である。本発明による、少なくとも１種のポリオールを含有する成分及び少なくとも１種の式（Ｉ）のシクロヘキサンポリカルボン酸誘導体を含有する成分を混合物として、建設化学製品と接触させることが有利であると見なされる。しかし、２つの成分を別々に及び場合により連続する作業工程で、建設化学製品に加入混合させることも可能である。
【００８０】
除塵剤と混合される単一成分は、むしろ、他の組成成分（例えば、セメント）の除塵のための担体として用いられ得る。除塵剤（ポリエチレングリコール（BASF SEのプルリオール（Pluriol）E400）９０部及びジイソノニルシクロヘキサン−１，２−ジカルボキシレート（BASF SEのヘキサモル（Hexamoll）DINCH）１０部）２．０％を、ポリマー粉末（BASF SEのアクロナール（Acronal）（登録商標）S695P）５ｇに添加して、例えば、ポートランドセメント（CEM I 42.5）３５ｇを除塵することができる。この際、"含浸"ポリマー粉末を簡単にセメントと混合させる場合に十分である。
【００８１】
従って、大工業的使用者には、その設備への簡単な加入混合により予備除塵成分を使用し、かつ全体の乾燥混合物をそれで除塵するという可能性がある。煩雑な過程変法がそれによって省略される。
【００８２】
製品の低粘性及び良好な分配によって、過程における除塵剤の簡単な配量も可能である。
【００８３】
前記のように、本発明により使用される混合物は、乾燥した粉末状の建設化学製品の除塵添加剤としてのその使用において、この製品における粉塵放出の明らかな低減を導く。
【００８４】
この効果は、本発明による添加剤が、除塵作用を達成する公知技術水準から公知の他の好適な添加剤、例えば、繊維、例えば、ポリエチレン繊維又はポリプロピレン繊維と組み合わせて使用する場合に、更に上昇され得る。
【００８５】
本発明を、次の実施例につき詳説するが、これに限定されるものではない。
【００８６】
実施例
次に挙げる乾燥モルタル混合物（タイル接着剤１）は、各々の単一成分を混合容器中に秤量して入れ、引き続いて円板攪拌器を備えた穿孔機で均一に混合させたことによって得られた。
【００８７】
乾燥モルタル混合物
タイル接着剤１
ポートランドセメントCEM I       ６０．５質量％
珪砂０．１〜０．５ｍｍ            ２３．６質量％
石灰石粉＜０．１ｍｍ              １０．５質量％
セルロースエーテル                １．９質量％
分散剤粉末                        ３．０質量％
硬化促進剤                        ０．５質量％
【００８８】
測定法
測定は、DIN 55999-2 "顔料及び充填剤の粉塵発生数の測定−２部：落下法"により実施した。
【００８９】
測定のために、LORENZ MESSGERAETEBAU GmbH & Co. KGの"粉塵測定器SP3"を使用した。
【００９０】
Ａ）試料製造
乾燥モルタル混合物を混合容器中に前以て装入した。ポリエチレングリコール（BASF SEのプルリオールE400）及びジイソノニルシクロヘキサン−１，２−ジカルボキシレート（BASF SEのヘキサモルDINCH）を含む本発明による除塵添加剤混合物を、挙げられた量比で、乾燥モルタル混合物に圧力噴霧器（"散形噴霧"）により施し、モルタルと混合させた。
【００９１】
結果
粉塵数
１）ポリエチレングリコール（BASF SEのプルリオール E400）（比較）
【表３】
0005456052.tif 000010
【００９２】
２）ジイソノニルシクロヘキサン−１，２−ジカルボキシレート（BASF SEのヘキサモル DINCH）（比較）
【表４】
0005456052.tif 000011
【００９３】
３）プルリオール E400及びヘキサモル DINCHを含む混合物（本発明による）
全供給量＝２．０％
【表５】
0005456052.tif 000012
【００９４】
Ｂ）試料製造
乾燥モルタル混合物を混合容器中に前以て装入した。ポリエチレングリコール（BASF SEのプルリオールE400）及びジイソノニルシクロヘキサン−１，２−ジカルボキシレート（BASF SEのヘキサモル DINCH）を含む本発明による除塵添加剤を、挙げられた量比で、別々に、連続してかつ挙げられた順序で、乾燥モルタル混合物に圧力噴霧器（"散形噴霧"）により施し、モルタルと混合させた。
【００９５】
結果
粉塵数
４）プルリオール E400及びヘキサモル DINCH（本発明による）、別々に供給し、全供給量＝２．０％
【表６】
0005456052.tif 000013